(57)【要約】  拡張間欠受信（ｅＤＲＸ）の下で動作するように設定された無線デバイスのセル検証のためのシステムおよび方法が開示される。一部の実施形態では、ｅＤＲＸサイクルで動作するように設定された無線通信デバイスの動作の方法は、無線通信デバイスの設定に使用されたｅＤＲＸサイクルの第１のページング時間ウィンドウに関連付けられた時間の間に、少なくとも１つの第１のセルの第１の識別子を取得することと、このｅＤＲＸサイクルの第２のページング時間ウィンドウに関連付けられた時間の間に、少なくとも１つの第２のセルの第２の識別子を取得することとを含む。この方法は、第１の識別子が第２の識別子と同じである場合に、無線通信デバイスの無線動作の第１の種類を実行することと、第１の識別子が第２の識別子と異なる場合に、無線通信デバイスの無線動作の第２の種類を実行することとをさらに含む。【選択図】図６
2019507550.tif 000002
【特許請求の範囲】
【請求項１】
拡張間欠受信（ｅＤＲＸ）サイクルで動作するように設定された無線通信デバイス（１２）の動作の方法であって、
前記無線通信デバイス（１２）の設定に使用された前記ｅＤＲＸサイクルの第１のページング時間ウィンドウに関連付けられた時間の間に、少なくとも１つの第１のセル（１６）の第１の識別子を取得すること（１００）と、
前記無線通信デバイス（１２）の設定に使用された前記ｅＤＲＸサイクルの第２のページング時間ウィンドウであって、前記第１のページング時間ウィンドウの後に発生する第２のページング時間ウィンドウに関連付けられた時間の間に、少なくとも１つの第２のセル（１６）の第２の識別子を取得すること（１０２）と、
前記第１の識別子が前記第２の識別子と同じである場合に、無線通信デバイスの無線動作の第１の種類を実行すること（１０４）と、
前記第１の識別子が前記第２の識別子と異なる場合に、無線通信デバイスの無線動作の第２の種類を実行すること（１０４）とを含む、方法。
【請求項２】
前記少なくとも１つの第１のセル（１６）が前記無線通信デバイス（１２）の少なくとも１つのサービングセルである、請求項１に記載の方法。
【請求項３】
前記少なくとも１つの第２のセル（１６）が前記無線通信デバイス（１２）によって測定された少なくとも１つの最強のセルである、請求項１または２に記載の方法。
【請求項４】
前記第１のページング時間ウィンドウに関連付けられた前記時間が、前記第１のページング時間ウィンドウの間の時間、前記第１のページング時間ウィンドウの直前の時間、および前記第１のページング時間ウィンドウの直後の時間のうちの１つである、請求項１から３のいずれか一項に記載の方法。
【請求項５】
前記第２のページング時間ウィンドウに関連付けられた前記時間が、前記第１のページング時間ウィンドウの間の時間および前記第１のページング時間ウィンドウの直前の時間のうちの１つである、請求項１から４のいずれか一項に記載の方法。
【請求項６】
前記少なくとも１つの第１のセル（１６）の前記第１の識別子が、前記少なくとも１つの第１のセル（１６）の第１のセルグローバル識別子（ＣＧＩ）であり、前記少なくとも１つの第２のセル（１６）の前記第２の識別子が、前記少なくとも１つの第２のセル（１６）の第２のＣＧＩである、請求項１から５のいずれか一項に記載の方法。
【請求項７】
前記少なくとも１つの第１のセル（１６）が前記無線通信デバイス（１２）の少なくとも１つのサービングセルであり、
前記少なくとも１つの第２のセル（１６）が前記無線通信デバイス（１２）によって測定された少なくとも１つの最強のセルであり、
前記無線通信デバイスの無線動作の第１の種類が前記少なくとも１つの第２のセル（１６）上で実行される無線通信デバイスの無線動作であり、前記無線動作が、前記第１のページング時間ウィンドウの間に前記無線通信デバイス（１２）が前記少なくとも１つのサービングセルによってサービングされたときに、前記少なくとも１つのサービングセル上で前記無線通信デバイス（１２）によって実行される前記無線動作と同じである、請求項１から６のいずれか一項に記載の方法。
【請求項８】
前記少なくとも１つの第１のセル（１６）が前記無線通信デバイス（１２）の少なくとも１つのサービングセルであり、前記少なくとも１つの第２のセル（１６）が前記無線通信デバイス（１２）によって測定された少なくとも１つの最強のセルであり、前記第１の識別子が前記第２の識別子と同じ場合に前記無線通信デバイスの無線動作の第１の種類を実行すること（１０４）が、前記少なくとも１つの第２のセル（１６）の信号に対して１つまたは複数の無線測定を実行することを含む、請求項１から６のいずれか一項に記載の方法。
【請求項９】
前記少なくとも１つの第１のセル（１６）が前記無線通信デバイス（１２）の少なくとも１つのサービングセルであり、前記少なくとも１つの第２のセル（１６）が前記無線通信デバイス（１２）によって測定された少なくとも１つの最強のセルであり、前記第１の識別子が前記第２の識別子と同じ場合に前記無線通信デバイスの無線動作の第１の種類を実行すること（１０４）が、１つまたは複数の隣接セル（１６）の信号に対して１つまたは複数の無線測定を実行することを含む、請求項１から６のいずれか一項に記載の方法。
【請求項１０】
前記少なくとも１つの第１のセル（１６）が前記無線通信デバイス（１２）の少なくとも１つのサービングセルであり、前記少なくとも１つの第２のセル（１６）が前記無線通信デバイス（１２）によって測定された少なくとも１つの最強のセルであり、前記第１の識別子が前記第２の識別子と同じ場合に前記無線通信デバイスの無線動作の第１の種類を実行すること（１０４）が、前記少なくとも１つの第２のセル（１６）に対して、前記無線通信デバイス（１２）のサービングセルに関連する１つまたは複数のタスクを実行することを含む、請求項１から６のいずれか一項に記載の方法。
【請求項１１】
前記少なくとも１つの第１のセル（１６）が前記無線通信デバイス（１２）の少なくとも１つのサービングセルであり、前記少なくとも１つの第２のセル（１６）が前記無線通信デバイス（１２）によって測定された少なくとも１つの最強のセルであり、前記第１の識別子が前記第２の識別子と同じ場合に前記無線通信デバイスの無線動作の第１の種類を実行すること（１０４）が、
前記少なくとも１つの第２のセル（１６）の信号に対して無線リンク監視（ＲＬＭ）を実行することと、
前記少なくとも１つの第２のセル（１６）の１つまたは複数の制御チャネルを受信することと、
ネットワークノード（１４）から受信されたスケジューリング情報に基づいて、前記少なくとも１つの第２のセル（１６）に信号を送信することおよび／または前記少なくとも１つの第２のセル（１６）から信号を受信することと、
前記少なくとも１つの第１のセル（１６）および前記少なくとも１つの第２のセル（１６）が同じであることをネットワークノード（１４）に知らせる指示を前記ネットワークノード（１４）に送信することとから成るグループのうちの少なくとも１つを実行すること（１０４）を含む、請求項１から６のいずれか一項に記載の方法。
【請求項１２】
前記少なくとも１つの第１のセル（１６）が前記無線通信デバイス（１２）の少なくとも１つのサービングセルであり、前記少なくとも１つの第２のセル（１６）が前記無線通信デバイス（１２）によって測定された少なくとも１つの最強のセルであり、前記第１の識別子が前記第２の識別子と異なる場合に前記無線通信デバイスの無線動作の第２の種類を実行すること（１０４）が、
前記少なくとも１つの第２のセル（１６）の信号に対してＲＬＭを実行することを抑制することと、
前記少なくとも１つの第２のセル（１６）から受信されたスケジューリンググラントを無視することと、
前記少なくとも１つの第２のセル（１６）上のアップリンクにおいてデータを送信することを抑制することと、
前記無線通信デバイス（１２）が接続状態である場合に、アイドルモードに移行することと、
前記少なくとも１つの第２のセル（１６）が、前記少なくとも１つの第１のセル（１６）の追跡領域または登録領域と比較して異なる追跡領域または登録領域に属しているかどうかに基づいて、前記無線通信デバイス（１２）が前記無線通信デバイス（１２）の追跡領域または登録領域を変更する必要があるかどうかを判定することと、
前記少なくとも１つの第２のセル（１６）が前記無線通信デバイス（１２）の以前の追跡領域に属していない場合、追跡領域更新を実行することと、
接続再確立を開始して、前記少なくとも１つの第２のセル（１６）への接続を前記無線通信デバイス（１２）の少なくとも１つの新しいサービングセルとして再確立することと、
前記少なくとも１つの第１のセル（１６）および前記少なくとも１つの第２のセル（１６）が異なることをネットワークノード（１４）に知らせる指示を前記ネットワークノード（１４）に送信することと、
前記少なくとも１つの第２のセル（１６）に対して実行された測定の測定結果をネットワークノード（１４）に送信することとから成るグループのうちの少なくとも１つを実行すること（１０４）を含む、請求項１から１１のいずれか一項に記載の方法。
【請求項１３】
前記無線通信デバイス（１２）の設定に使用された前記ｅＤＲＸサイクルの前記第１のページング時間ウィンドウに関連付けられた時間の間に、前記少なくとも１つの第１のセル（１６）に関連付けられた第１の送信器の第３の識別子を取得すること（１００Ａ）と、
前記無線通信デバイス（１２）の設定に使用された前記ｅＤＲＸサイクルの前記第２のページング時間ウィンドウに関連付けられた時間の間に、前記少なくとも１つの第２のセル（１６）に関連付けられた第２の送信器の第４の識別子を取得すること（１０２Ａ）と、
前記第３の識別子が前記第４の識別子と同じである場合に、無線通信デバイスの無線動作の第３の種類を実行すること（１０４Ａ）と、
前記第３の識別子が前記第４の識別子と異なる場合に、無線通信デバイスの無線動作の第４の種類を実行すること（１０４Ａ）とをさらに含む、請求項１から１２のいずれか一項に記載の方法。
【請求項１４】
前記少なくとも１つの第１のセル（１６）が、複数の第１の送信ポイントを含んでいる少なくとも１つの第１の共有セルであり、前記第１の送信器が、第１の事前に規定された基準を満たす前記複数の第１の送信ポイントのうちの送信ポイントであり、
前記少なくとも１つの第２のセル（１６）が、複数の第２の送信ポイントを含んでいる少なくとも１つの第２の共有セルであり、前記第２の送信器が、第２の事前に規定された基準を満たす前記複数の第２の送信ポイントのうちの送信ポイントである、請求項１３に記載の方法。
【請求項１５】
前記第１の事前に規定された基準が、前記無線通信デバイス（１２）によって測定された、前記複数の第１の送信ポイントのうち最強の送信ポイントであることであるか、または第１の事前に規定されたしきい値よりも弱くないことであり、
前記第２の事前に規定された基準が、前記無線通信デバイス（１２）によって測定された、前記複数の第２の送信ポイントのうち最強の送信ポイントであることであるか、または第２の事前に規定されたしきい値よりも弱くないことである、請求項１４に記載の方法。
【請求項１６】
前記第３の識別子が前記第４の識別子と同じである場合に前記無線通信デバイスの無線動作の第３の種類を実行すること（１０４Ａ）が、
前記第２の送信器の信号に対してＲＬＭを実行することと、
前記第２の送信器の信号に対して１つまたは複数の無線測定を実行することと、
１つまたは複数の隣接セル（１６）の信号に対して１つまたは複数の無線測定を実行することと、
前記第２の送信器の１つまたは複数の制御チャネルを受信することと、
ネットワークノード（１４）から受信されたスケジューリング情報に基づいて、前記第２の送信器に信号を送信することおよび／または前記第２の送信器から信号を受信することと、
前記第１の送信器および前記第２の送信器が同じであることをネットワークノード（１４）に知らせる指示を前記ネットワークノード（１４）に送信することと、
前記第２の送信器において、前記無線通信デバイス（１２）のサービングセルに関連する１つまたは複数のタスクを実行することとから成るグループのうちの少なくとも１つを実行すること（１０４Ａ）を含む、請求項１３から１５のいずれか一項に記載の方法。
【請求項１７】
前記第３の識別子が前記第４の識別子と異なる場合に前記無線通信デバイスの無線動作の第４の種類を実行すること（１０４Ａ）が、
前記第２の送信器の信号に対してＲＬＭを実行することを抑制することと、
前記第２の送信器から受信されたスケジューリンググラントを無視することと、
アップリンクにおいて前記第２の送信器へデータを送信することを抑制することと、
前記無線通信デバイス（１２）が接続状態である場合に、アイドルモードに移行することと、
前記第２の送信器が、前記第１の送信器の追跡領域または登録領域と比較して異なる追跡領域または登録領域に属しているかどうかに基づいて、前記無線通信デバイス（１２）が前記無線通信デバイス（１２）の追跡領域または登録領域を変更する必要があるかどうかを判定することと、
前記第２の送信器が前記無線通信デバイス（１２）の以前の追跡領域に属していない場合、追跡領域更新を実行することと、
接続再確立を開始して、前記第２の送信器への接続を前記無線通信デバイス（１２）のサービング送信ポイントとして再確立することと、
前記第１の送信器および前記第２の送信器が異なることをネットワークノード（１４）に知らせる指示を前記ネットワークノード（１４）に送信することと、
前記第２の送信器において実行された測定の測定結果をネットワークノード（１４）に送信することとから成るグループのうちの少なくとも１つを実行すること（１０４Ａ）を含む、請求項１３から１６のいずれか一項に記載の方法。
【請求項１８】
拡張間欠受信（ｅＤＲＸ）サイクルで動作するように設定された無線通信デバイス（１２）であって、
前記無線通信デバイス（１２）の設定に使用された前記ｅＤＲＸサイクルの第１のページング時間ウィンドウに関連付けられた時間の間に、少なくとも１つの第１のセル（１６）の第１の識別子を取得することと、
前記無線通信デバイス（１２）の設定に使用された前記ｅＤＲＸサイクルの第２のページング時間ウィンドウであって、前記第１のページング時間ウィンドウの後に発生する第２のページング時間ウィンドウに関連付けられた時間の間に、少なくとも１つの第２のセル（１６）の第２の識別子を取得することと、
前記第１の識別子が前記第２の識別子と同じである場合に、無線通信デバイスの無線動作の第１の種類を実行することと、
前記第１の識別子が前記第２の識別子と異なる場合に、無線通信デバイスの無線動作の第２の種類を実行することとを実行するように適合されている、無線通信デバイス（１２）。
【請求項１９】
前記無線通信デバイス（１２）が、請求項２から１７のいずれか一項に記載の方法に従って動作するようにさらに適合されている、請求項１８に記載の無線通信デバイス（１２）。
【請求項２０】
命令を含んでいるコンピュータプログラムであって、前記命令が、少なくとも１つのプロセッサ上で実行された場合、前記少なくとも１つのプロセッサに、請求項１から１７のいずれか一項に記載の方法を実行させる、コンピュータプログラム。
【請求項２１】
請求項２０に記載のコンピュータプログラムを含んでいるキャリアであって、電子信号、光信号、無線信号、またはコンピュータ可読記憶媒体のうちの１つである、キャリア。
【請求項２２】
拡張間欠受信（ｅＤＲＸ）サイクルで動作するように設定された無線通信デバイス（１２）であって、
トランシーバ（２２）と、
１つまたは複数のプロセッサ（２０）と、
前記１つまたは複数のプロセッサ（２０）によって実行可能な命令を含んでいるメモリ（２６）とを備えており、これによって、前記無線通信デバイス（１２）が、
前記無線通信デバイス（１２）の設定に使用された前記ｅＤＲＸサイクルの第１のページング時間ウィンドウに関連付けられた時間の間に、少なくとも１つの第１のセル（１６）の第１の識別子を取得することと、
前記無線通信デバイス（１２）の設定に使用された前記ｅＤＲＸサイクルの第２のページング時間ウィンドウであって、前記第１のページング時間ウィンドウの後に発生する第２のページング時間ウィンドウに関連付けられた時間の間に、少なくとも１つの第２のセル（１６）の第２の識別子を取得することと、
前記第１の識別子が前記第２の識別子と同じである場合に、無線通信デバイスの無線動作の第１の種類を実行することと、
前記第１の識別子が前記第２の識別子と異なる場合に、無線通信デバイスの無線動作の第２の種類を実行することとを実行するよう動作可能である、無線通信デバイス（１２）。
【請求項２３】
セルラー通信ネットワーク（１０）用のネットワークノード（１４）の動作の方法であって、
無線通信デバイス（１２）の設定に使用された拡張間欠受信（ｅＤＲＸ）サイクルの第１のページング時間ウィンドウに関連付けられた時間の間に、前記無線通信デバイス（１２）の少なくとも１つの第１のセル（１６）の第１の識別子を取得すること（２００）と、
前記無線通信デバイス（１２）の設定に使用された前記ｅＤＲＸサイクルの第２のページング時間ウィンドウであって、前記第１のページング時間ウィンドウの後に発生する第２のページング時間ウィンドウに関連付けられた時間の間に、前記無線通信デバイス（１２）の少なくとも１つの第２のセル（１６）の第２の識別子を取得すること（２０２）と、
前記第１の識別子が前記第２の識別子と同じである場合に、ネットワークノードの無線動作の第１の種類を実行すること（２０４）と、
前記第１の識別子が前記第２の識別子と異なる場合に、ネットワークノードの無線動作の第２の種類を実行すること（２０４）とを含む、方法。
【請求項２４】
前記少なくとも１つの第１のセル（１６）が前記無線通信デバイス（１２）の少なくとも１つのサービングセルである、請求項２３に記載の方法。
【請求項２５】
前記少なくとも１つの第２のセル（１６）が前記無線通信デバイス（１２）によって測定された少なくとも１つの最強のセルである、請求項２３または２４に記載の方法。
【請求項２６】
前記第１のページング時間ウィンドウに関連付けられた前記時間が、前記第１のページング時間ウィンドウの間の時間、前記第１のページング時間ウィンドウの直前の時間、および前記第１のページング時間ウィンドウの直後の時間のうちの１つである、請求項２３から２５のいずれか一項に記載の方法。
【請求項２７】
前記第２のページング時間ウィンドウに関連付けられた前記時間が、前記第１のページング時間ウィンドウの間の時間および前記第１のページング時間ウィンドウの直前の時間のうちの１つである、請求項２３から２６のいずれか一項に記載の方法。
【請求項２８】
前記少なくとも１つの第１のセル（１６）の前記第１の識別子が、前記少なくとも１つの第１のセル（１６）の第１のセルグローバル識別子（ＣＧＩ）であり、前記少なくとも１つの第２のセル（１６）の前記第２の識別子が、前記少なくとも１つの第２のセル（１６）の第２のＣＧＩである、請求項２３から２７のいずれか一項に記載の方法。
【請求項２９】
前記少なくとも１つの第１のセル（１６）が前記無線通信デバイス（１２）の少なくとも１つのサービングセルであり、
前記少なくとも１つの第２のセル（１６）が、前記無線通信デバイス（１２）によって測定された少なくとも１つの最強のセルであり、
前記ネットワークノードの無線動作の第１の種類が、ネットワークノード（１４）によって前記少なくとも１つの最強のセルに対して実行される前記ネットワークノードの無線動作であり、前記無線動作が、前記第１のページング時間ウィンドウの間に前記無線通信デバイス（１２）が前記少なくとも１つのサービングセルによってサービングされたときに、前記ネットワークノード（１４）によって前記少なくとも１つのサービングセルに対して実行される前記無線動作と同じである、請求項２３から２８のいずれか一項に記載の方法。
【請求項３０】
前記少なくとも１つの第１のセル（１６）が前記無線通信デバイス（１２）の少なくとも１つのサービングセルであり、前記少なくとも１つの第２のセル（１６）が前記無線通信デバイス（１２）によって測定された少なくとも１つの最強のセルであり、前記第１の識別子が前記第２の識別子と同じ場合に前記ネットワークノードの無線動作の第１の種類を実行すること（２０４）が、
前記無線通信デバイス（１２）が前記少なくとも１つの第２のセル（１６）の信号に対して無線リンク監視（ＲＬＭ）を実行できるようにするために、１つまたは複数のパラメータを使用して前記無線通信デバイス（１２）を設定することと、
前記少なくとも１つの第２のセル（１６）を前記無線通信デバイス（１２）の新しいサービングセルにするための遅延なしで、前記少なくとも１つの第２のセル（１６）上のアップリンクおよび／またはダウンリンクにおいて前記無線通信デバイス（１２）をスケジュールすることと、
前記無線通信デバイス（１２）が前記少なくとも１つの第１のセル（１６）および前記少なくとも１つの第２のセル（１６）を同じであるとして識別したことを前記ネットワークノード（１４）に知らせる指示を前記無線通信デバイス（１２）から受信することと、
１つまたは複数の測定結果を前記無線通信デバイス（１２）から受信し、前記１つまたは複数の測定を、前記少なくとも１つの第２のセル（１６）内でスケジュールするために１つまたは複数の動作に使用することとから成るグループのうちの少なくとも１つを実行すること（２０４）を含む、請求項２３から２８のいずれか一項に記載の方法。
【請求項３１】
前記少なくとも１つの第１のセル（１６）が前記無線通信デバイス（１２）の少なくとも１つのサービングセルであり、前記少なくとも１つの第２のセル（１６）が前記無線通信デバイス（１２）によって測定された少なくとも１つの最強のセルであり、前記第１の識別子が前記第２の識別子と異なる場合に前記ネットワークノードの無線動作の第２の種類を実行すること（２０４）が、
前記少なくとも１つの第２のセル（１６）内でのアップリンクおよび／またはダウンリンクデータ送信に関して前記無線通信デバイス（１２）をスケジュールすることを抑制することと、
前記少なくとも１つの第２のセル（１６）を前記無線通信デバイス（１２）の新しいサービングセルにするための遅延の後にのみ、前記少なくとも１つの第２のセル（１６）内でのアップリンクおよび／またはダウンリンクデータ送信に関して前記無線通信デバイス（１２）をスケジュールすることと、
前記少なくとも１つの第２のセル（１６）への接続を確立するために、前記無線通信デバイス（１２）からのランダムアクセスメッセージまたはメッセージの受信を準備することと、
前記無線通信デバイス（１２）が前記少なくとも１つの第２のセル（１６）との接続を確立していない限り、前記無線通信デバイス（１２）によって送信されたデータを無視することと、
前記少なくとも１つの第１のセル（１６）および前記少なくとも１つの第２のセル（１６）が同じでないことを前記ネットワークノード（１４）に知らせるメッセージを前記無線通信デバイス（１２）から受信することを準備することとから成るグループのうちの少なくとも１つを実行すること（２０４）を含む、請求項２３から３０のいずれか一項に記載の方法。
【請求項３２】
前記無線通信デバイス（１２）の設定に使用された前記ｅＤＲＸサイクルの前記第１のページング時間ウィンドウに関連付けられた時間の間に、前記少なくとも１つの第１のセル（１６）に関連付けられた第１の送信器の第３の識別子を決定すること（２００Ａ）と、
前記無線通信デバイス（１２）の設定に使用された前記ｅＤＲＸサイクルの前記第２のページング時間ウィンドウに関連付けられた時間の間に、前記少なくとも１つの第２のセル（１６）に関連付けられた第２の送信器の第４の識別子を決定すること（２０２Ａ）と、
前記第３の識別子が前記第４の識別子と同じである場合に、ネットワークノードの無線動作の第３の種類を実行すること（２０４Ａ）と、
前記第３の識別子が前記第４の識別子と異なる場合に、ネットワークノードの無線動作の第４の種類を実行すること（２０４Ａ）とをさらに含む、請求項２３から３１のいずれか一項に記載の方法。
【請求項３３】
前記少なくとも１つの第１のセル（１６）が、複数の第１の送信ポイントを含んでいる少なくとも１つの第１の共有セルであり、前記第１の送信器が、第１の事前に規定された基準を満たす前記複数の第１の送信ポイントのうちの送信ポイントであり、
前記少なくとも１つの第２のセル（１６）が、複数の第２の送信ポイントを含んでいる少なくとも１つの第２の共有セルであり、前記第２の送信器が、第２の事前に規定された基準を満たす前記複数の第２の送信ポイントのうちの送信ポイントである、請求項３２に記載の方法。
【請求項３４】
前記第１の事前に規定された基準が、前記無線通信デバイス（１２）によって測定された、前記複数の第１の送信ポイントのうち最強の送信ポイントであることであるか、または第１の事前に規定されたしきい値よりも弱くないことであり、
前記第２の事前に規定された基準が、前記無線通信デバイス（１２）によって測定された、前記複数の第２の送信ポイントのうち最強の送信ポイントであることであるか、または第２の事前に規定されたしきい値よりも弱くないことである、請求項３３に記載の方法。
【請求項３５】
前記第３の識別子が前記第４の識別子と同じである場合に前記ネットワークノードの無線動作の第３の種類を実行すること（２０４Ａ）が、
前記無線通信デバイス（１２）が前記第２の送信器の信号に対してＲＬＭを実行できるようにするために、１つまたは複数のパラメータを使用して前記無線通信デバイス（１２）を設定することと、
前記少なくとも１つの第２のセル（１６）を前記無線通信デバイス（１２）の新しいサービングセルにするための遅延なしで、前記少なくとも１つの第２のセル（１６）上のアップリンクおよび／またはダウンリンクにおいて前記無線通信デバイス（１２）をスケジュールすることと、
前記無線通信デバイス（１２）が前記少なくとも１つの第１のセル（１６）および前記少なくとも１つの第２のセル（１６）を同じであるとして識別したことを前記ネットワークノード（１４）に知らせる指示を前記無線通信デバイス（１２）から受信することと、
１つまたは複数の測定結果を前記無線通信デバイス（１２）から受信し、前記１つまたは複数の測定を、前記少なくとも１つの第２のセル（１６）内でスケジュールするために１つまたは複数の動作に使用することとから成るグループのうちの少なくとも１つを実行すること（２０４Ａ）を含む、請求項３２から３４のいずれか一項に記載の方法。
【請求項３６】
前記第３の識別子が前記第４の識別子と異なる場合に前記ネットワークノードの無線動作の第４の種類を実行すること（２０４Ａ）が、
前記少なくとも１つの第２のセル（１６）内でのアップリンクおよび／またはダウンリンクデータ送信に関して前記無線通信デバイス（１２）をスケジュールすることを抑制することと、
前記少なくとも１つの第２のセル（１６）を前記無線通信デバイス（１２）の新しいサービングセルにするための遅延の後にのみ、前記少なくとも１つの第２のセル（１６）内でのアップリンクおよび／またはダウンリンクデータ送信に関して前記無線通信デバイス（１２）をスケジュールすることと、
前記少なくとも１つの第２のセル（１６）への接続を確立するために、前記無線通信デバイス（１２）からのランダムアクセスメッセージまたはメッセージの受信を準備することと、
前記無線通信デバイス（１２）が前記少なくとも１つの第２のセル（１６）との接続を確立していない限り、前記無線通信デバイス（１２）によって送信されたデータを無視することと、
前記少なくとも１つの第１のセル（１６）および前記少なくとも１つの第２のセル（１６）が同じでないことを前記ネットワークノード（１４）に知らせるメッセージを前記無線通信デバイス（１２）から受信することを準備することとから成るグループのうちの少なくとも１つを実行すること（２０４Ａ）を含む、請求項３２から３５のいずれか一項に記載の方法。
【請求項３７】
セルラー通信ネットワーク（１０）用のネットワークノード（１４）であって、
無線通信デバイス（１２）の設定に使用された拡張間欠受信（ｅＤＲＸ）サイクルの第１のページング時間ウィンドウに関連付けられた時間の間に、前記無線通信デバイス（１２）の少なくとも１つの第１のセル（１６）の第１の識別子を取得することと、
前記無線通信デバイス（１２）の設定に使用された前記ｅＤＲＸサイクルの第２のページング時間ウィンドウであって、前記第１のページング時間ウィンドウの後に発生する第２のページング時間ウィンドウに関連付けられた時間の間に、前記無線通信デバイス（１２）の少なくとも１つの第２のセル（１６）の第２の識別子を取得することと、
前記第１の識別子が前記第２の識別子と同じである場合に、ネットワークノードの無線動作の第１の種類を実行することと、
前記第１の識別子が前記第２の識別子と異なる場合に、ネットワークノードの無線動作の第２の種類を実行することとを実行するように適合されている、ネットワークノード（１４）。
【請求項３８】
前記ネットワークノード（１４）が、請求項２４から３６のいずれか一項に記載の方法に従って動作するようにさらに適合されている、請求項３７に記載のネットワークノード（１４）。
【請求項３９】
命令を含んでいるコンピュータプログラムであって、前記命令が、少なくとも１つのプロセッサ上で実行された場合、前記少なくとも１つのプロセッサに、請求項２３から３６のいずれか一項に記載の方法を実行させる、コンピュータプログラム。
【請求項４０】
請求項３９に記載のコンピュータプログラムを含んでいるキャリアであって、電子信号、光信号、無線信号、またはコンピュータ可読記憶媒体のうちの１つである、キャリア。
【請求項４１】
セルラー通信ネットワーク（１０）用のネットワークノード（１４）であって、
１つまたは複数のプロセッサ（２８）と、
前記１つまたは複数のプロセッサ（２８）によって実行可能な命令を含んでいるメモリ（３４）とを備えており、これによって、前記ネットワークノード（１４）が、
無線通信デバイス（１２）の設定に使用された拡張間欠受信（ｅＤＲＸ）サイクルの第１のページング時間ウィンドウに関連付けられた時間の間に、前記無線通信デバイス（１２）の少なくとも１つの第１のセル（１６）の第１の識別子を取得することと、
前記無線通信デバイス（１２）の設定に使用された前記ｅＤＲＸサイクルの第２のページング時間ウィンドウであって、前記第１のページング時間ウィンドウの後に発生する第２のページング時間ウィンドウに関連付けられた時間の間に、前記無線通信デバイス（１２）の少なくとも１つの第２のセル（１６）の第２の識別子を取得することと、
前記第１の識別子が前記第２の識別子と同じである場合に、ネットワークノードの無線動作の第１の種類を実行することと、
前記第１の識別子が前記第２の識別子と異なる場合に、ネットワークノードの無線動作の第２の種類を実行することとを実行するよう動作可能である、ネットワークノード（１４）。
【発明の詳細な説明】
【技術分野】
【０００１】
関連出願
本出願は、２０１６年２月１日に出願された仮特許出願第６２／２８９，５２２号の利益を主張し、この仮特許出願の開示は、本明細書において参照によって全体が本明細書に包含されている。
【０００２】
本開示の実施形態は、無線通信の分野に関連し、より詳細には、ユーザ機器デバイス（ＵＥ：Ｕｓｅｒ  Ｅｑｕｉｐｍｅｎｔ  ｄｅｖｉｃｅ）の拡張間欠受信（ｅＤＲＸ：ｅｘｔｅｎｄｅｄ  Ｄｉｓｃｏｎｔｉｎｕｏｕｓ  Ｒｅｃｅｐｔｉｏｎ）の下でのセル検証の方法に関連している。
【背景技術】
【０００３】
電力消費量は、バッテリまたは外部電源を使用するユーザ機器デバイス（ＵＥ）にとって重要であり、この重要性は、デバイスの総数が増加し続け、ユースケースの要求がますます厳しくなるにつれて、増大している。この重要性は、例えば、次のシナリオによって説明され得る。
−  バッテリで動作するセンサのようなマシンツーマシン（Ｍ２Ｍ：Ｍａｃｈｉｎｅ−ｔｏ−Ｍａｃｈｉｎｅ）のユースケースの場合、大量のデバイスのバッテリを現場で交換（または、充電）することは大きなコストであり、バッテリを充電または交換することが予測されなければ、バッテリ寿命がデバイスの寿命を決定することさえある。
−  ＵＥが外部電源から電力を消費できるシナリオの場合でさえ、エネルギー効率の目的で、より少ない電力を消費することが望ましいことがある。
【０００４】
Ｔｈｉｒｄ  Ｇｅｎｅｒａｔｉｏｎ  Ｐａｒｔｎｅｒｓｈｉｐ  Ｐｒｏｊｅｃｔ（３ＧＰＰ）において現在議論されている間欠受信（ＤＲＸ：Ｄｉｓｃｏｎｔｉｎｕｏｕｓ  Ｒｅｃｅｐｔｉｏｎ）動作の拡張は、ＵＥにおけるバッテリの節約を改善するための方法である。ＤＲＸは、不要なシグナリングが生じることなく、事前に規定された機会の間にＵＥを到達可能にする。ロングタームエボリューション（ＬＴＥ：Ｌｏｎｇ  Ｔｅｒｍ  Ｅｖｏｌｕｔｉｏｎ）において現在規定されているようなＤＲＸサイクルは、最大でも２．５６秒にしかならず、したがって、データのためにたまに（例えば、数分または数十分おきに）しか起動する必要がないＵＥの電力を十分に節約することができない。したがって、そのようなＵＥで大幅なバッテリの節約を可能にするには、ＤＲＸサイクルの拡張が必要である。さらに、データ遅延の許容誤差および省電力要件に応じてＤＲＸサイクルを設定できるため、ＵＥの大幅なバッテリ節約を実現するための柔軟な解決策を提供する。
【０００５】
現在、３ＧＰＰは、拡張ＤＲＸ（ｅＤＲＸ：ｅｘｔｅｎｄｅｄ  ＤＲＸ）（拡張ＤＲＸ（ｅｎｈａｎｃｅｄ  ＤＲＸ）と呼ばれることもある）、ＬＴＥにおける接続モードでのＵＥの動作、ＬＴＥにおけるアイドルモードでのＵＥの動作、および汎用地上波無線アクセス（ＵＴＲＡ：Ｕｎｉｖｅｒｓａｌ  Ｔｅｒｒｅｓｔｒｉａｌ  Ｒａｄｉｏ  Ａｃｃｅｓｓ）を規定している。ＬＴＥでは、アイドルモードでのｅＤＲＸは、ハイパーシステムフレーム番号（Ｈ−ＳＦＮ：Ｈｙｐｅｒ  Ｓｙｓｔｅｍ  Ｆｒａｍｅ  Ｎｕｍｂｅｒ）の概念に基づいている。
【０００６】
１    非ｅＤＲＸ（レガシー）ＵＥのＤＲＸ設定
ＬＴＥでは、ＵＥ（例えば、携帯端末）においてバッテリ電力を節約するための主要な解決策の１つとして、ＤＲＸが導入されてきた。ＤＲＸは、次によって特徴付けられる。
・ＤＲＸは、無線ベアラごとのメカニズムとは対照的に、ＵＥごとのメカニズムである。
・ＤＲＸはＲＲＣ＿ＩＤＬＥおよびＲＲＣ＿ＣＯＮＮＥＣＴＥＤで使用されてよく、ＲＲＣ＿ＣＯＮＮＥＣＴＥＤでは、エボルブドノードＢ（ｅＮＢ：ｅｖｏｌｖｅｄ  Ｎｏｄｅ  Ｂ）／ＵＥは、送信／受信されるべき未処理の／新しいパケットが存在しない場合に、ＤＲＸモードを開始してよい。ＲＲＣ＿ＩＤＬＥでは、
−  第２世代および第３世代（２Ｇおよび３Ｇ）のＵＥ（すなわち、端末）は、バッテリ寿命を延ばすために、アイドル状態でＤＲＸを使用する。高速パケットアクセス（ＨＳＰＡ：Ｈｉｇｈ  Ｓｐｅｅｄ  Ｐａｃｋｅｔ  Ａｃｃｅｓｓ）およびＬＴＥは、接続状態でもＤＲＸを導入した。
・使用可能なＤＲＸ値は、ネットワークによって制御され、非ＤＲＸから開始して最大ｘ秒になる。
・データ送信に関連するハイブリッド自動再送要求（ＨＡＲＱ：Ｈｙｂｒｉｄ  Ａｕｔｏｍａｔｉｃ  Ｒｅｐｅａｔ  Ｒｅｑｕｅｓｔ）動作は、ＤＲＸ動作から独立しており、ＵＥは、可能性のある再送信および／または確認応答／否定応答（ＡＣＫ／ＮＡＣＫ）シグナリングのために、ＤＲＸに関わらず起動して、物理ダウンリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）を読み取る。ダウンリンクでは、ＵＥが再送信を待ちながら起動したままでいる時間を制限するために、タイマが使用される。
・ＤＲＸが設定された場合、ＵＥは、「オン期間」タイマを使用してさらに設定されてよく、このオン期間の間、ＵＥは可能性のある割り当てに関してＰＤＣＣＨを監視する。
・ＤＲＸが設定された場合、周期的なチャネル品質指標（ＣＱＩ：Ｃｈａｎｎｅｌ  Ｑｕａｌｉｔｙ  Ｉｎｄｉｃａｔｏｒ）報告は、「アクティブ時間」の間にのみ、ＵＥによって送信され得る。無線リソース制御（ＲＲＣ：Ｒａｄｉｏ  Ｒｅｓｏｕｒｃｅ  Ｃｏｎｔｒｏｌ）は、周期的なＣＱＩ報告を、オン期間の間にのみ送信されるようにさらに制限することができる。
・ｅＮＢは、スリープモードの間に、パケットをＵＥに送信しない。
【０００７】
１．１    ＲＲＣ＿ＩＤＬＥでのＵＥの場合
エアインターフェースが長時間活動しなかった後に、ＵＥがアイドルモードのＤＲＸに設定される。アイドルモードのＤＲＸは、ページングＤＲＸとも呼ばれる。すなわち、ＵＥが再起動して接続状態に再び変わるためのコマンドを含むことができる２つのページングメッセージの間の、ＵＥがスリープ状態に移行できる時間である。
【０００８】
図１は、ＬＴＥにおいてアイドルＤＲＸサイクルを決定するための従来の手順である。ｅＮＢは、システム情報ブロックタイプ１（ＳＩＢ１：Ｓｙｓｔｅｍ  Ｉｎｆｏｒｍａｔｉｏｎ  Ｂｌｏｃｋ  Ｔｙｐｅ  １）を介してデフォルトＤＲＸ値をブロードキャストする。ＵＥは、デフォルト値よりも短いＤＲＸが必要な場合に、ＵＥ固有のＤＲＸ値をモビリティ管理エンティティ（ＭＭＥ：Ｍｏｂｉｌｉｔｙ  Ｍａｎａｇｅｍｅｎｔ  Ｅｎｔｉｔｙ）に提供できる。ＭＭＥは、ＵＥのページングをトリガするときに、ＵＥ固有のＤＲＸ値を、ページングと一緒にｅＮＢに送信する。ＵＥとｅＮＢは、両方ともデフォルトＤＲＸ値およびＵＥ固有のＤＲＸ値を知っており、最終的なＤＲＸサイクルＴは、これらのうちの最も短い値に設定される。ＵＥがＵＥ固有のＤＲＸ値を提供しない場合、最終的なＤＲＸサイクルＴはデフォルトＤＲＸ値である。
【０００９】
１つのページングフレーム（ＰＦ：Ｐａｇｉｎｇ  Ｆｒａｍｅ）は１つの無線フレームであり、１つまたは複数のページング機会（ＰＯ：Ｐａｇｉｎｇ  Ｏｃｃａｓｉｏｎ）を含んでよい。ＤＲＸが使用される場合、ＵＥは、ＤＲＸサイクルごとに１つのＰＯを監視するだけでよい。
【００１０】
１．２    ＲＲＣ＿ＣＯＮＮＥＣＴＥＤでのＵＥの場合
エボルブド汎用地上波無線アクセスネットワーク（Ｅ−ＵＴＲＡＮ：Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）では、以下の定義がＤＲＸに適用される。
・オン期間：オン期間は、ＵＥがＤＲＸから起動した後にＰＤＣＣＨを受信するのを待つ、ダウンリンクサブフレームにおける期間である。ＵＥがＰＤＣＣＨを正常にデコードした場合、ＵＥは起動したままになり、無活動タイマを開始する。
・無活動タイマ：無活動タイマは、ＵＥがＰＤＣＣＨを最後に正常にデコードしてからＰＤＣＣＨを正常にデコードするのを待つ、ダウンリンクサブフレームにおける期間であり、デコードできない場合、ＵＥは再びＤＲＸに移行する。ＵＥは、最初の送信（すなわち、再送信ではない）でのＰＤＣＣＨの１回の正常なデコーディングの後にのみ、無活動タイマを再開するものとする。
・アクティブ時間：アクティブ時間は、ＵＥが起動状態にある全期間である。アクティブ時間は、ＤＲＸサイクルの「オン期間」、無活動タイマの期限が切れていない間、ＵＥが連続的受信を実行している時間、および１つのＨＡＲＱのラウンドトリップタイム（ＲＴＴ：Ｒｏｕｎｄ  Ｔｒｉｐ  Ｔｉｍｅ）の後にＵＥがダウンリンク再送信を待機しながら連続的受信を実行している時間を含む。上記に基づいて、最小アクティブ時間はオン期間に等しい長さになり、最大アクティブ時間は規定されない（無限）。
【００１１】
上記のパラメータのうち、オン期間および無活動タイマは固定長であるが、アクティブ時間は、スケジューリングの決定およびＵＥのデコーディングの成功に基づく可変長である。オン期間および無活動タイマ期間のみが、ｅＮＢによってＵＥにシグナリングされる。
・任意の時点でＵＥにおいて適用されるＤＲＸ設定は、１つしか存在しない。
・ＵＥは、ＤＲＸスリープからの起動時に、オン期間を適用するものとする。
【００１２】
ＬＴＥにおけるＤＲＸモードが、図２に示されている。
【００１３】
ＤＲＸは、ＤＲＸとして知られる無活動時間を用いてトリガされる。図２からわかるように、オン期間時間の間にＰＤＣＣＨが受信された場合、ＵＥの活動時間が延長されてよい。ただし、ＵＥの活動時間は、媒体アクセス制御（ＭＡＣ：Ｍｅｄｉｕｍ  Ａｃｃｅｓｓ  Ｃｏｎｔｒｏｌ）ＤＲＸコマンドによって短縮されてもよく、媒体アクセス制御ＤＲＸコマンドの受信時に、ＵＥはオン期間タイマおよびＤＲＸ無活動タイマを停止する。
【００１４】
オン期間の間にＰＤＣＣＨが正常にデコードされなかった場合、ＵＥはＤＲＸ設定に従うものとする（すなわち、ＤＲＸ設定によって許可されている場合に、ＵＥはＤＲＸスリープに移行することができる）。
・これは、事前に規定されたリソースがＵＥに割り当てられているサブフレームにも適用される。
・ＵＥが最初の送信でＰＤＣＣＨを正常にデコードした場合、事前に規定されたリソースがやはりＵＥに割り当てられているサブフレームにおいてＰＤＣＣＨが正常にデコードされた場合でも、ＵＥは起動状態のままになり、無活動タイマを開始するものとし、これを、ＭＡＣ制御メッセージがＤＲＸに再び移行するようＵＥに伝えるまで、または無活動タイマの期限が切れるまで継続する。どちらの場合も、ＤＲＸに再び移行した後にＵＥが従うＤＲＸサイクルは、次のルールによって与えられる。
−  短ＤＲＸサイクルが設定された場合、ＵＥはまずこの短ＤＲＸサイクルに従い、さらに長い無活動期間の後に、ＵＥは長ＤＲＸサイクルに従う。短ＤＲＸサイクルが使用される場合、長サイクルは複数の短サイクルになる。
・長ＤＲＸおよび短ＤＲＸの期間は、ＲＲＣによって設定される。短ＤＲＸサイクルと長ＤＲＸサイクルの間の移行は、ｅＮＢ  ＭＡＣコマンドによって決定される（このコマンドが受信され、短ＤＲＸが設定されている場合、ＵＥはＤＲＸ短サイクルタイマを開始して短ＤＲＸサイクルを使用し、そうでない場合は長ＤＲＸが使用される）か、または活動タイマに基づいてＵＥによって決定される。
−  そうでない場合、ＵＥは長ＤＲＸサイクルに直接従う。
【００１５】
ネットワークによって設定されてよい、いくつかのパラメータ：
・オン期間タイマは、（ＰＤＣＣＨサブフレームにおいて）１、２、３、４、５、６、８、１０、２０、３０、４０、５０、６０、８０、１００、および２００になり得る。
・ＤＲＸ無活動タイマは、（ＰＤＣＣＨサブフレームにおいて）１、２、３、４、５、６、８、１０、２０、３０、４０、５０、６０、８０、１００、２００、３００、５００、７５０、１２８０、１９２０、および２５６０になり得る。ＵＥがデバイス内共存（ＩＤＣ：Ｉｎ−Ｄｅｖｉｃｅ  Ｃｏ−Ｅｘｉｓｔｅｎｃｅ）をサポートしている場合、特定の値が設定されてもよい。
・長ＤＲＸサイクル開始オフセットは、（サブフレームにおいて）サイクル長によって決まるが、最大２５５９である。
・短ＤＲＸサイクルは、（サブフレームにおいて）２、５、８、１０、１６、２０、３２、４０、６４、８０、１２８、１６０、２５６、３２０、５２０、および６４０である。
【００１６】
２    ＬＴＥにおけるｅＤＲＸ設定
２．１    ＲＲＣ＿ＩＤＬＥでのＵＥの場合
ＤＲＸの場合と同様に、ｅＤＲＸ設定パラメータは、非アクセス層（ＮＡＳ：Ｎｏｎ−Ａｃｃｅｓｓ  Ｓｔｒａｔｕｍ）を介してＵＥとネットワークの間で「ネゴシエート」される。ＵＥは、ｅＤＲＸパラメータを取り付け要求メッセージまたは追跡領域更新要求メッセージに含めてよい。ＵＥがｅＤＲＸパラメータ（例えば、ｅＤＲＸサイクル）を対応する要求メッセージに含めており、ネットワークがｅＤＲＸの使用をサポートおよび承認している場合、ネットワークは、ｅＤＲＸパラメータ（すなわち、ｅＤＲＸサイクル長、ページングウィンドウ長など）を取り付け承認メッセージまたは追跡領域更新承認メッセージに含めるものとする。ｅＤＲＸパラメータは、ｅＤＲＸサイクル長およびページング時間ウィンドウ（ＰＴＷ：Ｐａｇｉｎｇ  Ｔｉｍｅ  Ｗｉｎｄｏｗ）長を含む。
【００１７】
ＵＥは、ＭＭＥによって割り当てられ、ＮＡＳを介してＵＥに提供される、ＰＴＷを使用して設定される（例えば、３ＧＰＰ技術仕様書（ＴＳ：Ｔｅｃｈｎｉｃａｌ  Ｓｐｅｃｉｆｉｃａｔｉｏｎ）２４．３０１  Ｖ１３．４．０を参照）。ＰＴＷは、次によって特徴付けられる。
・規定された次の式によって計算されるページングＨ−ＳＦＷ（ＰＨ：Ｐａｇｉｎｇ  Ｈ−ＳＦＮ）。
−  Ｈ−ＳＦＮ  ｍｏｄ  ＴｅＤＲＸ＝（ＵＥ＿ＩＤ  ｍｏｄ  ＴｅＤＲＸ）
−  ＵＥ＿ＩＤ：国際移動体加入者識別番号（ＩＭＳＩ：Ｉｎｔｅｒｎａｔｉｏｎａｌ  Ｍｏｂｉｌｅ  Ｓｕｂｓｃｒｉｂｅｒ  Ｉｄｅｎｔｉｔｙ）  ｍｏｄ  １０２４
−  ＴｅＤＲＸ：ＵＥのｅＤＲＸサイクル（ハイパーフレームにおいて、ＴｅＤＲＸ＝１、２、．．．、２５６）であり、上層によって設定される
・ＰＨ内で計算されるＰＴＷ開始。
−  ＰＴＷの開始は、ＰＨ内の４つのページング開始ポイント間で均等に分散される。
−  ＰＷ＿ｓｔａｒｔは、ページングウィンドウの一部であるＰＨの最初の無線フレームを示し、次の方程式を満たすシステムフレーム番号（ＳＦＮ：Ｓｙｓｔｅｍ  Ｆｒａｍｅ  Ｎｕｍｂｅｒ）を含む。
・ＳＦＮ＝２５６＊ｉｅＤＲＸ、ここで、ｉｅＤＲＸ＝ｆｌｏｏｒ（ＵＥ＿ＩＤ／ＴｅＤＲＸ，Ｈ）  ｍｏｄ  ４
−  ＰＷ＿ｅｎｄは、ＰＴＷの最後の無線フレームであり、次の方程式を満たすＳＦＮを含む。
・ＳＦＮ＝（ＰＷ＿ｓｔａｒｔ  ＋  Ｌ＊１００  −  １）  ｍｏｄ  １０２４、ここで、
・Ｌ＝上層によって設定されたページングウィンドウ長（秒単位）
・ＰＴＷ長（さらに高い層によって設定される）。
【００１８】
ＰＴＷ内で、ＵＥは、図２に示されているように、従来のＤＲＸを使用してさらに設定される。
【００１９】
Ｈ−ＳＦＮは、従来のＳＦＮ構造の上の新しいフレーム構造として規定され、各Ｈ−ＳＦＮの値は、１０２４個の従来のフレームの１サイクルに対応し、１つのＨ−ＳＦＮサイクルは、図３に示されているように１０２４個のＨ−ＳＦＮ（１０ビット）を含んでいる。すべてのＭＭＥおよびｅＮＢは同じＨ−ＳＦＮを持ち、各セルは、そのＨ−ＳＦＮをＳＩＢ１またはＳＩＢ１ｂｉｓを介してブロードキャストする。図４は、Ｈ−ＳＦＮ、ページングウィンドウ、およびｅＤＲＸの周期性の間の関係を示している。
【００２０】
ＰＴＷは、ＭＭＥによって割り当てられ、取り付け／追跡領域更新時にＮＡＳを介してＵＥに提供される。ＰＴＷの開始は、事前に規定された式によって計算される。
【００２１】
２．２    ＲＲＣ＿ＣＯＮＮＥＣＴＥＤでのＵＥの場合
ＲＲＣ＿ＣＯＮＮＥＣＴＥＤのＵＥのｅＤＲＸ手順は、５．１２秒、１０．２８秒という２つの新しいＤＲＸサイクルが追加されていることを除き、従来の場合と同じである。
【００２２】
３    ＵＴＲＡにおけるｅＤＲＸ設定
３．１    ＵＴＲＡにおけるｅＤＲＸ
ＵＴＲＡでは、ｅＤＲＸはアイドル状態に関してのみ規定されている。ＵＴＲＡのｅＤＲＸでは、ＤＲＸサイクルは、従来のＤＲＸサイクルよりも非常に長い何らかの秒数に延長される。ＤＲＸサイクルは長いスリープ期間から成り、その後、ＵＥが起動してページング送信ウィンドウを開始し、このページング送信ウィンドウには、従来のパケット交換（ＰＳ：Ｐａｃｋｅｔ−Ｓｗｉｔｃｈｅｄ）ＤＲＸサイクルと共にＮ＿ＰＴＷ個のページング機会が存在する。これが、図５に示されている。
【００２３】
４    セルグローバル識別子（ＣＧＩ：Ｃｅｌｌ  Ｇｌｏｂａｌ  Ｉｄｅｎｔｉｆｉｅｒ）
物理セル識別子（ＰＣＩ：Ｐｈｙｓｉｃａｌ  Ｃｅｌｌ  Ｉｄｅｎｔｉｆｉｅｒ）の数が限られているため、ＰＣＩはセル間で再利用される。例えば、ＬＴＥでは５０４個のＰＣＩが存在する。したがって、ＰＣＩは、再利用されるため一意ではなく、取得されたセルのＰＣＩは、そのセルの識別に関して曖昧さをもたらすことがある。これは、「ＰＣＩの混同」としても知られている。一方、セルのＣＧＩは一意の識別子である。２つ以上のセルが同じＣＧＩを持つことはできない。したがって、ＵＥは、セルのＣＧＩを取得することによって、そのセルを明確かつ一意に識別することができる。ＰＣＩは、セルの物理信号においてエンコードされる。一方、セルのＣＧＩは、システム情報（ＳＩ：Ｓｙｓｔｅｍ  Ｉｎｆｏｒｍａｔｉｏｎ）内でセルによって送信される。ＳＩは、通常、ブロードキャストチャネル上で送信される。したがって、ＣＧＩを取得するには、ＵＥがＳＩを読み取る必要がある。
【００２４】
ＬＴＥにおいてＣＧＩを取得するには、ＵＥがマスタ情報ブロック（ＭＩＢ：Ｍａｓｔｅｒ  Ｉｎｆｏｒｍａｔｉｏｎ  Ｂｌｏｃｋ）とＳＩＢ１の両方を読み取る必要がある。ＣＧＩは、通常、自律的ギャップの間にＵＥによって取得される。
【００２５】
ＬＴＥでは、ＭＩＢは次の一連の情報を含んでいる。
・ダウンリンク帯域幅
・物理ハイブリッド自動再送要求指示チャネル（ＰＨＩＣＨ：Ｐｈｙｓｉｃａｌ  Ｈｙｂｒｉｄ  Ａｕｔｏｍａｔｉｃ  Ｒｅｐｅａｔ  Ｒｅｑｕｅｓｔ  Ｉｎｄｉｃａｔｏｒ  Ｃｈａｎｎｅｌ）設定
・ＳＦＮ
【００２６】
ＭＩＢは、４０ミリ秒（ｍｓ：ｍｉｌｌｉｓｅｃｏｎｄｓ）の周期で周期的に送信され、反復は４０ｍｓ以内に行われる。ＭＩＢの最初の送信は、ＳＦＮ  ｍｏｄ  ４＝０である無線フレームのサブフレーム番号０においてスケジュールされ、反復は他のすべての無線フレームのサブフレーム番号０においてスケジュールされる。
【００２７】
ＬＴＥでは、ＳＩＢ１は追加情報と共にＣＧＩを含んでいる。ＬＴＥのＳＩＢ１およびその他のＳＩＢメッセージは、ダウンリンク共有チャネル（ＤＬ−ＳＣＨ：Ｄｏｗｎｌｉｎｋ  Ｓｈａｒｅｄ  Ｃｈａｎｎｅｌ）上で送信される。ＳＩＢ１は、８０ｍｓの周期で送信され、反復は８０ｍｓ以内に行われる。ＳＩＢ１の最初の送信は、ＳＦＮ  ｍｏｄ  ８＝０である無線フレームのサブフレーム番号５においてスケジュールされ、反復はＳＦＮ  ｍｏｄ  ２＝０である他のすべての無線フレームのサブフレーム番号５においてスケジュールされる。
【００２８】
無線アクセス技術（ＲＡＴ：Ｒａｄｉｏ  Ａｃｃｅｓｓ  Ｔｅｃｈｎｏｌｏｇｙ）間汎用地上波無線アクセスネットワーク（ＵＴＲＡＮ：Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）の場合、ＵＥは対象のＵＴＲＡＮセルのＭＩＢおよびシステム情報ブロックタイプ３（ＳＩＢ３）を読み取ってＣＧＩを取得する。
【００２９】
ＣＧＩという用語は、エボルブド汎用地上波無線アクセス（Ｅ−ＵＴＲＡ：Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ）ＣＧＩ（ＥＣＧＩ）、ＵＴＲＡ  ＣＧＩ（Ｕ−ＣＧＩ）、グローバルセル識別子（ＩＤ：Ｉｄｅｎｔｉｆｉｅｒ）（ＧＣＩ：Ｇｌｏｂａｌ  Ｃｅｌｌ  Ｉｄｅｎｔｉｆｉｅｒ）、ＳＩ、一意のセルＩＤなどと、交換可能なように呼ばれてよい。
【００３０】
５    送信器識別子
送信器（例えば、共有セル内の送信ポイント（ＴＰ：Ｔｒａｎｓｍｉｔ  Ｐｏｉｎｔ））は、共有セル内で一意である識別子によって識別されてもよい。
【００３１】
６    共有セル
共有セルは、複数の地理的に分離されたＴＰが、ＵＥに向けたこれらの送信を動的に調整する、ダウンリンク協調マルチポイント（ＣｏＭＰ：Ｃｏｏｒｄｉｎａｔｅｄ  Ｍｕｌｔｉ−Ｐｏｉｎｔ）の一種である。共有セルの固有の特徴は、共有セル内のすべてのＴＰが同じＰＣＩを持っていることである。つまり、ＵＥは、ＰＣＩのデコーディングによってＴＰを区別することができない。ＰＣＩは、測定手順（例えば、セルの識別など）の間に取得される。
【００３２】
共有セルの標準的なデプロイメントでは、ヘテロジニアスネットワークが低電力リモート無線ヘッド（ＲＲＨ：Ｒｅｍｏｔｅ  Ｒａｄｉｏ  Ｈｅａｄｓ）をマクロセルカバレッジ内に含み、これらのＲＲＨによって作成された送信／受信ポイントはマクロセルのＰＣＩと同じＰＣＩを持っている。一般に共有セルは、低電力ノード（ＬＰＮ：Ｌｏｗ  Ｐｏｗｅｒ  Ｎｏｄｅｓ）およびサービング高電力ノード（ＨＰＮ：Ｈｉｇｈ  Ｐｏｗｅｒ  Ｎｏｄｅ）のセットから成る。共有セルの１つの例が図６に示されている。
【００３３】
共有セルのアプローチは、すべてのＴＰ上の同じセル固有の信号を、マクロセルカバレッジエリア内で分散することによって実施され得る。そのような戦略では、同じ物理信号（プライマリ同期信号（ＰＳＳ：Ｐｒｉｍａｒｙ  Ｓｙｎｃｈｒｏｎｉｚａｔｉｏｎ  Ｓｉｇｎａｌｓ）、セカンダリ同期信号（ＳＳＳ：Ｓｅｃｏｎｄａｒｙ  Ｓｙｎｃｈｒｏｎｉｚａｔｉｏｎ  Ｓｉｇｎａｌｓ）、セル固有の参照信号（ＣＲＳ：Ｃｅｌｌ  Ｓｐｅｃｉｆｉｃ  Ｒｅｆｅｒｅｎｃｅ  Ｓｉｇｎａｌｓ）、位置決定参照信号（ＰＲＳ：Ｐｏｓｉｔｉｏｎｉｎｇ  Ｒｅｆｅｒｅｎｃｅ  Ｓｉｇｎａｌｓ）など）および同じ物理チャネル（物理ブロードキャストチャネル（ＰＢＣＨ：Ｐｈｙｓｉｃａｌ  Ｂｒｏａｄｃａｓｔ  Ｃｈａｎｎｅｌ）、ページングおよびＳＩＢを含んでいる物理ダウンリンク共有チャネル（ＰＤＳＣＨ：Ｐｈｙｓｉｃａｌ  Ｄｏｗｎｌｉｎｋ  Ｓｈａｒｅｄ  Ｃｈａｎｎｅｌ）、制御チャネル（ＰＤＣＣＨ、物理制御フォーマットインジケータチャネル（ＰＣＦＩＣＨ：Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）、ＰＨＩＣＨ）など）が、ダウンリンクにおいて各ＴＰから送信される。共有セル内のＴＰ間の送信タイミングに関して、緊密な（例えば、ＴＰの任意の対間で±１００ナノ秒（ｎｓ：ｎａｎｏｓｅｃｏｎｄｓ）のオーダーでの）同期が使用される。これによって、Ｍ個のＴＰから送信された物理信号および物理チャネルを、無線で結合できるようにする。この結合は、ブロードキャスト用の単一周波数ネットワークにおいて発生することに類似している。単一周波数ネットワーク効果のため、ＵＥ側での平均受信信号強度が増大し、同期および制御チャネルのカバレッジの改善につながる。
【００３４】
例えば、ＨＰＮの最大出力電力は、通常、４３〜４９デシベルミリワット（ｄＢｍ）の範囲内である可能性がある。ＨＰＮの１つの例は、マクロノード（広域基地局とも呼ばれる）である。ＬＰＮの例は、マイクロノード（中域基地局としても知られる）、ピコノード（ローカルエリア基地局としても知られる）、フェムトノード（ホーム基地局（ＨＢＳ：Ｈｏｍｅ  Ｂａｓｅ  Ｓｔａｔｉｏｎ）としても知られる）、中継ノードなどである。通常、ＬＰＮの最大出力電力は、電力クラスに応じて、例えば２０〜３８ｄＢｍの範囲内である。例えば、ピコノードは２４ｄＢｍの最大出力電力を通常は有し、一方、ＨＢＳは２０ｄＢｍの最大出力電力を通常は有する。
【００３５】
セルの半径の観点からの共有セルのサイズは、数百メートル（例えば、１００〜５００メートル（ｍ：ｍｅｔｅｒｓ））から数キロメートル（例えば、１〜５キロメートル（ｋｍ：ｋｉｌｏｍｅｔｅｒｓ））まで、変化し得る。
【００３６】
共有セルという用語は、共通セルＩＤを持つＣｏＭＰクラスター、共通セルＩＤを持つクラスターセル、結合されたセル、ＲＲＨ、リモートラジオユニット（ＲＲＵ：Ｒｅｍｏｔｅ  Ｒａｄｉｏ  Ｕｎｉｔ）、分散アンテナシステム（ＤＡＳ：Ｄｉｓｔｒｉｂｕｔｅｄ  Ａｎｔｅｎｎａ  Ｓｙｓｔｅｍ）、共有セルＩＤを持つヘテロジニアスネットワークなどの類似する他の用語と、交換可能なように使用される。同様に、ＴＰという用語も、無線ノード、無線ネットワークノード、基地局、無線ユニット、リモートアンテナなどの類似する他の用語と、交換可能なように使用される。これらすべては、同じ意味を持っている。一貫性を保つために、本明細書では、より総称的でもある共有セルという用語が使用される。さらに、共有セル内の個々のノードに関するＴＰという用語も、一貫性を保つために使用される。
【００３７】
７    従来のシステムに関連する問題
従来のシステムでは、ネットワークノードが、任意のＰＴＷ内で（すなわち、任意のｅＤＲＸオン期間の間に）、ｅＤＲＸを使用して設定されたＵＥをスケジュールすることができる。しかし、ｅＤＲＸサイクル長は、非常に長くなり得る（例えば、最大で数分になり、将来は最大で数時間にさえなる）。連続するＰＴＷ期間とＰＴＷ期間の間に、ＵＥが、その位置を大幅に変えることがある。さらに、連続するＰＴＷ期間とＰＴＷ期間の間に、異なるＰＴＷ期間の間でサービングセルが変化しない場合でも、サービングセルの信号品質が著しく変化することがある。異なるＰＴＷ期間の間でのサービングセルにおける変化または古いサービングセルの信号品質における変化に起因して、ＵＥサービングセルの性能は、非常に一貫性がなく、予測不可能になる可能性がある。これは、ＵＥとサービングセルの間で送信される信号の損失（例えば、アップリンクおよび／またはアップリンクスケジューリンググラントなどの損失）につながることがある。
【００３８】
そのため、ＵＥがｅＤＲＸを使用して設定された場合に性能を改善するためのシステムおよび方法に対する必要性が存在する。
【発明の概要】
【００３９】
拡張間欠受信（ｅＤＲＸ）の下で動作するように設定された無線デバイスのセル検証のためのシステムおよび方法が開示される。ｅＤＲＸサイクルで動作するように設定された無線通信デバイスの動作の方法の実施形態が開示される。一部の実施形態では、この方法は、無線通信デバイスの設定に使用されたｅＤＲＸサイクルの第１のページング時間ウィンドウ（ＰＴＷ）に関連付けられた時間の間に、少なくとも１つの第１のセルの第１の識別子を取得することを含む。この方法は、無線通信デバイスの設定に使用されたｅＤＲＸサイクルの第２のＰＴＷに関連付けられた時間の間に、少なくとも１つの第２のセルの第２の識別子を取得することをさらに含む。第２のＰＴＷは、第１のＰＴＷの後に発生する。この方法は、第１の識別子が第２の識別子と同じである場合に、無線通信デバイスの無線動作の第１の種類を実行することと、第１の識別子が第２の識別子と異なる場合に、無線通信デバイスの無線動作の第２の種類を実行することとをさらに含む。このようにして、例えば無線デバイスが非常に長いｅＤＲＸサイクルを使用して設定された場合に、無線デバイスは、例えば、そのサービングセルが第１のＰＴＷと第２のＰＴＷの間で変化したかどうかを判定し、適切なアクションを起こすことができる。
【００４０】
一部の実施形態では、少なくとも１つの第１のセルは、無線通信デバイスの少なくとも１つのサービングセルである。一部の実施形態では、少なくとも１つの第２のセルは、無線通信デバイスによって測定された、少なくとも１つの最強のセルである。
【００４１】
一部の実施形態では、第１のＰＴＷに関連付けられる時間は、第１のＰＴＷの間の時間、第１のＰＴＷの直前の時間、および第１のＰＴＷの直後の時間のうちの１つである。一部の実施形態では、第２のＰＴＷに関連付けられる時間は、第１のＰＴＷの間の時間および第１のＰＴＷの直前の時間のうちの１つである。
【００４２】
一部の実施形態では、少なくとも１つの第１のセルの第１の識別子は、少なくとも１つの第１のセルの第１のセルグローバル識別子（ＣＧＩ）であり、少なくとも１つの第２のセルの第２の識別子は、少なくとも１つの第２のセルの第２のＣＧＩである。
【００４３】
一部の実施形態では、少なくとも１つの第１のセルは無線通信デバイスの少なくとも１つのサービングセルであり、少なくとも１つの第２のセルは無線通信デバイスによって測定された少なくとも１つの最強のセルであり、無線通信デバイスの無線動作の第１の種類は、少なくとも１つの第２のセル上で実行される無線通信デバイスの無線動作であり、これらの無線動作は、第１のＰＴＷの間に無線通信デバイスが少なくとも１つのサービングセルによってサービングされたときに、少なくとも１つのサービングセル上で無線通信デバイスによって実行される無線動作と同じである。
【００４４】
一部の実施形態では、少なくとも１つの第１のセルは無線通信デバイスの少なくとも１つのサービングセルであり、少なくとも１つの第２のセルは無線通信デバイスによって測定された少なくとも１つの最強のセルであり、第１の識別子が第２の識別子と同じ場合に無線通信デバイスの無線動作の第１の種類を実行することは、少なくとも１つの第２のセルの信号に対して１つまたは複数の無線測定を実行することを含む。
【００４５】
一部の実施形態では、少なくとも１つの第１のセルは無線通信デバイスの少なくとも１つのサービングセルであり、少なくとも１つの第２のセルは無線通信デバイスによって測定された少なくとも１つの最強のセルであり、第１の識別子が第２の識別子と同じ場合に無線通信デバイスの無線動作の第１の種類を実行することは、１つまたは複数の隣接セルの信号に対して１つまたは複数の無線測定を実行することを含む。
【００４６】
一部の実施形態では、少なくとも１つの第１のセルは無線通信デバイスの少なくとも１つのサービングセルであり、少なくとも１つの第２のセルは無線通信デバイスによって測定された少なくとも１つの最強のセルであり、第１の識別子が第２の識別子と同じ場合に無線通信デバイスの無線動作の第１の種類を実行することは、少なくとも１つの第２のセルに対して、無線通信デバイスのサービングセルに関連する１つまたは複数のタスクを実行することを含む。
【００４７】
一部の実施形態では、少なくとも１つの第１のセルは無線通信デバイスの少なくとも１つのサービングセルであり、少なくとも１つの第２のセルは無線通信デバイスによって測定された少なくとも１つの最強のセルであり、第１の識別子が第２の識別子と同じ場合に無線通信デバイスの無線動作の第１の種類を実行することは、少なくとも１つの第２のセルの信号に対して無線リンク監視（ＲＬＭ：Ｒａｄｉｏ  Ｌｉｎｋ  Ｍｏｎｉｔｏｒｉｎｇ）を実行することと、少なくとも１つの第２のセルの１つまたは複数の制御チャネルを受信することと、ネットワークノードから受信されたスケジューリング情報に基づいて、少なくとも１つの第２のセルに信号を送信することおよび／または少なくとも１つの第２のセルから信号を受信することと、少なくとも１つの第１のセルおよび少なくとも１つの第２のセルが同じであることをネットワークノードに知らせる指示をネットワークノードに送信することとから成るグループのうちの少なくとも１つを実行することを含む。
【００４８】
一部の実施形態では、少なくとも１つの第１のセルは無線通信デバイスの少なくとも１つのサービングセルであり、少なくとも１つの第２のセルは無線通信デバイスによって測定された少なくとも１つの最強のセルであり、第１の識別子が第２の識別子と異なる場合に無線通信デバイスの無線動作の第２の種類を実行することは、少なくとも１つの第２のセルの信号に対してＲＬＭを実行することを抑制することと、少なくとも１つの第２のセルから受信されたスケジューリンググラントを無視することと、少なくとも１つの第２のセル上でアップリンクにおいてデータを送信することを抑制することと、無線通信デバイスが接続状態である場合にアイドルモードに移行することと、少なくとも１つの第２のセルが、少なくとも１つの第１のセルの追跡領域または登録領域と比較して異なる追跡領域または登録領域に属しているかどうかに基づいて、無線通信デバイスが無線通信デバイスの追跡領域または登録領域を変更する必要があるかどうかを判定することと、少なくとも１つの第２のセルが無線通信デバイスの以前の追跡領域に属していない場合に追跡領域更新を実行することと、接続再確立を開始して、無線通信デバイスの少なくとも１つの新しいサービングセルとして少なくとも１つの第２のセルとの接続を再確立することと、少なくとも１つの第１のセルおよび少なくとも１つの第２のセルが異なることをネットワークノードに知らせる指示をネットワークノードに送信することと、少なくとも１つの第２のセルに対して実行された測定の測定結果をネットワークノードに送信することとから成るグループのうちの少なくとも１つを実行することを含む。
【００４９】
一部の実施形態では、この方法は、無線通信デバイスの設定に使用されたｅＤＲＸサイクルの第１のＰＴＷに関連付けられた時間の間に、少なくとも１つの第１のセルに関連付けられた第１の送信器の第３の識別子を取得することと、無線通信デバイスの設定に使用されたｅＤＲＸサイクルの第２のＰＴＷに関連付けられた時間の間に、少なくとも１つの第２のセルに関連付けられた第２の送信器の第４の識別子を取得することとをさらに含む。この方法は、第３の識別子が第４の識別子と同じである場合に、無線通信デバイスの無線動作の第３の種類を実行することと、第３の識別子が第４の識別子と異なる場合に、無線通信デバイスの無線動作の第４の種類を実行することとをさらに含む。さらに、一部の実施形態では、少なくとも１つの第１のセルは、複数の第１の送信ポイント（ＴＰ）を含んでいる少なくとも１つの第１の共有セルであり、第１の送信器は、第１の事前に規定された基準を満たす複数の第１のＴＰのうちのＴＰである。さらに、一部の実施形態では、少なくとも１つの第２のセルは、複数の第２のＴＰを含んでいる少なくとも１つの第２の共有セルであり、第２の送信器は、第２の事前に規定された基準を満たす複数の第２のＴＰのうちのＴＰである。一部の実施形態では、第１の事前に規定された基準は、複数の第１のＴＰのうち、無線通信デバイスによって測定された最強のＴＰであることであるか、または第１の事前に規定されたしきい値よりも弱くないことであり、第２の事前に規定された基準は、複数の第２のＴＰのうち、無線通信デバイスによって測定された最強のＴＰであることであるか、または第２の事前に規定されたしきい値よりも弱くないことである。
【００５０】
一部の実施形態では、第３の識別子が第４の識別子と同じである場合に無線通信デバイスの無線動作の第３の種類を実行することは、第２の送信器の信号に対してＲＬＭを実行することと、第２の送信器の信号に対して１つまたは複数の無線測定を実行することと、１つまたは複数の隣接セルの信号に対して１つまたは複数の無線測定を実行することと、第２の送信器の１つまたは複数の制御チャネル受信することと、ネットワークノードから受信されたスケジューリング情報に基づいて第２の送信器に信号を送信することおよび／または第２の送信器から信号を受信することと、第１の送信器および第２の送信器が同じであることをネットワークノードに知らせる指示をネットワークノードに送信することと、第２の送信器において、無線通信デバイスのサービングセルに関連する１つまたは複数のタスクを実行することとから成るグループのうちの少なくとも１つを実行することを含む。
【００５１】
一部の実施形態では、第３の識別子が第４の識別子と異なる場合に無線通信デバイスの無線動作の第４の種類を実行することは、第２の送信器の信号に対してＲＬＭを実行することを抑制することと、第２の送信器から受信されたスケジューリンググラントを無視することと、アップリンクにおいて第２の送信器へデータを送信することを抑制することと、無線通信デバイスが接続状態である場合にアイドルモードに移行することと、第２の送信器が、第１の送信器の追跡領域または登録領域と比較して異なる追跡領域または登録領域に属しているかどうかに基づいて、無線通信デバイスが無線通信デバイスの追跡領域または登録領域を変更する必要があるかどうかを判定することと、第２の送信器が無線通信デバイスの以前の追跡領域に属していない場合に追跡領域更新を実行することと、接続再確立を開始して、無線通信デバイスのサービングＴＰとして第２の送信器との接続を再確立することと、第１の送信器および第２の送信器が異なることをネットワークノードに知らせる指示をネットワークノードに送信することと、第２の送信器において実行された測定の測定結果をネットワークノードに送信することとから成るグループのうちの少なくとも１つを実行することを含む。
【００５２】
無線通信デバイスの実施形態も開示される。一部の実施形態では、ｅＤＲＸサイクルで動作するように設定された無線通信デバイスは、無線通信デバイスの設定に使用されたｅＤＲＸサイクルの第１のＰＴＷに関連付けられた時間の間に、少なくとも１つの第１のセルの第１の識別子を取得することと、無線通信デバイスの設定に使用されたｅＤＲＸサイクルの第２のＰＴＷに関連付けられた時間の間に、少なくとも１つの第２のセルの第２の識別子を取得することとを実行するように適合される。第２のＰＴＷは、第１のＰＴＷの後に発生する。無線通信デバイスは、第１の識別子が第２の識別子と同じである場合に、無線通信デバイスの無線動作の第１の種類を実行することと、第１の識別子が第２の識別子と異なる場合に、無線通信デバイスの無線動作の第２の種類を実行することとを実行するようにさらに適合される。
【００５３】
一部の実施形態では、無線通信デバイスは、本明細書で開示された無線通信デバイスの動作の方法の実施形態のうちのいずれか１つに従って動作するように、さらに適合される。
【００５４】
一部の実施形態では、ｅＤＲＸサイクルで動作するように設定された無線通信デバイスは、トランシーバと、１つまたは複数のプロセッサと、１つまたは複数のプロセッサによって実行可能な命令を含んでいるメモリとを備えており、これによって無線通信デバイスは、無線通信デバイスの設定に使用されたｅＤＲＸサイクルの第１のＰＴＷに関連付けられた時間の間に、少なくとも１つの第１のセルの第１の識別子を取得することと、無線通信デバイスの設定に使用されたｅＤＲＸサイクルの第２のＰＴＷであって、第１のＰＴＷの後に発生する第２のＰＴＷに関連付けられた時間の間に、少なくとも１つの第２のセルの第２の識別子を取得することと、第１の識別子が第２の識別子と同じである場合に無線通信デバイスの無線動作の第１の種類を実行することと、第１の識別子が第２の識別子と異なる場合に無線通信デバイスの無線動作の第２の種類を実行することとを実行するよう動作可能である。
【００５５】
コンピュータプログラムの実施形態も開示される。一部の実施形態では、コンピュータプログラムは命令を含み、これらの命令は、少なくとも１つのプロセッサ上で実行された場合、少なくとも１つのプロセッサに、本明細書で開示された実施形態のうちのいずれか１つに従って無線通信デバイスの動作の方法を実行させる。一部の実施形態では、前述のコンピュータプログラムを含んでいるキャリアも開示され、このキャリアは、電子信号、光信号、無線信号、またはコンピュータ可読記憶媒体のうちの１つである。
【００５６】
ネットワークノードの動作の方法の実施形態も開示される。一部の実施形態では、セルラー通信ネットワーク用のネットワークノードの動作の方法は、無線通信デバイスの設定に使用されたｅＤＲＸサイクルの第１のＰＴＷに関連付けられた時間の間に、無線通信デバイスの少なくとも１つの第１のセルの第１の識別子を取得することと、無線通信デバイスの設定に使用されたｅＤＲＸサイクルの第２のＰＴＷに関連付けられた時間の間に、無線通信デバイスの少なくとも１つの第２のセルの第２の識別子を取得することとを含む。第２のＰＴＷは、第１のＰＴＷの後に発生する。この方法は、第１の識別子が第２の識別子と同じである場合に、ネットワークノードの無線動作の第１の種類を実行することと、第１の識別子が第２の識別子と異なる場合に、ネットワークノードの無線動作の第２の種類を実行することとをさらに含む。
【００５７】
一部の実施形態では、少なくとも１つの第１のセルは、無線通信デバイスの少なくとも１つのサービングセルである。一部の実施形態では、少なくとも１つの第２のセルは、無線通信デバイスによって測定された、少なくとも１つの最強のセルである。
【００５８】
一部の実施形態では、第１のＰＴＷに関連付けられる時間は、第１のＰＴＷの間の時間、第１のＰＴＷの直前の時間、および第１のＰＴＷの直後の時間のうちの１つである。一部の実施形態では、第２のＰＴＷに関連付けられる時間は、第１のＰＴＷの間の時間および第１のＰＴＷの直前の時間のうちの１つである。
【００５９】
一部の実施形態では、少なくとも１つの第１のセルの第１の識別子は、少なくとも１つの第１のセルの第１のＣＧＩであり、少なくとも１つの第２のセルの第２の識別子は、少なくとも１つの第２のセルの第２のＣＧＩである。
【００６０】
一部の実施形態では、少なくとも１つの第１のセルは無線通信デバイスの少なくとも１つのサービングセルであり、少なくとも１つの第２のセルは無線通信デバイスによって測定された少なくとも１つの最強のセルであり、ネットワークノードの無線動作の第１の種類は、ネットワークノードによって少なくとも１つの最強のセルに対して実行されるネットワークノードの無線動作であり、これらの無線動作は、第１のＰＴＷの間に無線通信デバイスが少なくとも１つのサービングセルによってサービングされたときに、少なくとも１つのサービングセルに対してネットワークノードによって実行される無線動作と同じである。
【００６１】
一部の実施形態では、少なくとも１つの第１のセルは無線通信デバイスの少なくとも１つのサービングセルであり、少なくとも１つの第２のセルは無線通信デバイスによって測定された少なくとも１つの最強のセルであり、第１の識別子が第２の識別子と同じである場合にネットワークノードの無線動作の第１の種類を実行することは、無線通信デバイスが少なくとも１つの第２のセルの信号に対してＲＬＭを実行できるようにするために、１つまたは複数のパラメータを使用して無線通信デバイスを設定することと、少なくとも１つの第２のセルを無線通信デバイスの新しいサービングセルにするための遅延なしで、少なくとも１つの第２のセル上のアップリンクおよび／またはダウンリンクにおいて無線通信デバイスをスケジュールすることと、無線通信デバイスが少なくとも１つの第１のセルおよび少なくとも１つの第２のセルを同じであるとして識別したことをネットワークノードに知らせる指示を無線通信デバイスから受信することと、１つまたは複数の測定結果を無線通信デバイスから受信して、少なくとも１つの第２のセルにおいてスケジュールするために１つまたは複数の測定を１つまたは複数の動作に対して使用することとから成るグループのうちの少なくとも１つを実行することを含む。
【００６２】
一部の実施形態では、少なくとも１つの第１のセルは無線通信デバイスの少なくとも１つのサービングセルであり、少なくとも１つの第２のセルは無線通信デバイスによって測定された少なくとも１つの最強のセルであり、第１の識別子が第２の識別子と異なる場合にネットワークノードの無線動作の第２の種類を実行することは、少なくとも１つの第２のセル内でのアップリンクおよび／またはダウンリンクデータ送信に関して無線通信デバイスをスケジュールすることを抑制することと、少なくとも１つの第２のセルを無線通信デバイスの新しいサービングセルにするための遅延の後にのみ、少なくとも１つの第２のセル内でのアップリンクおよび／またはダウンリンクデータ送信に関して無線通信デバイスをスケジュールすることと、少なくとも１つの第２のセルとの接続を確立するために、無線通信デバイスからのランダムアクセスメッセージまたはメッセージの受信を準備することと、無線通信デバイスが少なくとも１つの第２のセルとの接続を確立していない限り、無線通信デバイスによって送信されたデータを無視することと、少なくとも１つの第１のセルおよび少なくとも１つの第２のセルが同じでないことをネットワークノードに知らせるメッセージを無線通信デバイスから受信することを準備することとから成るグループのうちの少なくとも１つを実行することを含む。
【００６３】
一部の実施形態では、この方法は、無線通信デバイスの設定に使用されたｅＤＲＸサイクルの第１のＰＴＷに関連付けられた時間の間に、少なくとも１つの第１のセルに関連付けられた第１の送信器の第３の識別子を決定することと、無線通信デバイスの設定に使用されたｅＤＲＸサイクルの第２のＰＴＷに関連付けられた時間の間に、少なくとも１つの第２のセルに関連付けられた第２の送信器の第４の識別子を決定することとをさらに含む。この方法は、第３の識別子が第４の識別子と同じである場合に、ネットワークノードの無線動作の第３の種類を実行することと、第３の識別子が第４の識別子と異なる場合に、ネットワークノードの無線動作の第４の種類を実行することとをさらに含む。一部の実施形態では、少なくとも１つの第１のセルは、複数の第１のＴＰを含んでいる少なくとも１つの第１の共有セルであり、第１の送信器は、第１の事前に規定された基準を満たす複数の第１のＴＰのうちのＴＰである。一部の実施形態では、少なくとも１つの第２のセルは、複数の第２のＴＰを含んでいる少なくとも１つの第２の共有セルであり、第２の送信器は、第２の事前に規定された基準を満たす複数の第２のＴＰのうちのＴＰである。一部の実施形態では、第１の事前に規定された基準は、複数の第１のＴＰのうちの、無線通信デバイスによって測定された最強のＴＰであることであるか、または第１の事前に規定されたしきい値よりも弱くないことであり、第２の事前に規定された基準は、複数の第２のＴＰのうちの、無線通信デバイスによって測定された最強のＴＰであることであるか、または第２の事前に規定されたしきい値よりも弱くないことである。
【００６４】
一部の実施形態では、第３の識別子が第４の識別子と同じである場合にネットワークノードの無線動作の第３の種類を実行することは、無線通信デバイスが第２の送信器の信号に対してＲＬＭを実行できるようにするために、１つまたは複数のパラメータを使用して無線通信デバイスを設定することと、少なくとも１つの第２のセルを無線通信デバイスの新しいサービングセルにするための遅延なしで、少なくとも１つの第２のセル上のアップリンクおよび／またはダウンリンクにおいて無線通信デバイスをスケジュールすることと、無線通信デバイスが少なくとも１つの第１のセルおよび少なくとも１つの第２のセルを同じであるとして識別したことをネットワークノードに知らせる指示を無線通信デバイスから受信することと、１つまたは複数の測定結果を無線通信デバイスから受信して、少なくとも１つの第２のセルにおいてスケジュールするために１つまたは複数の測定を１つまたは複数の動作に対して使用することとから成るグループのうちの少なくとも１つを実行することを含む。
【００６５】
一部の実施形態では、第３の識別子が第４の識別子と異なる場合にネットワークノードの無線動作の第４の種類を実行することは、少なくとも１つの第２のセル内でのアップリンクおよび／またはダウンリンクデータ送信に関して無線通信デバイスをスケジュールすることを抑制することと、少なくとも１つの第２のセルを無線通信デバイスの新しいサービングセルにするための遅延の後にのみ、少なくとも１つの第２のセル内でのアップリンクおよび／またはダウンリンクデータ送信に関して無線通信デバイスをスケジュールすることと、少なくとも１つの第２のセルとの接続を確立するために、無線通信デバイスからのランダムアクセスメッセージまたはメッセージの受信を準備することと、無線通信デバイスが少なくとも１つの第２のセルとの接続を確立していない限り、無線通信デバイスによって送信されたデータを無視することと、少なくとも１つの第１のセルおよび少なくとも１つの第２のセルが同じでないことをネットワークノードに知らせるメッセージを無線通信デバイスから受信することを準備することとから成るグループのうちの少なくとも１つを実行することを含む。
【００６６】
ネットワークノードの実施形態も開示される。一部の実施形態では、セルラー通信ネットワーク用のネットワークノードは、無線通信デバイスの設定に使用されたｅＤＲＸサイクルの第１のＰＴＷに関連付けられた時間の間に、無線通信デバイスの少なくとも１つの第１のセルの第１の識別子を取得することと、無線通信デバイスの設定に使用されたｅＤＲＸサイクルの第２のＰＴＷに関連付けられた時間の間に、無線通信デバイスの少なくとも１つの第２のセルの第２の識別子を取得することとを実行するように適合される。第２のＰＴＷは、第１のＰＴＷの後に発生する。ネットワークノードは、第１の識別子が第２の識別子と同じである場合に、ネットワークノードの無線動作の第１の種類を実行することと、第１の識別子が第２の識別子と異なる場合に、ネットワークノードの無線動作の第２の種類を実行することとを実行するようにさらに適合される。
【００６７】
一部の実施形態では、ネットワークノードは、本明細書で開示されたネットワークノードの動作の方法の実施形態のうちのいずれか１つに従って動作するように、さらに適合される。
【００６８】
一部の実施形態では、セルラー通信ネットワーク用のネットワークノードは、１つまたは複数のプロセッサと、１つまたは複数のプロセッサによって実行可能な命令を含んでいるメモリとを備えており、これによってネットワークノードは、無線通信デバイスの設定に使用されたｅＤＲＸサイクルの第１のＰＴＷに関連付けられた時間の間に、無線通信デバイスの少なくとも１つの第１のセルの第１の識別子を取得することと、無線通信デバイスの設定に使用されたｅＤＲＸサイクルの第２のＰＴＷであって、第１のＰＴＷの後に発生する第２のＰＴＷに関連付けられた時間の間に、無線通信デバイスの少なくとも１つの第２のセルの第２の識別子を取得することと、第１の識別子が第２の識別子と同じである場合にネットワークノードの無線動作の第１の種類を実行することと、第１の識別子が第２の識別子と異なる場合にネットワークノードの無線動作の第２の種類を実行することとを実行するよう動作可能である。
【００６９】
コンピュータプログラムの実施形態も開示される。一部の実施形態では、コンピュータプログラムは命令を含み、これらの命令は、少なくとも１つのプロセッサ上で実行された場合、少なくとも１つのプロセッサに、本明細書で開示された実施形態のうちのいずれか１つに従ってネットワークノードの動作の方法を実行させる。一部の実施形態では、前述のコンピュータプログラムを含んでいるキャリアも開示され、このキャリアは、電子信号、光信号、無線信号、またはコンピュータ可読記憶媒体のうちの１つである。
【００７０】
当業者は、添付の図面と併せて以下の実施形態の詳細な説明を読んだ後に、本開示の範囲を認識し、本開示のその他の態様を理解するであろう。
【００７１】
本明細書に包含され、本明細書の一部を形成している添付の図面は、本開示の複数の態様を示しており、実施形態の詳細な説明と共に、本開示の原理を説明するのに役立つ。
【図面の簡単な説明】
【００７２】
【図１】ロングタームエボリューション（ＬＴＥ）においてアイドル間欠受信（ＤＲＸ）サイクルを決定するための従来の手順を示す図である。
【図２】ＬＴＥにおけるＤＲＸモードを示す図である。
【図３】ＬＴＥにおけるハイパーシステムフレーム番号（Ｈ−ＳＦＮ）構造を示す図である。
【図４】Ｈ−ＳＦＮ、ページングウィンドウ、および拡張ＤＲＸ（ｅＤＲＸ）の周期性の間の関係を示す図である。
【図５】汎用地上波無線アクセス（ＵＴＲＡ）におけるｅＤＲＸを示す図である。
【図６】共有セルの１つの例を示す図である。
【図７】本開示の実施形態が実施されてよいセルラー通信ネットワークの１つの例を示す図である。
【図８】無線通信デバイスの１つの例を示す図である。
【図９】無線アクセスノードの１つの例を示す図である。
【図１０】本開示の一部の実施形態に記載された、ｅＤＲＸ動作の下でのサービングセル検証のための無線通信デバイス（例えば、ユーザ機器デバイス（ＵＥ））における方法を示すフローチャートである。
【図１１】本開示の一部の実施形態に記載された、ｅＤＲＸ動作の下での無線デバイス（例えば、ＵＥ）のサービングセルの検証のためのネットワークノード（例えば、無線アクセスノード）における方法を示すフローチャートである。
【発明を実施するための形態】
【００７３】
下に示された実施形態では、当業者が実施形態を実践できるようにする情報を表し、実施形態を実践する最良の方法を説明する。当業者は、添付の図面に照らして以下の説明を読んだ後に、本開示の概念を理解し、本明細書では具体的に対処されていないこれらの概念の応用を認識するであろう。これらの概念および応用が、本開示の範囲および添付の特許請求の範囲に含まれることを理解されたい。
【００７４】
以下の説明では、多数の具体的な詳細が示される。ただし、これらの具体的な詳細がなくても、本開示の実施形態が実践されてよいことを理解されたい。他の例では、本説明の理解を不明瞭にしないために、よく知られた回路、構造、および技術は詳細に示されていない。当業者は、記載された説明に従って、過度な実験を行わずに適切な機能を実装できるであろう。
【００７５】
本明細書における「一実施形態」、「実施形態」、「実施形態例」などへの参照は、記載された実施形態が特定の特徴、構造、または特性を含むことができるが、必ずしもすべての実施形態が特定の特徴、構造、または特性を含むことができるわけではないことを示している。さらに、そのような語句は必ずしも同じ実施形態を参照していない。また、特定の特徴、構造、または特性がある実施形態に関連して説明される場合、明示的に説明されるかどうかに関わらず、他の実施形態に関連してそのような特徴、構造、または特性を実装することは、当業者の知識の範囲内にあると考えられる。
【００７６】
以下の説明および特許請求の範囲では、「結合された」および「接続された」という用語が、これらの派生語と共に、使用されることがある。これらの用語は、互いに同義語であることは意図されていないことを理解されたい。「結合された」は、互いに物理的または電気的に直接接触している場合もあれば、接触していない場合もある２つ以上の要素が、互いに連携または相互作用していることを示すために使用される。「接続された」は、相互に結合された２つ以上の要素間の通信の確立を示すために使用される。
【００７７】
電子デバイス（例えば、終端局、ネットワークデバイス）は、持続性機械可読媒体（例えば、磁気ディスク、光ディスク、読み取り専用メモリ、フラッシュメモリデバイス、相変化メモリなどの機械可読記憶媒体）および一時的機械可読伝送媒体（例えば、電気、光、音、またはその他の形態の、搬送波、赤外線信号などの伝搬信号）などの機械可読媒体を使用して、（ソフトウェア命令から成る）コードおよびデータを（内部に、および／またはネットワークを経由して他の電子デバイスに）格納および送信する。加えて、そのような電子デバイスは、１つまたは複数の持続性機械可読媒体（コードおよび／またはデータを格納するため）、ユーザ入出力デバイス（例えば、キーボード、タッチスクリーン、および／またはディスプレイ）、およびネットワーク接続（伝搬信号を使用してコードおよび／またはデータを送信するため）などの、１つまたは複数の他のコンポーネントに結合された１つまたは複数のプロセッサのセットなどのハードウェアを含む。プロセッサのセットおよびその他のコンポーネントの結合は、通常、１つまたは複数のバスおよびブリッジ（バスコントローラとも呼ばれる）を介する。したがって、特定の電子デバイスの持続性機械可読媒体は、通常、その電子デバイスの１つまたは複数のプロセッサ上で実行するための命令を格納する。本開示の実施形態の１つまたは複数の部分は、ソフトウェア、ファームウェア、および／またはハードウェアのさまざまな組み合わせを使用して実装されてよい。
【００７８】
ネットワークノードは、本明細書において使用されるとき、ネットワーク上の他の機器（例えば、他のネットワークデバイス、終端局）を通信によって相互接続するハードウェアおよびソフトウェアを含んでいる、１つのネットワーク機器である。一部のネットワークデバイスは、多重ネットワーク機能（例えば、ルーティング、ブリッジ、スイッチング、レイヤ２アグリゲーション、セッション境界制御、サービス品質（ＱｏＳ：Ｑｕａｌｉｔｙ  ｏｆ  Ｓｅｒｖｉｃｅ）、および／または加入者管理）のサポートを提供し、かつ／または多重アプリケーションサービス（例えばデータ、音声、およびビデオ）のサポートを提供する「多重サービスネットワークデバイス」である。加入者終端局（例えば、サーバ、ワークステーション、ラップトップ、ネットブック、パームトップ、携帯電話、スマートフォン、マルチメディアフォン、ボイスオーバーインターネットプロトコル（ＶｏＩＰ：Ｖｏｉｃｅ  Ｏｖｅｒ  Ｉｎｔｅｒｎｅｔ  Ｐｒｏｔｏｃｏｌ）電話、ユーザ機器デバイス（ＵＥ）、端末、ポータブルメディアプレイヤー、全地球測位システム（ＧＰＳ：Ｇｌｏｂａｌ  Ｐｏｓｉｔｉｏｎｉｎｇ  Ｓｙｓｔｅｍ）ユニット、ゲームシステム、セットトップボックス）は、インターネットを経由して提供されるコンテンツ／サービスおよび／またはインターネット上にオーバーレイされた（例えば、インターネットをトンネルする）仮想プライベートネットワーク（ＶＰＮ：Ｖｉｒｔｕａｌ  Ｐｒｉｖａｔｅ  Ｎｅｔｗｏｒｋｓ）上で提供されるコンテンツ／サービスにアクセスする。コンテンツおよび／またはサービスは、サービスプロバイダまたはコンテンツプロバイダに属している１つまたは複数の終端局（例えば、サーバ終端局）あるいはピアツーピアサービスに参加している終端局によって通常は提供され、例えば、パブリックなＷｅｂページ（例えば、無料コンテンツ、ストアフロント、検索サービス）、プライベートなＷｅｂページ（例えば、電子メールサービスを提供する、ユーザ名／パスワードを使用してアクセスされるＷｅｂページ）、および／またはＶＰＮを経由する企業ネットワークを含んでよい。通常、加入者終端局は、（例えば、アクセスネットワークに（有線または無線で）結合された加入者宅内機器を介して）エッジネットワークデバイスに結合され、これらのエッジネットワークデバイスは、他の終端局（例えば、サーバ終端局）に結合された他のエッジネットワークデバイスに（例えば、１つまたは複数のコアネットワークデバイスを介して）結合される。当業者は、任意のネットワークデバイス、終端局、またはその他のネットワーク装置が、本明細書に記載されたさまざまな機能を実行できることを理解するであろう。
【００７９】
本明細書で開示された実施形態によれば、ＵＥは、拡張間欠受信（ｅＤＲＸ）サイクル（例えば、数分または数時間）を使用して設定された場合、ページング時間ウィンドウ（ＰＴＷ）の開始時に、最初に、このＵＥが１つまたは複数の動作を実行しようとしているサービングセルおよび隣接セルのうちの１つまたは両方を独自に検証する。１つの例では、この検証は、セルのセルグローバル識別子（ＩＤ）（ＣＧＩ）を取得することと、セルが以前のＰＴＷの間と同じ状態を有しているかどうかを検証することとを含んでよい。ＵＥは、この比較の結果に基づいて、１つまたは複数の動作を実行する。ＵＥは、共有セル内の検証されたセルに関連付けられた送信器（例えば、送信ポイント（ＴＰ））をさらに検証してよい。例えばＵＥから受信された指示に基づいて、ＵＥをサービングするネットワークノードにおいて、同様の手順も適用される。
【００８０】
実施形態は、ＵＥおよび／またはネットワークノードにおいて実装され得る。
【００８１】
説明された解決策は、任意の適切な通信規格をサポートし、任意の適切なコンポーネントを使用する、任意の適切な種類の通信システムにおいて実装されてよいが、説明された解決策の特定の実施形態は、図７に示されているようなロングタームエボリューション（ＬＴＥ）ネットワーク１０において実装されてよい。図７に示されているように、ネットワーク１０の例は、無線通信デバイス１２（例えば、従来のＵＥ、マシンタイプ通信（ＭＴＣ：Ｍａｃｈｉｎｅ  Ｔｙｐｅ  Ｃｏｍｍｕｎｉｃａｔｉｏｎ）／マシンツーマシン（Ｍ２Ｍ）ＵＥなど）の１つまたは複数の例、およびこれらの無線通信デバイス１２と通信できる１つまたは複数の無線アクセスノード１４（例えば、エボルブドノードＢ（ｅＮＢ）またはその他の基地局）に加え、無線通信デバイス１２間の通信または無線通信デバイス１２と別の通信デバイス（固定電話など）の間の通信をサポートするのに適した任意の追加要素を含んでよい。無線アクセスノード１４は、対応するセル１６を提供する。無線アクセスノード１４はコアネットワーク１８に接続され、コアネットワーク１８は、複数のコアネットワークノード（例えば、モビリティ管理エンティティ（ＭＭＥ）、サービングゲートウェイ（Ｓ−ＧＷ：Ｓｅｒｖｉｎｇ  Ｇａｔｅｗａｙｓ）、パケットデータネットワークゲートウェイ（Ｐ−ＧＷ：Ｐａｃｋｅｔ  Ｄａｔａ  Ｎｅｔｗｏｒｋ  Ｇａｔｅｗａｙｓ）など）を含んでいる。
【００８２】
示された無線通信デバイス１２は、ハードウェアおよび／またはソフトウェアの任意の適切な組み合わせを含む通信デバイスを表してよいが、これらの無線通信デバイス１２は、特定の実施形態では、図８でさらに詳細に示されている無線通信デバイス１２の例などのデバイスを表してよい。図８の例では、無線通信デバイス１２はＵＥであり、そのため、ＵＥ１２として参照されている。ただし、本明細書におけるＵＥ１２の説明が、任意の種類の無線通信デバイス１２に、さらに一般的に適用可能であることに留意されたい。同様に、示された無線アクセスノード１４は、ハードウェアおよび／またはソフトウェアの任意の適切な組み合わせを含むネットワークノードを表してよいが、これらのノードは、特定の実施形態では、図９でさらに詳細に示されている無線アクセスノード１４の例などのデバイスを表してよい。図９の例では、無線アクセスノード１４は基地局であり、そのため、基地局１４として参照されている。ただし、本明細書における基地局１４の説明が、任意の種類の無線アクセスノード１４に、さらに一般的に適用可能であることに留意されたい。
【００８３】
図８は、説明された非限定的な実施形態例のうちの１つまたは複数において使用され得る、１つの実施形態例に従うＵＥ１２（例えば、モバイルデバイス）のブロック図である。ＵＥ１２は、ＵＥ１２の動作を制御する処理モジュール２０を備えている。当業者によって理解されるであろうように、処理モジュール２０は、１つまたは複数のプロセッサまたは処理回路（例えば、中央処理装置（ＣＰＵ：Ｃｅｎｔｒａｌ  Ｐｒｏｃｅｓｓｉｎｇ  Ｕｎｉｔ（ｓ））、特定用途向け集積回路（ＡＳＩＣ：Ａｐｐｌｉｃａｔｉｏｎ  Ｓｐｅｃｉｆｉｃａｔｉｏｎ  Ｉｎｔｅｇｒａｔｅｄ  Ｃｉｒｃｕｉｔ（ｓ））、デジタル信号プロセッサ（ＤＳＰ：Ｄｉｇｉｔａｌ  Ｓｉｇｎａｌ  Ｐｒｏｃｅｓｓｏｒ（ｓ））、フィールドプログラマブルゲートアレイ（ＦＰＧＡ：Ｆｉｅｌｄ  Ｐｒｏｇｒａｍｍａｂｌｅ  Ｇａｔｅ  Ａｒｒａｙ（ｓ））、および／または同様のもの）を含む。処理モジュール２０は、関連するアンテナ２４を備える受信器またはトランシーバモジュール２２に接続され、アンテナ２４は、ネットワーク１０内で、無線アクセスノード１４から信号を受信するため、または無線アクセスノード１４に信号を送信することと無線アクセスノード１４から信号を受信することの両方を行うために使用される。当業者によって理解されるであろうように、トランシーバモジュール２２は、さまざまなアナログ回路および場合によってはデジタル回路（例えば、増幅器、フィルタ、ミキサー、アナログ／デジタル（Ａ／Ｄ：Ａｎａｌｏｇ−ｔｏ−Ｄｉｇｉｔａｌ）コンバータなど）を含んでいる。間欠受信（ＤＲＸ）を活用するために、処理モジュール２０は、指定された時間の長さの間、受信器またはトランシーバモジュール２２を非アクティブにするように設定され得る。ＵＥ１２はメモリモジュール２６も備えており、メモリモジュール２６は、処理モジュール２０に接続され、ＵＥ１２の動作に必要なプログラムならびにその他の情報およびデータを格納する。例えばメモリモジュール２６は、メモリ（例えば、ランダムアクセスメモリ（ＲＡＭ：Ｒａｎｄｏｍ  Ａｃｃｅｓｓ  Ｍｅｍｏｒｙ））を含んでよい。一部の実施形態では、ＵＥ１２は、ＵＥ１２の位置および移動速度の決定に使用され得る衛星測位システム（例えば、ＧＰＳ）の受信器モジュールを、必要に応じて備えてよい。
【００８４】
図９は、本明細書に記載された実施形態例において使用され得る基地局１４（例えば、ノードＢまたはｅＮＢ）を示している。マクロｅＮＢまたはさらに一般的には高電力ノード（ＨＰＮ）は、実際には、サイズおよび構造においてマイクロｅＮＢまたはさらに一般的には低電力ノード（ＬＰＮ）と同一ではないが、説明のために、基地局１４が類似するコンポーネントを含んでいると仮定されていることを理解されたい。したがって、基地局１４は、基地局１４の動作を制御する処理モジュール２８を備えている。当業者によって理解されるであろうように、処理モジュール２８は、１つまたは複数のプロセッサまたは処理回路（例えば、ＣＰＵ、ＡＳＩＣ、ＤＳＰ、ＦＰＧＡ、および／または同様のもの）を含む。処理モジュール２８は、関連するアンテナ３２を備えるトランシーバモジュール３０に接続され、アンテナ３２は、ネットワーク１０内で、ＵＥ１２に信号を送信し、ＵＥ１２から信号を受信するために使用される。当業者によって理解されるであろうように、トランシーバモジュール３０は、さまざまなアナログ回路および場合によってはデジタル回路（例えば、増幅器、フィルタ、ミキサー、Ａ／Ｄコンバータなど）を含んでいる。基地局１４はメモリモジュール３４も備えており、メモリモジュール３４は、処理モジュール２８に接続され、基地局１４の動作に必要なプログラムならびにその他の情報およびデータを格納する。例えばメモリモジュール３４は、メモリ（例えば、ＲＡＭ）を含んでよい。基地局１４は、基地局１４が他の基地局１４と（例えば、Ｘ２インターフェースを介して）情報を交換できるようにするためのコンポーネントおよび／または回路３６、ならびに基地局１４がコアネットワーク１８内のノードと（例えば、Ｓ１インターフェースを介して）情報を交換できるようにするためのコンポーネントおよび／または回路３８も含んでいる。他の種類のネットワーク（例えば、汎用地上波無線アクセス技術（ＵＴＲＡＮ）または広帯域符号分割多重アクセス（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）無線アクセスネットワーク（ＲＡＮ：Ｒａｄｉｏ  Ａｃｃｅｓｓ  Ｎｅｔｗｏｒｋ））内で使用するための基地局が、図９に示されているコンポーネントに類似するコンポーネント、およびこれらの種類のネットワーク内の他のネットワークノード（例えば、他の基地局、モビリティ管理ノード、および／またはコアネットワーク１８内のノード）との通信を可能にするための適切なインターフェース回路３６、３８を含むであろうことを理解されたい。
【００８５】
本明細書において使用される「無線ノード」という用語は、ＵＥまたは無線ネットワークノードを示すために使用されてよい。無線ネットワークノードは、本明細書において、無線アクセスノードと、交換可能なように呼ばれる。
【００８６】
本文書に記載された任意の２つ以上の実施形態は、任意の方法で互いに組み合わせられてよい。
【００８７】
実施形態は、シングルキャリアに適用可能なだけでなく、ＵＥ１２のマルチキャリア動作またはキャリアアグリゲーション（ＣＡ：Ｃａｒｒｉｅｒ  Ａｇｇｒｅｇａｔｉｏｎ）動作にも適用可能であり、マルチキャリア動作またはキャリアアグリゲーション動作において、ＵＥ１２は、２つ以上のサービングセルからデータを受信すること、および／または２つ以上のサービングセルにデータを送信することができる。ＣＡという用語は、「マルチキャリアシステム」、「マルチセル動作」、「マルチキャリア動作」、「マルチキャリア」送信および／または受信とも呼ばれる（例えば、交換可能なように呼ばれる）。ＣＡでは、コンポーネントキャリア（ＣＣ：Ｃｏｍｐｏｎｅｎｔ  Ｃａｒｒｉｅｒｓ）のうちの１つは、プライマリＣＣ（ＰＣＣ：Ｐｒｉｍａｒｙ  ＣＣ）または単にプライマリキャリアであり、あるいはアンカーキャリアでもある。残りのコンポーネントキャリアは、セカンダリＣＣ（ＳＣＣ：Ｓｅｃｏｎｄａｒｙ  ＣＣｓ）または単にセカンダリキャリアと呼ばれ、あるいは補助キャリアとも呼ばれる。サービングセルは、プライマリセル（ＰＣｅｌｌ：Ｐｒｉｍａｒｙ  Ｃｅｌｌ）またはプライマリサービングセル（ＰＳＣ：Ｐｒｉｍａｒｙ  Ｓｅｒｖｉｎｇ  Ｃｅｌｌ）と、交換可能なように呼ばれる。同様に、セカンダリサービングセルは、セカンダリセル（ＳＣｅｌｌ：Ｓｅｃｏｎｄａｒｙ  Ｃｅｌｌ）またはセカンダリサービングセル（ＳＳＣ：Ｓｅｃｏｎｄａｒｙ  Ｓｅｒｖｉｎｇ  Ｃｅｌｌ）と、交換可能なように呼ばれる。
【００８８】
本明細書において使用される「シグナリング」という用語は、上層シグナリング（例えば、無線リソース制御（ＲＲＣ）を介する）、下層シグナリング（例えば、物理制御チャネルまたはブロードキャストチャネルを介する）、またはこれらの組み合わせのいずれかを含んでよい。シグナリングは、暗黙的または明示的であってよい。シグナリングは、さらに、ユニキャスト、マルチキャスト、またはブロードキャストであってよい。シグナリングは、別のノードに直接向けられるものであってもよく、または第３のノードを介するものであってもよい。
【００８９】
本明細書において使用される「ｅＤＲＸサイクル」という用語は、第１のＤＲＸサイクル（ＤＲＸ１）と、交換可能なように呼ばれてよい。本明細書において使用される「従来のＤＲＸサイクル」という用語は、第２のＤＲＸサイクル（ＤＲＸ２）と、交換可能なように呼ばれてよい。ＵＥ１２がページングを受信できるか、またはシステム情報を読み取ることができる、ＰＴＷまたはＰＴＷ期間または期間は、ＤＲＸ１ごとに１回発生する。ＰＴＷは、第１のページング機会またはＤＲＸ１のＰＯと、交換可能なように呼ばれてもよい。各ＰＴＷ内で、ＵＥ１２は少なくとも１つのＤＲＸ２を使用して設定される。ＤＲＸ１およびＤＲＸ２の長さは、次の関係によって関連付けられる：ＤＲＸ１＞ＤＲＸ２。
【００９０】
「測定」という用語は、本明細書では無線測定のことを指す。無線測定の一部の例は、信号強度または信号電力測定（例えば、参照信号受信電力（ＲＳＲＰ：Ｒｅｆｅｒｅｎｃｅ  Ｓｉｇｎａｌ  Ｒｅｃｅｉｖｅｄ  Ｐｏｗｅｒ）またはチャネル状態情報（ＣＳＩ：Ｃｈａｎｎｅｌ  Ｓｔａｔｅ  Ｉｎｆｏｒｍａｔｉｏｎ）参照シンボル（ＣＳＩ−ＲＳＲＰ）を使用するＲＳＲＰ）、信号品質測定（例えば、参照シンボル受信品質（ＲＳＲＱ：Ｒｅｆｅｒｅｎｃｅ  Ｓｙｍｂｏｌ  Ｒｅｃｅｉｖｅｄ  Ｑｕａｌｉｔｙ）、信号対干渉雑音比（ＳＩＮＲ：Ｓｉｇｎａｌ  ｔｏ  Ｉｎｔｅｒｆｅｒｅｎｃｅ  ｐｌｕｓ  Ｎｏｉｓｅ  Ｒａｔｉｏ）、参照信号ＳＩＮＲ（ＲＳ−ＳＩＮＲ：Ｒｅｆｅｒｅｎｃｅ  Ｓｉｇｎａｌ  ＳＩＮＲ））、タイミング測定（例えば、受信−送信（Ｒｘ−Ｔｘ：Ｒｅｃｅｐｔｉｏｎ−Ｔｒａｎｓｍｉｓｓｉｏｎ）、参照信号時間差（ＲＳＴＤ：Ｒｅｆｅｒｅｎｃｅ  Ｓｉｇｎａｌ  Ｔｉｍｅ  Ｄｉｆｆｅｒｅｎｃｅ）、ラウンドトリップタイム（ＲＴＴ）、到達時間（ＴＯＡ：Ｔｉｍｅ  ｏｆ  Ａｒｒｉｖａｌ））、無線リンク監視（ＲＬＭ）測定、セル検出、セル識別、セル（再）選択、ＣＳＩ、プリコーディングマトリックスインジケータ（ＰＭＩ：Ｐｒｅｃｏｄｉｎｇ  Ｍａｔｒｉｘ  Ｉｎｄｉｃａｔｏｒ）、およびチャネル品質指標（ＣＱＩ）測定、システム情報の読み取りなどである。測定は、絶対的または相対的であってよい（例えば、絶対ＲＳＲＰおよび相対ＲＳＲＰ）。測定は、例えば、無線リソース管理（ＲＲＭ：Ｒａｄｉｏ  Ｒｅｓｏｕｒｃｅ  Ｍａｎａｇｅｍｅｎｔ）、自己組織化ネットワーク（ＳＯＮ：Ｓｅｌｆ−Ｏｒｇａｎｉｚｉｎｇ  Ｎｅｔｗｏｒｋ）、位置決め、ドライブテストの最小化（ＭＤＴ：Ｍｉｎｉｍｉｚａｔｉｏｎ  ｏｆ  Ｄｒｉｖｅ  Ｔｅｓｔｓ）などの、１つまたは複数の異なる目的に対して実行されてよい。測定は、例えば、周波数内測定、周波数間測定、無線アクセス技術（ＲＡＴ）間測定、またはＣＡ測定であってよい。測定は、認可スペクトルおよび／または無認可スペクトル内で実行されてよい。
【００９１】
「ＲＬＭ」という用語は、本明細書では、接続されたサービングセルの無線リンク品質を測定するためのＵＥの手順または動作を指す。ＵＥは、ＲＬＭに基づいて、ＵＥがそのサービングセルに対して同期しているのか、それとも同期していないのかを判定する。ＲＬＭは、ＲＲＣ＿ＣＯＮＮＥＣＴＥＤ状態でダウンリンク参照シンボル（セル固有の参照信号（ＣＲＳ））に対して測定を実行するＵＥ１２によって実行される。ＲＬＭの結果が複数の連続する同期外れ指示を示した場合、ネットワークは、監視が複数の連続する同期指示を示すまで、無線リンク失敗（ＲＬＦ：Ｒａｄｉｏ  Ｌｉｎｋ  Ｆａｉｌｕｒｅ）を宣言してよい。実際のＲＬＭ手順は、推定ダウンリンク参照シンボル測定を、ＱｏｕｔおよびＱｉｎによって表された何らかの対象のブロック誤り率（ＢＬＥＲ：Ｂｌｏｃｋ  Ｅｒｒｏｒ  Ｒａｔｅ）と比較することによって実行される。ＱｏｕｔおよびＱｉｎは、サービングセルからの仮定的Ｍ−ＰＤＣＣＨまたはＰＤＣＣＨ／ＰＣＩＦＣＨ送信のＢＬＥＲに対応する。
【００９２】
一部の実施形態では、ＵＥのモビリティまたはセルの変更という用語が使用される。ＵＥのモビリティまたはセルの変更は、次のうちの１つまたは複数を含んでよい。
・セルを変更すること（セルをキャンプオンに変更すること、またはサービングセルを変更することであり、このサービングセルは、プライマリ、セカンダリなどであってもよい）
・キャリア周波数を変更すること（キャリア周波数をキャンプオンに変更すること、またはサービングキャリア周波数を変更することであり、このサービングキャリア周波数は、プライマリ、セカンダリなどであってもよい）
・周波数帯域を変更すること
・ＲＡＴを変更すること（ＲＡＴをキャンプオンに変更すること、またはサービングＲＡＴを変更することであり、このサービングＲＡＴは、プライマリ、セカンダリなどであってもよい）
・ＵＥ接続状態でハンドオーバを実行すること
・ＵＥアイドル状態でセル選択／再選択を実行すること
【００９３】
本明細書に記載された実施形態は、任意のＲＡＴまたはこれらの進化型に適用されてよく、例えば、ＬＴＥ周波数分割複信（ＦＤＤ：Ｆｒｅｑｕｅｎｃｙ  Ｄｉｖｉｓｉｏｎ  Ｄｕｐｌｅｘｉｎｇ）、ＬＴＥ時分割複信（ＴＤＤ：Ｔｉｍｅ  Ｄｉｖｉｓｉｏｎ  Ｄｕｐｌｅｘｉｎｇ）、狭帯域モノのインターネット（ＮＢ−ＩｏＴ：Ｎａｒｒｏｗｂａｎｄ  Ｉｎｔｅｒｎｅｔ  ｏｆ  Ｔｈｉｎｇｓ）、汎用地上波無線アクセス（ＵＴＲＡ）、グローバルシステムフォーモバイルコミュニケーションズ（ＧＳＭ：Ｇｌｏｂａｌ  Ｓｙｓｔｅｍ  ｆｏｒ  Ｍｏｂｉｌｅ  Ｃｏｍｍｕｎｉｃａｔｉｏｎｓ）、ＷｉＦｉ、近距離通信ＲＡＴ、狭帯域ＲＡＴ、第５世代（５Ｇ：Ｆｉｆｔｈ  Ｇｅｎｅｒａｔｉｏｎ）のＲＡＴなどに適用されてよい。
【００９４】
図１０は、本開示の一部の実施形態に従って、ｅＤＲＸ動作の下でのサービングセル検証のためのＵＥ１２における方法を示すフローチャートである。言い換えると、図１０は、本開示の一部の実施形態に従って、ｅＤＲＸサイクルで動作するように設定されたＵＥ１２における方法を示している。図に示されているように、ＵＥ１２における方法は、次のステップを含んでいる。
・ステップ１００：ＵＥ１２は、設定されたｅＤＲＸサイクルの第１のＰＴＷ（ＰＴＷ１）期間に関連付けられたいずれかの時間の間に、状態Ａ１を有する少なくとも１つの第１のセル（セル１）の第１の識別子（例えば、ＣＧＩ１）を取得する。ここで、第１のＰＴＷ期間は、第１のＰＴＷ（ＰＴＷ１）の期間である。したがって、第１のＰＴＷ（ＰＴＷ１）期間に関連付けられた時間は、本明細書では、第１のＰＴＷ（ＰＴＷ１）に関連付けられた時間とも呼ばれる。
−  ステップ１００Ａ（オプション）：ＵＥ１２は、設定されたｅＤＲＸサイクルのＰＴＷ１に関連付けられたいずれかの時間の間に、セル１に関連付けられた状態Ｂ１を有する第１の送信器の第３の識別子を取得する。
・ステップ１０２：ＵＥ１２は、設定されたｅＤＲＸサイクルの第２のＰＴＷ（ＰＴＷ２）期間に関連付けられたいずれかの時間の間に、状態Ａ２を有する少なくとも１つの第２のセル（セル２）の第２の識別子（例えば、ＣＧＩ２）を取得し、ＰＴＷ２は時間的にＰＴＷ１の後に発生する。
−  ステップ１０２Ａ（オプション）：ＵＥ１２は、設定されたｅＤＲＸサイクルのＰＴＷ２に関連付けられたいずれかの時間の間に、セル２に関連付けられた状態Ｂ２を有する第２の送信器の第４の識別子を取得する。
・ステップ１０４：ＵＥ１２は、次のうちの１つを実行する。
−  第１の識別子および第２の識別子が同じである場合、ＵＥの無線動作の第１の種類。
−  第１の識別子および第２の識別子が異なる場合、ＵＥの無線動作の第２の種類。
・ステップ１０４Ａ（オプション）：第１の識別子および第２の識別子が同じである場合、ＵＥ１２は次のうちの１つを実行する。
−  第３の識別子および第４の識別子が同じである場合、ＵＥの無線動作の第３の種類。
−  第３の識別子および第４の識別子が異なる場合、ＵＥの無線動作の第４の種類。
【００９５】
セルまたは送信器の状態は、例えば、セルがＰＣｅｌｌである、セルがサービングセルである（ただし、複数のサービングセルがデュアルコネクティビティまたはＣＡに存在してよいことに留意されたい）、セルがＮ番目に強いセルである（すなわち、ＵＥ１２で測定されたＮ番目に強いセル）、送信器がセル内のＭ番目に強い送信器である（すなわち、送信器がＵＥ１２で測定されたセル内のＭ番目に強い送信器である）、送信器がＵＥ１２でのＫ番目に強い送信器である（すなわち、送信器がＵＥ１２で測定されたＫ番目に強い送信器である）、信号強度および／または信号品質がしきい値を超えている、セルがＬ番目に良い隣接セルである、セルが最強の隣接セルである、セルがリソースの特定のセットに対するＲ番目に強い干渉である（例えば、サービングセルと衝突する参照信号を含んでいる）、セルが、識別子に関連付けられた特定のグループに属している、セルの識別子が、その識別子に関連付けられた特定の条件（例えば、ｍｏｄ（識別子，３）＝０）を満たしているなどのうちのいずれかであってよい。
【００９６】
次のセクションでは、ＵＥ１２によって実行される上のステップが詳細に説明される。
【００９７】
ステップ１００：ＰＴＷ１に関連付けられた時間の間に、セル１の識別子を取得する
１つの例では、セル１はサービングセルであり、識別子はＣＧＩであり、これについて、下でさらに詳細に説明される。ただし、本開示は、セル１がサービングセルであること、および識別子がＣＧＩであることに限定されない。
【００９８】
ステップ１００で、ＵＥ１２は、ネットワークノードから受信されたｅＤＲＸ設定情報に基づいて、ＵＥ１２がｅＤＲＸサイクルで動作するように設定されていることを最初に決定する。ＰＴＷの次の発生（本明細書では、第１のＰＴＷ機会または期間、あるいは単に第１のＰＴＷ（ＰＴＷ１）と呼ばれる）において、ＵＥ１２はそのサービングセル（セル１）の第１のＣＧＩ（ＣＧＩ１）を取得する。ＵＥ１２が２つ以上のサービングセルを使用して設定された場合、ＵＥ１２は、１つまたは２つ以上のサービングセルのＣＧＩ、あるいはそのすべてのサービングセルのＣＧＩを取得してよい。ＵＥ１２は、各サービングセルのＣＧＩを取得するために、自律的ギャップを作成してよい。ＵＥ１２は、ＰＴＷ１に関連付けられたいずれかの時間の間に、ＣＧＩ１を取得してよい。「ＰＴＷ１に関連付けられたいずれかの時間」という用語は、本明細書において使用されるとき、ＰＴＷ１の間、ＰＴＷ１の直前、およびＰＴＷ１の直後の期間のうちのいずれかを意味する。ＰＴＷ１の前後でＣＧＩを取得することの利点は、ＵＥ１２が、ＵＥ１２とサービングセルの間で送信される信号に対して中断を引き起こさないことである。ＵＥ１２は、取得されたＣＧＩ１に関する情報を格納し、この情報は、下で説明されているように、将来のある時点で（例えば、次のＰＴＷの間に）ＵＥ１２によって使用される。
【００９９】
ＵＥ１２は、事前に規定されたルールに基づいて、またはネットワークノードから受信された要求／設定に基づいて、ＣＧＩ１を自律的に取得することを決定してよい。
【０１００】
ステップ１００Ａ（オプション）：セル１に関連付けられた送信器の識別子を取得する
ステップ１００Ａで、ＵＥ１２は、共有セル（セル１）内の状態Ｂを有する送信器（例えば、特定の基準（例えば、最強であること、またはしきい値よりも弱くないこと）を満たすＴＰ）の識別子をさらに取得してよい。
【０１０１】
ステップ１０２：ＰＴＷ２に関連付けられた時間の間に、セル２の識別子を取得する
１つの非限定的な例では、識別子はＣＧＩであり、セル２は最強のセルである。ただし、この説明は、識別子がＣＧＩではないか、またはセル２の状態が最強のセルであることとは異なっている場合に対しても、拡張または適合されてよい。
【０１０２】
時間的にＰＴＷ１の後に発生するＰＴＷの次の発生は、本明細書では第２のＰＴＷ期間、または単に第２のＰＴＷ（ＰＴＷ２）と呼ばれる。ＰＴＷ１およびＰＴＷ２は、連続するｅＤＲＸサイクルの間に発生しても発生しなくてもよい。ただし、通常、ＰＴＷ１およびＰＴＷ２は、連続するｅＤＲＸサイクルの間に発生してよい。ＵＥ１２は、ＰＴＷ２に関連付けられたいずれかの時間の間に、最強のセルの第２のＣＧＩ（ＣＧＩ２）をさらに取得する。ＵＥ１２は、ＣＧＩ２を取得するために、自律的ギャップを作成してよい。「ＰＴＷ２に関連付けられたいずれかの時間」という用語は、本明細書において使用されるとき、ＰＴＷ２の間およびＰＴＷ２の直前の期間のうちのいずれかを意味する。「ＰＴＷ２に関連付けられたいずれかの時間」という用語は、本明細書では、検証時間（Ｔｖｅｒｉｆｙ）と、交換可能なように呼ばれてもよい。
【０１０３】
ＵＥ１２は、１つまたは複数のＵＥの無線測定（例えば、経路損失、ＲＳＲＰ、ＲＳＲＱ、ＲＳ−ＳＩＮＲ、信号対雑音比（ＳＮＲ：Ｓｉｇｎａｌ  ｔｏ  Ｎｏｉｓｅ  Ｒａｔｉｏ）など）に基づいて、ＰＴＷ２の間、またはＰＴＷ２の開始前に、最強のセル（セル２）を決定してよい。１つの例では、ＵＥ１２は、他のセルの測定されたＲＳＲＱと比較して、セルの測定されたＲＳＲＱが最大であることを条件にして、そのセルを最強のセルと見なす。別の例では、ＵＥ１２は、他のセルの測定されたＲＳＲＰと比較して、セルの測定されたＲＳＲＰが最大であることを条件にして、そのセルを最強のセルと見なす。さらに別の例では、ＵＥ１２は、他のセルの測定されたＲＳＲＰおよび／またはＲＳＲＱと比較して、セルの測定されたＲＳＲＰおよび／またはＲＳＲＱが最大であることを条件にして、そのセルを最強のセルと見なす。さらに別の例では、ＵＥ１２は、セルの測定されたＲＳＲＰが少なくともＲＳＲＰ＿ｔｈｒｅｓｈｏｌｄを超えていることを条件にして、そのセルを最強のセルと見なす。さらに別の例では、ＵＥ１２は、セルの測定されたＲＳＲＱが少なくともＲＳＲＱ＿ｔｈｒｅｓｈｏｌｄを超えていることを条件にして、そのセルを最強のセルと見なす。さらに別の例では、ＵＥ１２は、セルの測定されたＲＳＲＰが少なくともＲＳＲＰ＿ｔｈｒｅｓｈｏｌｄを超えていることおよび／またはセルの測定されたＲＳＲＱがＲＳＲＱ＿ｔｈｒｅｓｈｏｌｄを超えていることを条件にして、そのセルを最強のセルと見なす。
【０１０４】
ＵＥ１２は、事前に規定されたルールに基づいて、あるいはネットワークノード（例えば、ＵＥ１２のサービングセルの無線アクセスノード１４）から受信された要求または設定に基づいて、ＣＧＩ２を自律的に取得することを決定してよい。ＵＥ１２は、例えば測定に基づいて、ＰＴＷ２の間の最強のセルがＰＴＷ１の間のサービングセルと異なっているのではないかと疑った場合、ＣＧＩ２を取得することを決定してもよい。ＵＥ１２は、例えばＵＥ１２がスケジュールされることを期待していない場合に、ＣＧＩ２を日和見的に取得することを決定してもよい。したがって、ＵＥ１２は、ＣＧＩ２の取得に使用される自律的ギャップに起因してデータを失わなくてよい。
【０１０５】
ステップ１０２Ａ（オプション）：セル２に関連付けられた送信器の識別子を取得する
このステップで、ＵＥ１２は、共有セル（セル２）内の状態Ｂを有する送信器（例えば、特定の基準（例えば、最強であること、またはしきい値よりも弱くないこと）を満たすＴＰ）の識別子をさらに取得してよい。
【０１０６】
ステップ１０４：ＰＴＷ１およびＰＴＷ２に関連付けられた時間の間に取得された識別子の比較に基づいて、ＵＥの無線手順を実行する
下の例では、ステップ１０４は、サービングセル（状態Ａ１にあるセル１）および最強のセル（状態Ａ２にあるセル２）に関して説明されている。
【０１０７】
一実施形態では、ＵＥ１２は、ＰＴＷ２の間にＵＥ１２によって識別された最強のセルが、ＰＴＷ１の間に使用されたＵＥ１２のサービングセルと同じであるかどうかを最初に判定する。ＵＥ１２は、ＣＧＩ１とＣＧＩ２（すなわち、ＰＴＷ１におけるサービングセルのＣＧＩとＰＴＷ２における最強のセルのＣＧＩ）を比較することによって、これを判定できる。少なくとも一部の実施形態では、最強のセルをＵＥ１２のサービングセルとして再選択するために、例えば少なくともＤＲＸサイクルごとに１回、個別のセル再選択手順が実行されるため、ＰＴＷ２における最強のセルは、ＰＴＷ２の間のＵＥ１２のサービングセルであることに留意されたい。このような比較に基づいて、ＵＥ１２は次のタスクを実行する。
・ＣＧＩ１およびＣＧＩ２が同一である場合、セル１およびセル２は同じであると仮定される。その場合、ＵＥ１２は、セル２に対して無線動作の１つまたは複数の第１の種類を実行する。ＵＥ１２によって実行される無線動作は、本明細書では、アクション、タスク、手順、ＲＲＭタスクなどとも、交換可能なように呼ばれる。無線動作の第１の種類は、ＰＴＷ１の間にＵＥ１２がセル１によってサービングされたときにＵＥ１２によって実行される無線動作と同じであるか、またはそのような無線動作に類似している。例えば、その場合、ＵＥ１２は、次のタスクのうちの１つまたは複数を実行してよい。
−  セル２の信号に対するＲＬＭ。例えば、ＵＥ１２は、ｅＤＲＸ動作の下で、またはｅＤＲＸを使用して設定された場合に、セルがＵＥ１２のサービングセルであることが（例えばＣＧＩに基づいて）検証された後にのみ、ＰＴＷの間に、そのセル対してＲＬＭを実行するものとすることが事前に規定されてよい。
−  セル２および／または１つまたは複数の隣接セルの信号に対する１つまたは複数の無線測定。
−  セル２の１つまたは複数の制御チャネルを受信する。
−  ネットワークノードから受信されたスケジューリング情報に基づいて、セル２に対して信号を送信および／または受信する。
−  ＰＴＷ１の間のセル１およびＰＴＷ２の間のセル２が同じである（例えば、同じＣＧＩを持っている）ことをネットワークノードに知らせる指示を、ネットワークノードに送信する。
−  ＵＥのサービングセルに関連する任意のその他のタスク（例えば、セル２のＣＳＩ（例えば、ＣＱＩ、ランクインジケータ（ＲＩ：Ｒａｎｋ  Ｉｎｄｉｃａｔｏｒ）、ＰＭＩなど）の推定、およびＣＳＩの結果をネットワークノードに報告すること）を実行する。
・ＣＧＩ１およびＣＧＩ２が同一でない場合、セル１およびセル２は異なっていると仮定される。その場合、ＵＥ１２は、セル２に対して無線動作の１つまたは複数の第２の種類を実行する。無線動作の第２の種類は、通常、ＰＴＷ１の間にＵＥ１２がセル１によってサービングされたときにＵＥ１２によって実行される無線動作とは異なっている。例えば、その場合、ＵＥ１２は、次のタスクのうちの１つまたは複数を実行してよい。
・セル２または任意のその他のセルの任意の信号に対してどのＲＬＭも実行しないか、または実行することを停止する。例えば、ＵＥ１２は、ｅＤＲＸ動作の下で、またはｅＤＲＸを使用して設定された場合に、現在のセルがＵＥ１２のサービングセルであることが（例えばＣＧＩに基づいて）検証されていなければ、ＰＴＷの間に、そのセル対してＲＬＭを実行しないものとすることが事前に規定されてよい。
・セル２から受信されたスケジューリンググラントを無視する。
・サービングセル上のアップリンクにおいて、どのデータも送信しない。
・ＵＥ１２が接続状態である場合、アイドル状態に移行する。
・ＵＥ１２が追跡領域または登録領域を変更する必要がある（すなわち、セル２が、セル１の追跡領域と比較して異なる追跡領域に属している）かどうかを判定する。
・セル２が古い追跡領域に属していない場合、追跡領域更新を実行する。
・ＲＲＣ再確立を開始し、例えば、ランダムアクセスをセル２に送信して、セル２への接続を新しいサービングセルとして再確立する、などを実行する。
・セル２への接続を再確立した後に、ＵＥ１２は、ＰＴＷ１の間のセル１およびＰＴＷ２の間のセル２が同じでない（例えば、異なるＣＧＩを持っている）ことをネットワークノードに知らせる指示を、ネットワークノードに送信してもよい。ＵＥ１２は、セル１およびセル２の取得されたＣＧＩをネットワークノードに送信してもよい。
・セルへの接続を確立した後に、セル２上で実行された測定（例えば、ＲＳＲＰ、ＲＳＲＱなど）の測定結果をネットワークノードに送信する。
【０１０８】
ステップ１０４Ａ（オプション）：ＰＴＷ１およびＰＴＷ２に関連付けられた時間の間に取得された送信器識別子の比較に基づいて、手順を実行する
第１の識別子および第２の識別子が同じである場合、ＵＥ１２は次のうちの１つを実行する。
・第３の識別子および第４の識別子が同じである場合、ＵＥの無線動作の第３の種類。
・第３の識別子および第４の識別子が異なる場合、ＵＥの無線動作の第４の種類。
【０１０９】
ＵＥの無線動作の第３および第４の種類の一部の例は、ＵＥの無線動作の第１および第２の種類に関して説明されたものとそれぞれ同じであるが、セルの代わりに送信器に関するものである。したがって、ＵＥの動作の第３の種類は、少なくとも一部の実施形態では、次のうちの１つまたは複数を含む。
・第２の送信器の信号に対してＲＬＭを実行すること。
・第２の送信器の信号に対して１つまたは複数の無線測定を実行すること。
・１つまたは複数の隣接セルの信号に対して１つまたは複数の無線測定を実行すること。
・第２の送信器の１つまたは複数の制御チャネルを受信すること。
・ネットワークノードから受信されたスケジューリング情報に基づいて、第２の送信器に信号を送信することおよび／または第２の送信器から信号を受信すること。
・第１の送信器および第２の送信器が同じであることをネットワークノードに知らせる指示をネットワークノードに送信すること。
・第２の送信器において、無線通信デバイスのサービングセルに関連する１つまたは複数のタスクを実行すること。
同様に、ＵＥの動作の第４の種類は、少なくとも一部の実施形態では、次のうちの１つまたは複数を含む。
・第２の送信器の信号に対してＲＬＭを実行することを抑制すること。
・第２の送信器から受信されたスケジューリンググラントを無視すること。
・アップリンクにおいて第２の送信器へデータを送信することを抑制すること。
・ＵＥ１２が接続状態である場合、アイドルモードに移行すること。
・第２の送信器が、第１の送信器の追跡領域または登録領域と比較して異なる追跡領域または登録領域に属しているかどうかに基づいて、ＵＥ１２がＵＥ１２の追跡領域または登録領域を変更する必要があるかどうかを判定すること。
・第２の送信器がＵＥ１２の以前の追跡領域に属していない場合、追跡領域更新を実行すること。
・接続再確立を開始して、第２の送信器への接続をＵＥ１２のサービングＴＰとして再確立すること。
・第１の送信器および第２の送信器が異なることをネットワークノードに知らせる指示をネットワークノードに送信すること。
・第２の送信器において実行された測定の測定結果をネットワークノードに送信すること。
【０１１０】
図１１は、本開示の一部の実施形態に従って、ｅＤＲＸ動作の下でのＵＥ１２のサービングセルの検証のためのネットワークノード（例えば、無線アクセスノード１４）における方法を示すフローチャートである。言い換えると、図１１は、ｅＤＲＸサイクルを使用して設定されたＵＥ１２をサービングするネットワークノード（例えば、無線アクセスノード１４）における方法を示すフローチャートであり、次のステップを含んでいる。
・ステップ２００：ネットワークノードは、設定されたｅＤＲＸサイクルの第１のＰＴＷ（ＰＴＷ１）期間に関連付けられたいずれかの時間の間に、ＵＥ１２の状態Ａ１（例えば、サービング）を有する第１のセル（セル１）の第１の識別子を取得する。
−  ステップ２００Ａ（オプション）：ネットワークノードは、設定されたｅＤＲＸサイクルの第１のＰＴＷ（ＰＴＷ１）期間に関連付けられたいずれかの時間の間に、ＵＥ１２のセル１に関連付けられた状態Ｂ１を有する第１の送信器の第３の識別子を取得する。
・ステップ２０２：ネットワークノードは、設定されたｅＤＲＸサイクルの第２のＰＴＷ（ＰＴＷ２）期間に関連付けられたいずれかの時間の間に、ＵＥの状態Ａ２（例えば、最強）を有する第２のセル（セル２）の第２の識別子を取得し、ＰＴＷ２は時間的にＰＴＷ１の後に発生する。
−  ステップ２０２Ａ（オプション）：ネットワークノードは、設定されたｅＤＲＸサイクルの第２のＰＴＷ（ＰＴＷ２）期間に関連付けられたいずれかの時間の間に、ＵＥ１２のセル２に関連付けられた状態Ｂ２を有する第２の送信器の第４の識別子を取得し、ＰＴＷ２は時間的にＰＴＷ１の後に発生する。
・ステップ２０４：ネットワークノードは、次のうちの１つを実行する。
−  第１の識別子および第２の識別子が同じである場合、ネットワークノードに関連する無線動作の第１の種類。
−  第１の識別子および第２の識別子が異なる場合、ネットワークノードに関連する無線動作の第２の種類。
・ステップ２０４Ａ（オプション）：第１の識別子および第２の識別子が同じである場合、ネットワークノードは次のうちの１つを実行する。
−  第３の識別子および第４の識別子が同じである場合、ネットワークノードに関連する無線動作の第３の種類。
−  第３の識別子および第４の識別子が異なる場合、ネットワークノードに関連する無線動作の第４の種類。
【０１１１】
「状態」という用語は、前述したものと同じであってよい。ネットワークノードによって実行される上のステップが、下で詳細に説明される。
【０１１２】
ステップ２００：ＰＴＷ１に関連付けられた時間の間に、セル１の識別子を取得する
以下の実施形態は、セル１の状態がサービングセルであり、識別子がＣＧＩである、非限定的な例について説明される。
【０１１３】
ステップ２００で、ネットワークノードは、ネットワークノードからＵＥ１２に送信されたｅＤＲＸ設定情報に基づいて、ＵＥ１２がｅＤＲＸサイクルで動作するように設定されていることを最初に決定する。ネットワークノードは、特定のＰＴＷ（本明細書では、第１のＰＴＷ機会または期間、あるいは単に第１のＰＴＷ（ＰＴＷ１）と呼ばれる）の間に、ＵＥ１２のサービングセル（セル１）をさらに決定する。ネットワークノードは、ＵＥ１２のサービングセル（セル１）の第１のＣＧＩ（ＣＧＩ１）をさらに決定する。セル１に関連付けられたＣＧＩ１は、通常、ネットワークノードに格納される。ネットワークノードは、別のネットワークノードからＣＧＩ１を受信してもよい。ＵＥ１２が２つ以上のサービングセルを使用して設定された場合、ネットワークノードは、１つまたは２つ以上のサービングセルのＣＧＩ、あるいはこのＵＥ１２のすべてのサービングセルのＣＧＩを取得してよい。ネットワークノードは、ＰＴＷ１に関連付けられたいずれかの時間の間に、ＣＧＩ１を取得してよい。「ＰＴＷ１に関連付けられたいずれかの時間」という用語は、本明細書において使用されるとき、ＰＴＷ１の間、ＰＴＷ１の直前、およびＰＴＷ１の直後の期間のうちのいずれかを意味する。ネットワークノードは、取得されたＣＧＩ１およびＵＥ１２の関連するセル１に関する情報を格納する。この情報は、下で説明されているように、将来のある時点で（例えば、次のＰＴＷの間に）ネットワークノードによって使用される。
【０１１４】
ステップ２００Ａ（オプション）：ＰＴＷ１に関連付けられた時間の間に、セル１に関連付けられた第１の送信器の識別子を取得する
このステップに従って、ネットワークノードは、セル１に関連付けられた状態Ｂ１を有する第１の送信器の識別子をさらに決定してよい。
【０１１５】
ステップ２０２：ＰＴＷ２に関連付けられた時間の間に、セル２の識別子を取得する
以下の実施形態は、セル２の状態が最強のセルであり、識別子がＣＧＩである、非限定的な例について説明される。
【０１１６】
ネットワークノードは、ＰＴＷ２に関連付けられたいずれかの時間の間に、ＵＥ１２の最強のセル（セル２）の第２のＣＧＩ（ＣＧＩ２）をさらに決定する。ＣＧＩ２（すなわち、セル２に関連付けられたＣＧＩ２）に関する情報は、通常、ネットワークノードのメモリから取り出され得る。ＣＧＩ２に関する情報は、別のネットワークノードから情報を受信する（すなわち、ＣＧＩ２とセル２の間の関連性を受信する）ことによって、ネットワークノードによって決定されてもよい。
【０１１７】
ＰＴＷ２は、ＰＴＷ１の後に発生する。ＰＴＷ２は、連続するＰＴＷ機会の間に発生しても発生しなくてもよい。例えば、ネットワークノードは、１つまたは複数の基準に基づいて、どのＰＴＷの間にＣＧＩ２が決定される必要があるかを決定してよい。例えば、ＵＥ１２のｅＤＲＸサイクル長がしきい値（例えば、２０．４８秒）未満である場合、ネットワークノードは、ＰＴＷ１の直後に発生しないＰＴＷの間に、セル２のＣＧＩ２を決定してよい。これは、短いｅＤＲＸサイクル長の場合、ＵＥ１２のサービングセルが連続するＰＴＷ間で変化することが期待されないからである。一方、ｅＤＲＸサイクル長がしきい値（例えば、２０．４８秒）以上である場合、ネットワークノードは、ＰＴＷ１の直後に発生してよいＰＴＷの間に、セル２のＣＧＩ２を決定してよい（すなわち、ＰＴＷ２およびＰＴＷ１は、ｅＤＲＸサイクルの連続するＰＴＷの間に存在する）。これは、長いｅＤＲＸサイクル長の下では、ＵＥ１２のサービングセルが、連続するＰＴＷ間でも変化することがあるからである。
【０１１８】
「ＰＴＷ２に関連付けられたいずれかの時間」という用語は、本明細書において使用されるとき、ＰＴＷ２の間およびＰＴＷ２の直前の期間のうちのいずれかを意味する。「ＰＴＷ２に関連付けられたいずれかの時間」という用語は、本明細書では、検証時間（Ｔｖｅｒｉｆｙ）と、交換可能なように呼ばれてもよい。
【０１１９】
ネットワークノードは、１つまたは複数のＵＥの無線測定（例えば、経路損失、ＲＳＲＰ、ＲＳＲＱ、ＲＳ−ＳＩＮＲ、ＳＮＲなど）に基づいて、ＰＴＷ２の間、またはＰＴＷ２の開始前に、ＵＥ１２の最強のセル（セル２）を決定してよい。さらに別の例では、ネットワークノードは、１つまたは複数のセル内のＵＥ１２から受信された信号を測定し、受信された信号レベルに基づいて、最強のセルを決定してよい（例えば、ＳＮＲが最高であるセルが、ＵＥ１２の最強のセルである）。ＵＥ１２は、セル２上で実行されたそのような測定（例えば、ＲＳＲＰ、ＲＳＲＱなど）の測定結果を、ＰＴＷ２の開始前にネットワークノードに報告してよい。１つの例では、ＵＥ１２は、最強のセル（すなわち、セル２）のみに関連付けられた測定結果を送信してよい。別の例では、ＵＥ１２は、２つ以上のセルに関連付けられた測定結果を送信してよく、ネットワークノードは、１つまたは複数の基準に基づいて、ＵＥ１２の最強のセル（すなわち、セル２）を決定する。ネットワークノードは、他のセルの測定されたＲＳＲＱと比較して、測定されたＲＳＲＱが最大であることを条件にして、セルを最強のセルと見なしてよい。別の例では、ネットワークノードは、他のセルの測定されたＲＳＲＰと比較して、セルの測定されたＲＳＲＰが最大であることを条件にして、そのセルを最強のセルと見なす。さらに別の例では、ネットワークノードは、他のセルの測定されたＲＳＲＰおよび／またはＲＳＲＱと比較して、セルの測定されたＲＳＲＰおよび／またはＲＳＲＱが最大であることを条件にして、そのセルを最強のセルと見なす。さらに別の例では、ネットワークノードは、セルの測定されたＲＳＲＰが少なくともＲＳＲＰ＿ｔｈｒｅｓｈｏｌｄを超えていることを条件にして、そのセルを最強のセルと見なす。さらに別の例では、ネットワークノードは、セルの測定されたＲＳＲＱが少なくともＲＳＲＱ＿ｔｈｒｅｓｈｏｌｄを超えていることを条件にして、そのセルを最強のセルと見なす。さらに別の例では、ネットワークノードは、セルの測定されたＲＳＲＰが少なくともＲＳＲＰ＿ｔｈｒｅｓｈｏｌｄを超えていることおよび／またはセルの測定されたＲＳＲＱがＲＳＲＱ＿ｔｈｒｅｓｈｏｌｄを超えていることを条件にして、そのセルを最強のセルと見なす。
【０１２０】
ネットワークノードは、事前に規定されたルールに基づいて、または別のネットワークノードから受信された要求もしくは設定に基づいて、ＣＧＩ２を自律的に取得することを決定してよい。ネットワークノードは、ＰＴＷ２の間のＵＥ１２の最強のセルが以前のＰＴＷ（すなわち、ＰＴＷ１）の間のサービングセルと異なっているのではないかと疑った場合、セル２のＣＧＩ２を取得することを決定してもよい。ネットワークノードは、例えば、ネットワークノードがアップリンクおよび／またはダウンリンクにおいてＵＥ１２へのデータをスケジュールすることが期待される場合、ＣＧＩ２を日和見的に決定することを決定してもよい。ＵＥ１２は、例えばネットワークノードがそのバッファ内にＵＥ１２のデータを保持している場合に、スケジュールされてよい。
【０１２１】
ステップ２０２Ａ（オプション）：ＰＴＷ２に関連付けられた時間の間に、セル２に関連付けられた第２の送信器の識別子を取得する
このステップに従って、ネットワークノードは、セル２に関連付けられた状態Ｂ２を有する第２の送信器の識別子をさらに決定してよい。
【０１２２】
ステップ２０４：ＰＴＷ１およびＰＴＷ２に関連付けられた時間の間に取得された識別子の比較に基づいて、ネットワークノードの無線手順を実行する
このステップでは、ネットワークノードは、ＰＴＷ２の間のＵＥ１２の最強のセルが、ＰＴＷ１の間のＵＥ１２のサービングセルと同じであるかどうかを最初に判定する。ネットワークノードは、決定されたＣＧＩ１とＣＧＩ２（すなわち、ＰＴＷ１におけるサービングセルのＣＧＩとＰＴＷ２における最強のセルのＣＧＩ）を比較することによって、これを判定できる。このような比較に基づいて、ネットワークノードは次のタスクを実行する。
・ＣＧＩ１およびＣＧＩ２が同一である場合、セル１およびセル２は同じであると仮定される。その場合、ネットワークノードは、セル２に対してネットワークノードに関連する無線動作の１つまたは複数の第１の種類を実行する。ネットワークノードによって実行される無線動作は、本明細書では、アクション、タスク、手順、ＲＲＭタスクなどとも、交換可能なように呼ばれる。ネットワークノードの無線動作の第１の種類は、ＰＴＷ１の間にＵＥ１２がセル１によってサービングされたときにネットワークノードによって実行される無線動作と同じであるか、またはそのような無線動作に類似している。例えば、その場合、ネットワークノードは、次のタスクのうちの１つまたは複数を実行してよい。
−  ＵＥ１２がセル２上の信号に対してＲＬＭを実行できるようにするために、１つまたは複数のパラメータを使用してＵＥ１２を設定する。これらのパラメータは、通常、セル１で使用されるパラメータと同じである。
−  ＵＥ１２の任意のデータがバッファ内に存在する場合、遅延なしで、セル２上のアップリンクおよび／またはダウンリンクにおいてＵＥ１２をスケジュールする。
−  ＵＥ１２がＰＴＷ１の間のセル１およびＰＴＷ２の間のセル２が同じである（例えば、同じＣＧＩを持っている）ことを識別したことをネットワークノードに知らせる指示を、ＵＥ１２から受信する。
−  １つまたは複数の測定結果をＵＥ１２から受信し、これらの測定結果を１つまたは複数の動作に使用する（例えば、ＣＳＩ（例えば、ＣＱＩ、ＲＩ、ＰＭＩなど）を、セル２内でスケジュールするために使用するなど）。
・ＣＧＩ１およびＣＧＩ２が同一でない場合、セル１およびセル２は異なっていると仮定される。その場合、ネットワークノードは、セル２に対してネットワークノードの無線動作の第２の種類のうちの１つまたは複数を実行する。ネットワークノードの無線動作の第２の種類は、ＰＴＷ１の間にＵＥ１２がセル１によってサービングされたときにネットワークノードによって実行される無線動作とは、通常は異なっている。例えば、その場合、ネットワークノードは、次のタスクのうちの１つまたは複数を実行してよい。
−  セル２内のアップリンクおよび／またはダウンリンクにおいて、データを使用してＵＥ１２をスケジュールしない。
−  例えば、ＵＥ１２がセル２への接続を確立または再確立した（すなわち、セル２がＵＥ１２の新しいサービングセルになった）後に、ある程度の遅延を伴って、アップリンクおよび／またはダウンリンクにおいてデータを使用してＵＥ１２をスケジュールする。
−  セル２への接続を確立するために、ＵＥ１２からのランダムアクセスメッセージまたはメッセージの受信を準備する。
−  ＵＥ１２がセル２への接続を確立していない限り、ＵＥ１２によって送信されたデータを無視する。
−  ＰＴＷ１の間のセル１およびＰＴＷ２の間のセル２が同じでない（例えば、異なるＣＧＩを持っている）ことをネットワークノードに知らせるメッセージを、ＵＥ１２から受信することを準備する。
【０１２３】
ステップ２０４Ａ（オプション）：ＰＴＷ１およびＰＴＷ２に関連付けられた時間の間に取得された送信器識別子の比較に基づいて、手順を実行する
第１のセル識別子および第２のセル識別子が同じである場合、ネットワークノードは次のうちの１つを実行する。
・第３の送信器識別子および第４の送信器識別子が同じである場合、ネットワークノードに関連する無線動作の第３の種類。
・第３の送信器識別子および第４の送信器識別子が異なる場合、ネットワークノードに関連する無線動作の第４の種類。
【０１２４】
無線動作の第３および第４の種類の一部の例は、ネットワークノードに関連する無線動作の第１および第２の種類に関して前述されたものとそれぞれ同じであるが、セルの代わりに送信器に関するものである。したがって、無線動作の第３の種類は、少なくとも一部の実施形態では、次のうちの１つまたは複数を含む。
・ＵＥ１２が第２の送信器の信号に対してＲＬＭを実行できるようにするために、１つまたは複数のパラメータを使用してＵＥ１２を設定すること。
・少なくとも１つの第２のセルをＵＥ１２の新しいサービングセルにするための遅延なしで、少なくとも１つの第２のセル上のアップリンクおよび／またはダウンリンクにおいてＵＥ１２をスケジュールすること。
・ＵＥ１２が少なくとも１つの第１のセルおよび少なくとも１つの第２のセルを同じであるとして識別したことをネットワークノードに知らせる指示をＵＥ１２から受信すること。
・１つまたは複数の測定結果をＵＥ１２から受信し、１つまたは複数の測定を、少なくとも１つの第２のセル内でスケジュールするために１つまたは複数の動作に使用すること。
同様に、無線動作の第４の種類は、少なくとも一部の実施形態では、次のうちの１つまたは複数を含む。
・少なくとも１つの第２のセル内でのアップリンクおよび／またはダウンリンクデータ送信に関してＵＥ１２をスケジュールすることを抑制すること。
・少なくとも１つの第２のセルをＵＥ１２の新しいサービングセルにするための遅延の後にのみ、少なくとも１つの第２のセル内でのアップリンクおよび／またはダウンリンクデータ送信に関してＵＥ１２をスケジュールすること。
・少なくとも１つの第２のセルへの接続を確立するために、ＵＥ１２からのランダムアクセスメッセージまたはメッセージの受信を準備すること。
・ＵＥ１２が少なくとも１つの第２のセルとの接続を確立していない限り、ＵＥ１２によって送信されたデータを無視すること。
・少なくとも１つの第１のセルおよび少なくとも１つの第２のセルが同じでないことをネットワークノードに知らせるメッセージをＵＥ１２から受信することを準備すること。
【０１２５】
説明された実施形態は、次の利点のうちの１つまたは複数を可能にする。
・開示された方法は、ｅＤＲＸサイクルを使用して設定されたＵＥ１２が、そのサービングセルがｅＤＲＸサイクル内の異なるＰＴＷ機会間で変化したかどうかを一意かつ明確に識別できるようにする。サービングセルが変化している場合、ＵＥ１２は、いずれかのタスク（例えば、ＲＬＭ）を実行する前に、新しいサービングセルとの接続を最初に確立する。しかし、サービングセルが異なるＰＴＷ間で変化していない場合、ＵＥ１２は既存の動作の実行を継続することができる。
・これらの方法は、ＵＥ１２が非常に長い（例えば、数分、数時間などのオーダーの）ｅＤＲＸサイクル長を使用して設定された場合に、ＵＥ１２のサービングセルが異なるＰＴＷ機会間で変化したかどうかをＵＥ１２が一意に決定できるようにすることを保証する。
・これらの方法は、ＵＥ１２が非常に長い（例えば、数分、数時間などのオーダーの）ｅＤＲＸサイクル長を使用して設定された場合に、ＰＴＷの間のスケジューリンググラントおよびデータの損失を防ぐか、または最小限に抑える。
・これらの方法は、ＵＥ１２のサービングセルが異なるＰＴＷ機会間で変化した場合に、ＵＥ１２がネットワークノードに知らせることができることを保証する。
・これらの方法は、ネットワークノードが、ＵＥ１２のサービングセルがｅＤＲＸサイクルの異なるＰＴＷ機会間で変化したかどうかを認識することを保証する。これによって、さらに、ネットワークがスケジューリングリソースの損失を防ぐことができるようにする。
・これらの方法は、第２のＰＴＷにおいて対象の送信器がその状態を変更していない（例えば、依然として最強の送信器、またはサービング送信器、あるいは隣接送信器である）ことを保証する。
・以下の詳細な説明および図面に照らして、さまざまなその他の特徴および利点が、当業者に対して明らかになるであろう。
【０１２６】
非限定的な例として、以下では、３ＧＰＰ  ＴＳＧ−ＲＡＮ  ＷＧ４  ３６．１３３に対する１つの可能な変更のサンプルが提供される。具体的な変更が単に本明細書で開示された一実施形態の例示を目的としており、これらのセクション（またはその他のセクション）および／またはその他の規格に対するさまざまなその他の変更または代替的変更が、本開示の範囲内で、任意の組み合わせで行われ得ることに留意されたい。
３    定義、シンボル、および略語
３．１    定義
本文書の目的のために、ＴＲ  ２１．９０５［２６］において提供されている用語および定義ならびに以下が適用される。本文書において規定された用語は、ＴＲ  ２１．９０５［２６］において同じ用語の定義がもしあれば、その定義に優先する。
いずれかのセルの選択状態：ＴＳ  ３６．３０４［１］における規定に従う
非同期的デュアルコネクティビティ：ＴＳ  ３６．３００［２５］における規定に従う。
キャリアアグリゲーション：より広い送信帯域幅をサポートするための２つ以上のコンポーネントキャリアの集合（ＴＳ  ３６．１０４［３０］）。
デュアルコネクティビティ：ＴＳ  ３６．３００［２５］における規定に従う。
拡張アイドルモードＤＲＸ：ＴＳ  ２４．００８［３４］において規定されているアイドルモードでの拡張ＤＲＸサイクル。１つの拡張ＤＲＸサイクルは、２つの連続するＰＴＷ内の２つの第１のページング機会間の期間である。
拡張接続モードＤＲＸ：ＴＳ  ３６．３３１［２］において規定されている接続モードでの拡張ＤＲＸサイクル。
高動作帯域：別の低い動作帯域よりも高いダウンリンク周波数を備える動作帯域。
帯域間キャリアアグリゲーション：異なる動作帯域内のコンポーネントキャリアのキャリアアグリゲーション（ＴＳ  ３６．１０４［３０］）。
帯域内隣接キャリアアグリゲーション：同じ動作帯域内に集約された隣接キャリア（ＴＳ  ３６．１０４［３０］）。
帯域内非隣接キャリアアグリゲーション：同じ動作帯域内に集約された非隣接キャリア（ＴＳ  ３６．１０４［３０］）。
ＩＤＣ自律的拒否サブフレーム：ＩＤＣ自律的拒否を使用して設定された場合に、ＵＥがＥ−ＵＴＲＡＮ信号を送信しないことが許可される、アップリンクサブフレームの最大数（ＴＳ  ３６．３３１［２］）。
ＩＤＣ自律的拒否有効性：自律的拒否サブフレームがカウントされる期間である（ＴＳ  ３６．３３１［２］）。
ＩＤＣ解決策：これは、ＵＥからのＩｎＤｅｖｉｃｅＣｏｅｘＩｎｄｉｃａｔｉｏｎの受信に応答してｅＮｏｄｅＢによって設定されるＤＲＸまたはＩＤＣ自律的拒否を指す（ＴＳ  ３６．３３１［２］）。
低動作帯域：別の高い動作帯域よりも低いダウンリンク周波数を備える動作帯域。
マスタセルグループ：ＴＳ  ３６．３００［２５］における規定に従う。
マスタｅＮＢ：ＴＳ  ３６．３００［２５］における規定に従う。ＭＢＳＦＮ  ＡＢＳ：ＭＢＳＦＮ設定可能サブフレームにおいて設定されるＡＢＳ。
非ＭＢＳＦＮ  ＡＢＳ：いずれかのダウンリンクサブフレームにおいて設定されるＡＢＳ。
通常性能グループ：増加ＵＥキャリア監視ＵＴＲＡまたはＥ−ＵＴＲＡをサポートするＵＥの場合、周波数間キャリアまたはＲＡＴ間キャリアのグループが２つのグループに分割される。他のグループと比較して遅延性能の良いグループが、通常性能グループと呼ばれる。
ページング時間ウィンドウ：ＴＳ  ２４．００８［３４］における規定に従う。
プライマリセル：ＴＳ  ３６．３３１［２］における規定に従う。
ＰｒｏＳｅ直接通信：ＴＳ  ２３．３０３［３３］における規定に従う。
ＰｒｏＳｅ直接検出：ＴＳ  ２３．３０３［３３］における規定に従う。
プライマリＳＣｅｌｌ：ＴＳ  ３６．３００［２５］における規定に従う。
プライマリセカンダリタイミングアドバンスグループ：ＰＳＣｅｌｌを含んでいるタイミングアドバンスグループ。
プライマリタイミングアドバンスグループ：ＰＣｅｌｌを含んでいるタイミングアドバンスグループ。
低下性能グループ：増加ＵＥキャリア監視ＵＴＲＡまたはＥ−ＵＴＲＡをサポートするＵＥの場合、周波数間キャリアまたはＲＡＴ間キャリアのグループが２つのグループに分割される。他のグループと比較して遅延性能の悪いグループが、低下性能グループと呼ばれる。
セカンダリセル：ＴＳ  ３６．３３１［２］における規定に従う。
セカンダリｅＮＢ：ＴＳ  ３６．３００［２５］における規定に従う。
サービングセル：ＴＳ  ３６．３３１［２］における規定に従う。
セカンダリセルグループ：ＴＳ  ３６．３００［２５］における規定に従う。
セカンダリタイミングアドバンスグループ：ＴＳ  ３６．３３１［２］における規定に従う。
同期的デュアルコネクティビティ：ＴＳ  ３６．３００［２５］における規定に従う。
ＴＤＤ−ＦＤＤキャリアアグリゲーション：Ｅ−ＵＴＲＡ  ＴＤＤおよびＥ−ＵＴＲＡ  ＦＤＤ動作帯域内のコンポーネントキャリアのキャリアアグリゲーション（ＴＳ  ３６．１０４［３０］）。
タイミングアドバンスグループ：ＴＳ  ３６．３３１［２］における規定に従う。
ＵＥカテゴリ０適用可能性：本明細書のこのバージョンでは、ＵＥカテゴリ０の要件は、ＵＥカテゴリ０［３１］および単一アンテナ受信器を仮定して導き出される。
ｘ＿ＲＡ：ＲＳを含んでいない送信されたすべてのＯＦＤＭシンボルにおけるチャネルまたは物理信号ｘのためのｘ−ＲＳ間ＥＰＲＥ比。
ｘ＿ＲＢ：ＲＳを含んでいる送信されたすべてのＯＦＤＭシンボルにおけるチャネルまたは物理信号ｘのためのｘ−ＲＳ間ＥＰＲＥ比。
［１］−−−−変更１の終了−−−−
［２］−−−−変更２の開始−−−−
３．３    略語
本文書の目的のために、ＴＲ  ２１．９０５［２６］において提供されている略語ならびに以下が適用される。本文書において規定された略語は、ＴＲ  ２１．９０５［２６］において同じ略語の定義がもしあれば、その定義に優先する。
１ｘ  ＲＴＴ    ＣＤＭＡ２０００  １ｘ無線送信技術（ＣＤＭＡ２０００  １ｘ  Ｒａｄｉｏ  Ｔｒａｎｓｍｉｓｓｉｏｎ  Ｔｅｃｈｎｏｌｏｇｙ）
ＡＢＳ    オールモストブランクサブフレーム（Ａｌｍｏｓｔ  Ｂｌａｎｋ  Ｓｕｂｆｒａｍｅ）
ＡＲＱ    自動再送要求（Ａｕｔｏｍａｔｉｃ  Ｒｅｐｅａｔ  Ｒｅｑｕｅｓｔ）
ＡＰ    アクセスポイント（Ａｃｃｅｓｓ  Ｐｏｉｎｔ）
ＡＷＧＮ    付加白色ガウス雑音（Ａｄｄｉｔｉｖｅ  Ｗｈｉｔｅ  Ｇａｕｓｓｉａｎ  Ｎｏｉｓｅ）
ＢＣＣＨ    ブロードキャスト制御チャネル（Ｂｒｏａｄｃａｓｔ  Ｃｏｎｔｒｏｌ  Ｃｈａｎｎｅｌ）
ＢＣＨ    ブロードキャストチャネル（Ｂｒｏａｄｃａｓｔ  Ｃｈａｎｎｅｌ）
ＣＡ    キャリアアグリゲーション（Ｃａｒｒｉｅｒ  Ａｇｇｒｅｇａｔｉｏｎ）
ＣＣ    コンポーネントキャリア（Ｃｏｍｐｏｎｅｎｔ  Ｃａｒｒｉｅｒ）
ＣＣＣＨ  ＳＤＵ    共通制御チャネルＳＤＵ（Ｃｏｍｍｏｎ  Ｃｏｎｔｒｏｌ  Ｃｈａｎｎｅｌ  ＳＤＵ）
ＣＧＩ    セルグローバル識別子（Ｃｅｌｌ  Ｇｌｏｂａｌ  Ｉｄｅｎｔｉｆｉｅｒ）
ＣＰＩＣＨ    共通パイロットチャネル（Ｃｏｍｍｏｎ  Ｐｉｌｏｔ  Ｃｈａｎｎｅｌ）
ＣＰＩＣＨ  Ｅｃ／Ｎｏ    帯域内の電力密度で割ったチップ当たりのＣＰＩＣＨ受信エネルギー（ＣＰＩＣＨ  Ｒｅｃｅｉｖｅｄ  ｅｎｅｒｇｙ  ｐｅｒ  ｃｈｉｐ  ｄｉｖｉｄｅｄ  ｂｙ  ｔｈｅ  ｐｏｗｅｒ  ｄｅｎｓｉｔｙ  ｉｎ  ｔｈｅ  ｂａｎｄ）
ＣＲＳ    セル固有の参照信号（Ｃｅｌｌ−ｓｐｅｃｉｆｉｃ  Ｒｅｆｅｒｅｎｃｅ  Ｓｉｇｎａｌｓ）
Ｃ−ＲＮＴＩ    セルＲＮＴＩ（Ｃｅｌｌ  ＲＮＴＩ）
ＣＳＩ    チャネル状態情報（Ｃｈａｎｎｅｌ−Ｓｔａｔｅ  Ｉｎｆｏｒｍａｔｉｏｎ）
ＣＳＩ−ＲＳ    ＣＳＩ参照信号（ＣＳＩ  Ｒｅｆｅｒｅｎｃｅ  Ｓｉｇｎａｌ）
ＤＣ    デュアルコネクティビティ（Ｄｕａｌ  Ｃｏｎｎｅｃｔｉｖｉｔｙ）
ＤＣＣＨ    専用制御チャネル（Ｄｅｄｉｃａｔｅｄ  Ｃｏｎｔｒｏｌ  Ｃｈａｎｎｅｌ）
ＤＬ    ダウンリンク（Ｄｏｗｎｌｉｎｋ）
ＤＭＴＣ    検出信号測定タイミング設定（Ｄｉｓｃｏｖｅｒｙ  ｓｉｇｎａｌ  Ｍｅａｓｕｒｅｍｅｎｔ  Ｔｉｍｉｎｇ  Ｃｏｎｆｉｇｕｒａｔｉｏｎ）
ＤＲＸ    間欠受信（Ｄｉｓｃｏｎｔｉｎｕｏｕｓ  Ｒｅｃｅｐｔｉｏｎ）
ＤＴＣＨ    専用トラフィックチャネル（Ｄｅｄｉｃａｔｅｄ  Ｔｒａｆｆｉｃ  Ｃｈａｎｎｅｌ）
ＤＵＴ    被試験体（Ｄｅｖｉｃｅ  Ｕｎｄｅｒ  Ｔｅｓｔ）
Ｅ−ＣＩＤ    拡張セルＩＤ（Ｅｎｈａｎｃｅｄ  Ｃｅｌｌ−ＩＤ）（位置決め法）
ＥＣＧＩ    エボルブドＣＧＩ（Ｅｖｏｌｖｅｄ  ＣＧＩ）
ｅＤＲＸ＿ＩＤＬＥ    拡張アイドルモードＤＲＸ（Ｅｘｔｅｎｄｅｄ  ＩＤＬＥ−ｍｏｄｅ  ＤＲＸ）
ｅＤＲＸ＿ＣＯＮＮ    拡張接続モードＤＲＸ（Ｅｘｔｅｎｄｅｄ  ＣＯＮＮＥＣＴＥＤ−ｍｏｄｅ  ＤＲＸ）
ｅＮＢ    Ｅ−ＵＴＲＡＮ  ＮｏｄｅＢ
Ｅ−ＳＭＬＣ    拡張サービングモバイルロケーションセンター（Ｅｎｈａｎｃｅｄ  Ｓｅｒｖｉｎｇ  Ｍｏｂｉｌｅ  Ｌｏｃａｔｉｏｎ  Ｃｅｎｔｒｅ）
Ｅ−ＵＴＲＡ    エボルブドＵＴＲＡ（Ｅｖｏｌｖｅｄ  ＵＴＲＡ）
Ｅ−ＵＴＲＡＮ    エボルブドＵＴＲＡＮ（Ｅｖｏｌｖｅｄ  ＵＴＲＡＮ）
ＦＤＤ    周波数分割複信（Ｆｒｅｑｕｅｎｃｙ  Ｄｉｖｉｓｉｏｎ  Ｄｕｐｌｅｘ）
ＧＥＲＡＮ    ＧＳＭ  ＥＤＧＥ無線アクセスネットワーク（ＧＳＭ  ＥＤＧＥ  Ｒａｄｉｏ  Ａｃｃｅｓｓ  Ｎｅｔｗｏｒｋ）
ＧＳＭ    グローバルシステムフォーモバイルコミュニケーションズ（Ｇｌｏｂａｌ  Ｓｙｓｔｅｍ  ｆｏｒ  Ｍｏｂｉｌｅ  ｃｏｍｍｕｎｉｃａｔｉｏｎ）
ＨＡＲＱ    ハイブリッド自動再送要求（Ｈｙｂｒｉｄ  Ａｕｔｏｍａｔｉｃ  Ｒｅｐｅａｔ  Ｒｅｑｕｅｓｔ）
ＨＤ−ＦＤＤ    半二重ＦＤＤ（Ｈａｌｆ−Ｄｕｐｌｅｘ  ＦＤＤ）
ＨＯ    ハンドオーバ（Ｈａｎｄｏｖｅｒ）
ＨＲＰＤ    高速パケットデータ（Ｈｉｇｈ  Ｒａｔｅ  Ｐａｃｋｅｔ  Ｄａｔａ）
ＩＤＣ    デバイス内共存（Ｉｎ−Ｄｅｖｉｃｅ  Ｃｏｅｘｉｓｔｅｎｃｅ）
ＩＥＥＥ    電気電子技術者協会（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）
ＬＰＰ    ＬＴＥ位置決めプロトコル（ＬＴＥ  Ｐｏｓｉｔｉｏｎｉｎｇ  Ｐｒｏｔｏｃｏｌ）
ＬＷＡ    ＬＴＥ−ＷＬＡＮアグリゲーション（ＬＴＥ−ＷＬＡＮ  Ａｇｇｒｅｇａｔｉｏｎ）
ＭＡＣ    媒体アクセス制御（Ｍｅｄｉｕｍ  Ａｃｃｅｓｓ  Ｃｏｎｔｒｏｌ）
ＭＣＧ    マスタセルグループ（Ｍａｓｔｅｒ  Ｃｅｌｌ  Ｇｒｏｕｐ）
ＭｅＮＢ    マスタｅＮＢ（Ｍａｓｔｅｒ  ｅＮＢ）
ＭＢＳＦＮ    マルチメディアブロードキャストマルチキャストサービス単一周波数ネットワーク（Ｍｕｌｔｉｍｅｄｉａ  Ｂｒｏａｄｃａｓｔ  ｍｕｌｔｉｃａｓｔ  ｓｅｒｖｉｃｅ  Ｓｉｎｇｌｅ  Ｆｒｅｑｕｅｎｃｙ  Ｎｅｔｗｏｒｋ）
ＭＢＳＦＮ  ＡＢＳ    ＭＢＳＦＮオールモストブランクサブフレーム（ＭＢＳＦＮ  Ａｌｍｏｓｔ  Ｂｌａｎｋ  Ｓｕｂｆｒａｍｅ）
ＭＤＴ    ドライブテストの最小化（Ｍｉｎｉｍｉｚａｔｉｏｎ  ｏｆ  Ｄｒｉｖｅ  Ｔｅｓｔｓ）
ＭＧＲＰ    測定ギャップ反復期間（Ｍｅａｓｕｒｅｍｅｎｔ  Ｇａｐ  Ｒｅｐｅｔｉｔｉｏｎ  Ｐｅｒｉｏｄ）
ＭＩＢ    マスタ情報ブロック（Ｍａｓｔｅｒ  Ｉｎｆｏｒｍａｔｉｏｎ  Ｂｌｏｃｋ）
ＯＣＮＧ    ＯＦＤＭＡチャネル雑音発生器（ＯＦＤＭＡ  Ｃｈａｎｎｅｌ  Ｎｏｉｓｅ  Ｇｅｎｅｒａｔｏｒ）
ＯＦＤＭ    直交周波数分割多重（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）
ＯＦＤＭＡ    直交周波数分割多重アクセス（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）
ＯＴＤＯＡ    到着の観測時間差（Ｏｂｓｅｒｖｅｄ  Ｔｉｍｅ  Ｄｉｆｆｅｒｅｎｃｅ  ｏｆ  Ａｒｒｉｖａｌ）
ＰＢＣＨ    物理ブロードキャストチャネル（Ｐｈｙｓｉｃａｌ  Ｂｒｏａｄｃａｓｔ  Ｃｈａｎｎｅｌ）
Ｐ−ＣＣＰＣＨ    プライマリ共通制御物理チャネル（Ｐｒｉｍａｒｙ  Ｃｏｍｍｏｎ  Ｃｏｎｔｒｏｌ  Ｐｈｙｓｉｃａｌ  Ｃｈａｎｎｅｌ）
ＰＣｅｌｌ    プライマリセル（Ｐｒｉｍａｒｙ  Ｃｅｌｌ）
ＰＣＦＩＣＨ    物理制御フォーマットインジケータチャネル（Ｐｈｙｓｉｃａｌ  Ｃｏｎｔｒｏｌ  Ｆｏｒｍａｔ  Ｉｎｄｉｃａｔｏｒ  ＣＨａｎｎｅｌ）
ＰＤＣＣＨ    物理ダウンリンク制御チャネル（Ｐｈｙｓｉｃａｌ  Ｄｏｗｎｌｉｎｋ  Ｃｏｎｔｒｏｌ  ＣＨａｎｎｅｌ）
ＰＤＳＣＨ    物理ダウンリンク共有チャネル（Ｐｈｙｓｉｃａｌ  Ｄｏｗｎｌｉｎｋ  Ｓｈａｒｅｄ  ＣＨａｎｎｅｌ）
ＰＨＩＣＨ    物理ハイブリッドＡＲＱインジケータチャネル（Ｐｈｙｓｉｃａｌ  Ｈｙｂｒｉｄ−ＡＲＱ  Ｉｎｄｉｃａｔｏｒ  ＣＨａｎｎｅｌ）
ＰＬＭＮ    公衆陸上移動網（Ｐｕｂｌｉｃ  Ｌａｎｄ  Ｍｏｂｉｌｅ  Ｎｅｔｗｏｒｋ）
ＰＭＣＨ    物理マルチキャストチャネル（Ｐｈｙｓｉｃａｌ  Ｍｕｌｔｉｃａｓｔ  Ｃｈａｎｎｅｌ）
ＰＲＡＣＨ    物理ランダムアクセスチャネル（Ｐｈｙｓｉｃａｌ  Ｒａｎｄｏｍ  Ａｃｃｅｓｓ  ＣＨａｎｎｅｌ）
ＰｒｏＳｅ    近接ベースサービス（Ｐｒｏｘｉｍｉｔｙ−ｂａｓｅｄ  Ｓｅｒｖｉｃｅｓ）
ＰＲＳ    位置決め参照信号（Ｐｏｓｉｔｉｏｎｉｎｇ  Ｒｅｆｅｒｅｎｃｅ  Ｓｉｇｎａｌ）
ＰＳＢＣＨ    物理サイドリンクブロードキャストチャネル（Ｐｈｙｓｉｃａｌ  Ｓｉｄｅｌｉｎｋ  Ｂｒｏａｄｃａｓｔ  ＣＨａｎｎｅｌ）
ＰＳＣＣＨ    物理サイドリンク制御チャネル（Ｐｈｙｓｉｃａｌ  Ｓｉｄｅｌｉｎｋ  Ｃｏｎｔｒｏｌ  Ｃｈａｎｎｅｌ）
ＰＳＣｅｌｌ    プライマリＳＣｅｌｌ（Ｐｒｉｍａｒｙ  ＳＣｅｌｌ）
ＰＳＳ    プライマリ同期信号（Ｐｒｉｍａｒｙ  Ｓｙｎｃｈｒｏｎｉｚａｔｉｏｎ  Ｓｉｇｎａｌ）
ＰＳＳＣＨ    物理サイドリンク共有チャネル（Ｐｈｙｓｉｃａｌ  Ｓｉｄｅｌｉｎｋ  Ｓｈａｒｅｄ  ＣＨａｎｎｅｌ）
ｐｓＴＡＧ    プライマリセカンダリタイミングアドバンスグループ（Ｐｒｉｍａｒｙ  Ｓｅｃｏｎｄａｒｙ  Ｔｉｍｉｎｇ  Ａｄｖａｎｃｅ  Ｇｒｏｕｐ）
ｐＴＡＧ    プライマリタイミングアドバンスグループ（Ｐｒｉｍａｒｙ  Ｔｉｍｉｎｇ  Ａｄｖａｎｃｅ  Ｇｒｏｕｐ）
ＰＴＷ    ページング時間ウィンドウ（Ｐａｇｉｎｇ  Ｔｉｍｅ  Ｗｉｎｄｏｗ）
ＰＵＣＣＨ    物理アップリンク制御チャネル（Ｐｈｙｓｉｃａｌ  Ｕｐｌｉｎｋ  Ｃｏｎｔｒｏｌ  ＣＨａｎｎｅｌ）
ＰＵＳＣＨ    物理アップリンク共有チャネル（Ｐｈｙｓｉｃａｌ  Ｕｐｌｉｎｋ  Ｓｈａｒｅｄ  ＣＨａｎｎｅｌ）
ＲＳ−ＳＩＮＲ    参照信号信号対干渉雑音比（Ｒｅｆｅｒｅｎｃｅ  Ｓｉｇｎａｌ  Ｓｉｇｎａｌ  ｔｏ  Ｎｏｉｓｅ  ａｎｄ  Ｉｎｔｅｒｆｅｒｅｎｃｅ  Ｒａｔｉｏ）
ＲＳＣＰ    受信信号コード電力（Ｒｅｃｅｉｖｅｄ  Ｓｉｇｎａｌ  Ｃｏｄｅ  Ｐｏｗｅｒ）
ＲＳＲＰ    参照信号受信電力（Ｒｅｆｅｒｅｎｃｅ  Ｓｉｇｎａｌ  Ｒｅｃｅｉｖｅｄ  Ｐｏｗｅｒ）
ＲＳＲＱ    参照信号受信品質（Ｒｅｆｅｒｅｎｃｅ  Ｓｉｇｎａｌ  Ｒｅｃｅｉｖｅｄ  Ｑｕａｌｉｔｙ）
ＲＳＳＩ  受信信号強度指示（Ｒｅｃｅｉｖｅｄ  Ｓｉｇｎａｌ  Ｓｔｒｅｎｇｔｈ  Ｉｎｄｉｃａｔｏｒ）
ＲＳＴＤ    参照信号時間差（Ｒｅｆｅｒｅｎｃｅ  Ｓｉｇｎａｌ  Ｔｉｍｅ  Ｄｉｆｆｅｒｅｎｃｅ）
ＱＡＭ    直交振幅変調（Ｑｕａｄｒａｔｕｒｅ  Ａｍｐｌｉｔｕｄｅ  Ｍｏｄｕｌａｔｉｏｎ）
ＲＡＣＨ    ランダムアクセスチャネル（Ｒａｎｄｏｍ  Ａｃｃｅｓｓ  Ｃｈａｎｎｅｌ）
ＲＡＴ    無線アクセス技術（Ｒａｄｉｏ  Ａｃｃｅｓｓ  Ｔｅｃｈｎｏｌｏｇｙ）
ＲＮＣ    無線ネットワークコントローラ（Ｒａｄｉｏ  Ｎｅｔｗｏｒｋ  Ｃｏｎｔｒｏｌｌｅｒ）
ＲＮＴＩ    無線ネットワーク一時的識別子（Ｒａｄｉｏ  Ｎｅｔｗｏｒｋ  Ｔｅｍｐｏｒａｒｙ  Ｉｄｅｎｔｉｆｉｅｒ）
ＲＲＣ    無線リソース制御（Ｒａｄｉｏ  Ｒｅｓｏｕｒｃｅ  Ｃｏｎｔｒｏｌ）
ＲＲＭ    無線リソース管理（Ｒａｄｉｏ  Ｒｅｓｏｕｒｃｅ  Ｍａｎａｇｅｍｅｎｔ）
ＳＣＥ    スモールセルエンハンスメント（Ｓｍａｌｌ  Ｃｅｌｌ  Ｅｎｈａｎｃｅｍｅｎｔ）
ＳＣＨ    同期チャネル（Ｓｙｎｃｈｒｏｎｉｚａｔｉｏｎ  Ｃｈａｎｎｅｌ）
ＳＣｅｌｌ    セカンダリセル（Ｓｅｃｏｎｄａｒｙ  Ｃｅｌｌ）
ＳＣＧ    セカンダリセルグループ（Ｓｅｃｏｎｄａｒｙ  Ｃｅｌｌ  Ｇｒｏｕｐ）ＳＤＵ    サービスデータユニット（Ｓｅｒｖｉｃｅ  Ｄａｔａ  Ｕｎｉｔ）
ＳｅＮＢ    セカンダリｅＮＢ（Ｓｅｃｏｎｄａｒｙ  ｅＮＢ）
ＳＦＮ    システムフレーム番号（Ｓｙｓｔｅｍ  Ｆｒａｍｅ  Ｎｕｍｂｅｒ）
ＳＩ    システム情報（Ｓｙｓｔｅｍ  Ｉｎｆｏｒｍａｔｉｏｎ）
ＳＩＢ    システム情報ブロック（Ｓｙｓｔｅｍ  Ｉｎｆｏｒｍａｔｉｏｎ  Ｂｌｏｃｋ）
ＳＬＳＳ  サイドリンク同期シーケンス（ＳｉｄｅＬｉｎｋ  Ｓｙｎｃｈｒｏｎｉｚａｔｉｏｎ  Ｓｅｑｕｅｎｃｅ）
ＳＯＮ    自己最適化ネットワーク（Ｓｅｌｆ  Ｏｐｔｉｍｉｚｅｄ  Ｎｅｔｗｏｒｋ）
ＳＲＳ    サウンディング参照信号（Ｓｏｕｎｄｉｎｇ  Ｒｅｆｅｒｅｎｃｅ  Ｓｉｇｎａｌ）
ＳＳＳ    セカンダリ同期信号（Ｓｅｃｏｎｄａｒｙ  Ｓｙｎｃｈｒｏｎｉｚａｔｉｏｎ  Ｓｉｇｎａｌ）
ＳＳＴＤ    ＳＦＮおよびサブフレームの時間差（ＳＦＮ  ａｎｄ  ｓｕｂｆｒａｍｅ  ｔｉｍｅ  ｄｉｆｆｅｒｅｎｃｅ）
ｓＴＡＧ    セカンダリタイミングアドバンスグループ（Ｓｅｃｏｎｄａｒｙ  Ｔｉｍｉｎｇ  Ａｄｖａｎｃｅ  Ｇｒｏｕｐ）
ＴＡＧ    タイミングアドバンスグループ（Ｔｉｍｉｎｇ  Ａｄｖａｎｃｅ  Ｇｒｏｕｐ）
ＴＤＤ    時分割複信（Ｔｉｍｅ  Ｄｉｖｉｓｉｏｎ  Ｄｕｐｌｅｘ）
ＴＰ    送信ポイント（Ｔｒａｎｓｍｉｓｓｉｏｎ  Ｐｏｉｎｔ）
ＴＴＩ    送信時間間隔（Ｔｒａｎｓｍｉｓｓｉｏｎ  Ｔｉｍｅ  Ｉｎｔｅｒｖａｌ）
ＵＥ    ユーザ機器（Ｕｓｅｒ  Ｅｑｕｉｐｍｅｎｔ）
ＵＬ    アップリンク（Ｕｐｌｉｎｋ）
ＵＭＴＳ    ユニバーサルモバイルテレコミュニケーションシステム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）
ＵＴＲＡ    汎用地上波無線アクセス（Ｕｎｉｖｅｒｓａｌ  Ｔｅｒｒｅｓｔｒｉａｌ  Ｒａｄｉｏ  Ａｃｃｅｓｓ）
ＵＴＲＡＮ    汎用地上波無線アクセスネットワーク（Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）
ＷＬＡＮ    無線ローカルエリアネットワーク（Ｗｉｒｅｌｅｓｓ  Ｌｏｃａｌ  Ａｒｅａ  Ｎｅｔｗｏｒｋ）
ＷＢ−ＲＳＲＱ    広帯域幅ＲＳＲＱ（Ｗｉｄｅ  Ｂａｎｄｗｉｄｔｈ  ＲＳＲＱ）
［３］−−−−変更２の終了−−−−
［４］−−−−変更３の開始−−−−
Ｅ−ＵＴＲＡＮ  ＲＲＣ＿ＩＤＬＥ状態のモビリティ
４．１    セル選択
ＴＳ３６．３０４に記載されているように、ＵＥがオンに切り替わって、ＰＬＭＮが選択された後に、セル選択プロセスが行われる。このプロセスによって、ＵＥは、利用可能なサービスにアクセスするためにキャンプオンするのに適したセルを選択することができる。このプロセスにおいて、ＵＥは格納情報（格納情報によるセル選択）を使用することができるか、または使用することができない（初期セル選択）。
４．２    セル再選択
４．２．１    概要
セル再選択手順によって、ＵＥは、より適切なセルを選択して、そのセルにキャンプオンすることができる。
ＵＥがセル上で正常キャンプ状態または任意セルへのキャンプ状態にある場合、ＵＥは、サービングセルによって示された周波数内セル、周波数間セル、およびＲＡＴ間セルを検出、同期、および監視しようとするものとする。周波数内セルおよび周波数間セルの場合、サービングセルは、明示的な隣接リストを提供せず、キャリア周波数情報および帯域幅情報のみを提供してよい。ＵＥの測定活動は、ＵＥの測定活動を制限できるＴＳ３６．３０４において規定された測定ルールによっても制御される。
４．２．２    要件
ＵＥは、ＵＥがｅＤＲＸ＿ＩＤＬＥサイクルを使用して設定されていない場合は少なくともＴｈｉｇｈｅｒ＿ｐｒｉｏｒｉｔｙ＿ｓｅａｒｃｈ＝（６０＊Ｎｌａｙｅｒｓ）秒おきに、ＵＥがｅＤＲＸ＿ＩＤＬＥサイクルを使用して設定されている場合は少なくともＴｈｉｇｈｅｒ＿ｐｒｉｏｒｉｔｙ＿ｓｅａｒｃｈ＝ＭＡＸ（６０＊Ｎｌａｙｅｒｓ，１つのｅＤＲＸ＿ＩＤＬＥサイクル）おきに、優先度がより高いすべての層を検索するものとし、Ｎｌａｙｅｒｓは、設定された優先度がより高いＥ−ＵＴＲＡ、ＵＴＲＡ  ＦＤＤ、ＵＴＲＡ  ＴＤＤ、ＣＤＭＡ２０００  １ｘ、およびＨＲＰＤキャリア周波数の総数であり、ＧＳＭ周波数の１つまたは複数のグループが優先度がより高いとして設定された場合に、さらに１だけ増やされる。
ＣＡの能力があるＵＥに関するセクション４．２．２の要件では、付録ＢのセクションＢ．４．２において、付帯条件に関する適用可能な例外が規定されている。
増加キャリア監視Ｅ−ＵＴＲＡまたは増加キャリア監視ＵＴＲＡをサポートするＵＥの場合、異なるキャリアの再選択性能は、通常性能または低下性能のいずれかになるように、上位層によって設定されてよい。要件では、次の定義が使用される。
［１］Ｋｃａｒｒｉｅｒ：隣接セルリスト内の周波数間キャリアの総数
［２］Ｋｃａｒｒｉｅｒ，ｎｏｒｍａｌ＝Ｋｃａｒｒｉｅｒ−Ｋｃａｒｒｉｅｒ，ｒｅｄｕｃｅｄ：通常性能グループ内の監視対象の周波数間キャリアの数
［３］Ｋｃａｒｒｉｅｒ，ｒｅｄｕｃｅｄ：低下性能グループ内の監視対象の周波数間キャリアの数
［４］ＮＵＴＲＡ＿ｃａｒｒｉｅｒ：隣接セルリスト内の設定されたＵＴＲＡ  ＦＤＤキャリアの総数
［５］ＮＵＴＲＡ＿ｃａｒｒｉｅｒ，ｎｏｒｍａｌ＝ＮＵＴＲＡ＿ｃａｒｒｉｅｒ−ＮＵＴＲＡ＿ｃａｒｒｉｅｒ，ｒｅｄｕｃｅｄ：通常性能グループ内の監視対象のＵＴＲＡ  ＦＤＤキャリアの数
［６］ＮＵＴＲＡ＿ｃａｒｒｉｅｒ，ｒｅｄｕｃｅｄ：低下性能グループ内の監視対象のＵＴＲＡ  ＦＤＤキャリアの数
［７］ＮＵＴＲＡ＿ｃａｒｒｉｅｒ＿ＴＤＤ：隣接セルリスト内の設定されたＵＴＲＡ  ＴＤＤキャリアの総数
［８］ＮＵＴＲＡ＿ｃａｒｒｉｅｒ＿ＴＤＤ，ｎｏｒｍａｌ＝ＮＵＴＲＡ＿ｃａｒｒｉｅｒ＿ＴＤＤ−ＮＵＴＲＡ＿ｃａｒｒｉｅｒ＿ＴＤＤ，ｒｅｄｕｃｅｄ：通常性能グループ内の監視対象のＵＴＲＡ  ＴＤＤキャリアの数
［９］ＮＵＴＲＡ＿ｃａｒｒｉｅｒ＿ＴＤＤ，ｒｅｄｕｃｅｄ：低下性能グループ内の監視対象のＵＴＲＡ  ＴＤＤキャリアの数
増加ＵＥキャリア監視Ｅ−ＵＴＲＡ［２、３１］をサポートするＵＥの最小性能要件は、Ｋｃａｒｒｉｅｒ，ｎｏｒｍａｌ≦３のとき、セクション４．２．２．４において規定されているように計算され、増加ＵＥキャリア監視ＵＴＲＡ［２、３１］をサポートするＵＥの最小性能要件は、ＮＵＴＲＡ＿ｃａｒｒｉｅｒ＿ｎｏｒｍａｌ≦３かつＮＵＴＲＡ＿ｃａｒｒｉｅｒ＿ＴＤＤ，ｎｏｒｍａｌ≦３のとき、セクション４．２．２．５において規定されているように計算される。ブロードキャスト隣接セルリストおよびＵＥによってサポートされている帯域を考慮して、通常性能キャリアの数の制限が超過された場合、増加ＵＥキャリア監視Ｅ−ＵＴＲＡをサポートするＵＥは、通常性能を備える少なくとも３つの周波数間キャリアを測定するものとし、増加ＵＥキャリア監視ＵＴＲＡをサポートするＵＥは、通常性能を備える少なくとも３つのＵＴＲＡキャリアを測定するものとする。さらに、低下測定性能ＩＥが示されているキャリアの場合、セクション４．２．２．９ａにおけるＵＥの測定能力まで、低下性能要件が満たされるものとする。増加ＵＥキャリア監視Ｅ−ＵＴＲＡ［２、３１］をサポートしないＵＥの最小性能要件は、そのようなＵＥで監視される必要のあるすべてのＥ−ＵＴＲＡキャリアが、通常性能を有しており、通常性能グループに含まれている（すなわち、Ｋｃａｒｒｉｅｒ，ｎｏｒｍａｌ＝ＫｃａｒｒｉｅｒかつＫｃａｒｒｉｅｒ，ｒｅｄｕｃｅｄ＝０）ことを仮定して計算される。増加ＵＥキャリア監視ＵＴＲＡ［２、３１］をサポートしないＵＥの最小性能要件は、そのようなＵＥで監視される必要のあるすべてのＵＴＲＡキャリアが、通常性能を有しており、通常性能グループに含まれている（すなわち、ＮＵＴＲＡ＿ｃａｒｒｉｅｒ，ｎｏｒｍａｌ＝ＮＵＴＲＡ＿ｃａｒｒｉｅｒ、ＮＵＴＲＡ＿ｃａｒｒｉｅｒ＿ＴＤＤ，ｎｏｒｍａｌ＝ＮＵＴＲＡ＿ｃａｒｒｉｅｒ＿ＴＤＤ、ＮＵＴＲＡ＿ｃａｒｒｉｅｒ，ｒｅｄｕｃｅｄ＝０、かつＮＵＴＲＡ＿ｃａｒｒｉｅｒ＿ＴＤＤ，ｒｅｄｕｃｅｄ＝０）ことを仮定して計算される。低下性能ではないキャリアの要件は、増加ＵＥキャリア監視Ｅ−ＵＴＲＡまたはＵＴＲＡをサポートしないＵＥに適用される。増加キャリア監視Ｅ−ＵＴＲＡも増加キャリア監視ＵＴＲＡもサポートしないＵＥの場合の、監視するキャリアの数に関する能力は、セクション４．２．２．９において規定されている。
４．２．２．１  サービングセルの測定および評価
ＵＥは、サービングセルのＲＳＲＰレベルおよびＲＳＲＱレベルを測定し、少なくともＤＲＸサイクルごとに、サービングセルに関して［１］において規定されているセル選択基準Ｓを評価するものとする。
ＵＥは、少なくとも２つの測定を使用して、サービングセルのＲＳＲＰおよびＲＳＲＱの測定をフィルタリングするものとする。フィルタリングに使用される測定のセット内の少なくとも２つの測定の間隔が、少なくともＤＲＸサイクル／２だけ空けられるものとする。
ＵＥが、ｅＤＲＸ＿ＩＤＬＥサイクルを使用して設定されておらず、Ｎｓｅｒｖ個の連続するＤＲＸサイクルにおいて、表４．２．２．１−１に従って、サービングセルがセル選択基準Ｓを満たしていないことを評価した場合、ＵＥは、ＵＥの測定活動を現在制限している測定ルールに関わらず、サービングセルによって示されたすべての隣接セルの測定を開始するものとする。ＵＥが、ｅＤＲＸ＿ＩＤＬＥサイクルを使用して設定されており、１つのＰＴＷ内のＮｓｅｒｖ個の連続するＤＲＸサイクルにおいて、表４．２．２．１−２に従って、サービングセルがセル選択基準Ｓを満たしていないことを評価した場合、ＵＥは、ＵＥの測定活動を現在制限している測定ルールに関わらず、少なくともサービングセルによって示されたｅＤＲＸを使用して設定されたすべての隣接セルの測定を開始するものとする。
ＲＲＣ＿ＩＤＬＥであるＵＥが、時間Ｔの間に、システム情報において示された周波数内、周波数間、およびＲＡＴ間の情報を使用する検索および測定に基づいてどの新しい適切なセルも検出しなかった場合、ＵＥは、［１］において規定されているように、選択されたＰＬＭＮに対するセル選択手順を開始するものとし、ＵＥがｅＤＲＸ＿ＩＤＬＥサイクルを使用して設定されていない場合はＴ＝１０ｓ、ＵＥがｅＤＲＸ＿ＩＤＬＥサイクルを使用して設定されている場合はＴ＝ＭＡＸ（１０ｓ、１つのｅＤＲＸ＿ＩＤＬＥサイクル）である。
ＵＥがｅＤＲＸ＿ＩＤＬＥを使用して設定されている場合は、測定および評価時にすべてのＰＴＷにおいてサービングセルが同じであるという条件で、このセクションにおける要件が適用される。
2019507550.tif 000003
2019507550.tif 000004
このセクションにおけるどの要件の場合も、ｅＤＲＸ＿ＩＤＬＥを使用して設定されていない状態、ｅＤＲＸ＿ＩＤＬＥサイクルを使用して設定されている状態、ｅＤＲＸ＿ＩＤＬＥサイクル長を変更している状態、およびＰＴＷ設定を変更している状態のうちのいずれか２つの間でＵＥが移行するときに、ＵＥは、移行要件に対応する時間である移行時間間隔の間に、第１のモードおよび第２のモードに対応する２つの要件のうちのより厳しくない方の要件である移行要件を満たすものとする。移行時間間隔の後に、ＵＥは第２のモードに対応する要件を満たす必要がある。
４．２．２．２    空
４．２．２．３    周波数内Ｅ−ＵＴＲＡＮセルの測定
ＵＥは、物理層セル識別情報を含んでいる明示的な周波数内隣接リストなしで、新しい周波数内セルを識別し、識別された周波数内セルのＲＳＲＰおよびＲＳＲＱの測定を実行できるものとする。
ＵＥは、Ｔｒｅｓｅｌｅｃｔｉｏｎ＝０であるとき、Ｔｄｅｔｅｃｔ，ＥＵＴＲＡＮ＿Ｉｎｔｒａ以内に、新たに検出可能な周波数内セルがＴＳ３６．３０４において規定されている再選択基準を満たすかどうかを評価できるものとする。周波数内セルは、対応する帯域に関して付録Ｂ．１．１において規定されているＲＳＲＰ、ＲＳＲＰ  Ｅｓ／Ｉｏｔ、ＳＣＨ＿ＲＰ、およびＳＣＨ  Ｅｓ／Ｉｏｔに従って、検出可能であると見なされる。
ＵＥは、少なくともＴｍｅａｓｕｒｅ，ＥＵＴＲＡＮ＿Ｉｎｔｒａおきに、測定ルールに従って識別および測定された周波数内セルに対して、ＲＳＲＰおよびＲＳＲＱを測定するものとする。
ＵＥは、少なくとも２つの測定を使用して、測定された各周波数内セルのＲＳＲＰおよびＲＳＲＱの測定をフィルタリングするものとする。フィルタリングに使用される測定のセット内の少なくとも２つの測定の間隔が、少なくともＴｍｅａｓｕｒｅ，ＥＵＴＲＡＮ＿Ｉｎｔｒａ／２だけ空けられるものとする。
サービングセルの測定制御システム情報において、Ｅ−ＵＴＲＡ隣接セルが許可されないとして示されている場合、ＵＥはセル再選択においてこのＥ−ＵＴＲＡ隣接セルを考慮しないものとする。
すでに検出されているが、再選択されていない周波数内セルに関して、セルが少なくとも３ｄＢ良くランク付けされているという条件で、フィルタリングは、Ｔｒｅｓｅｌｅｃｔｉｏｎ＝０であるとき、Ｔｅｖａｌｕａｔｅ，Ｅ−ＵＴＲＡＮ＿ｉｎｔｒａ以内に周波数内セルが［１］において規定された再選択基準を満たしていることをＵＥが評価できるようなものであることとする。再選択のためにセルを評価するときに、ＲＳＲＰおよびＳＣＨに関する付帯条件が、周波数内サービングセルと周波数内非サービングセルの両方に適用される。
Ｔｒｅｓｅｌｅｃｔｉｏｎタイマがゼロ以外の値を持っており、周波数内セルがサービングセルよりも良くランク付けされている場合、ＵＥは、Ｔｒｅｓｅｌｅｃｔｉｏｎ時間の間に、この周波数内セルを評価するものとする。このセルがこの期間内でより良くランク付けされたままである場合、ＵＥはこのセルを再選択するものとする。
ｅＤＲＸ＿ＩＤＬＥサイクルを使用して設定されていないＵＥの場合、表４．２．２．３−１においてＴｄｅｔｅｃｔ，ＥＵＴＲＡＮ＿Ｉｎｔｒａ、Ｔｍｅａｓｕｒｅ，ＥＵＴＲＡＮ＿Ｉｎｔｒａ、およびＴｅｖａｌｕａｔｅ，Ｅ−ＵＴＲＡＮ＿ｉｎｔｒａが規定されている。ｅＤＲＸ＿ＩＤＬＥサイクルを使用して設定されているＵＥの場合、表４．２．２．３−２においてＴｄｅｔｅｃｔ，ＥＵＴＲＡＮ＿Ｉｎｔｒａ、Ｔｍｅａｓｕｒｅ，ＥＵＴＲＡＮ＿Ｉｎｔｒａ、およびＴｅｖａｌｕａｔｅ，Ｅ−ＵＴＲＡＮ＿ｉｎｔｒａが規定されており、複数のＰＴＷが使用される場合にＴｄｅｔｅｃｔ，ＥＵＴＲＡＮ＿Ｉｎｔｒａ、Ｔｍｅａｓｕｒｅ，ＥＵＴＲＡＮ＿Ｉｎｔｒａ、およびＴｅｖａｌｕａｔｅ，Ｅ−ＵＴＲＡＮ＿ｉｎｔｒａのいずれかの間にサービングセルがすべてのＰＴＷにおいて同じであるという条件で、これらの要件が適用される。
2019507550.tif 000005
2019507550.tif 000006
このセクションにおけるどの要件の場合も、ｅＤＲＸ＿ＩＤＬＥを使用して設定されていない状態、ｅＤＲＸ＿ＩＤＬＥサイクルを使用して設定されている状態、ｅＤＲＸ＿ＩＤＬＥサイクル長を変更している状態、およびＰＴＷ設定を変更している状態のうちのいずれか２つの間でＵＥが移行するときに、ＵＥは、移行要件に対応する時間である移行時間間隔の間に、第１のモードおよび第２のモードに対応する２つの要件のうちのより厳しくない方の要件である移行要件を満たすものとする。移行時間間隔の後に、ＵＥは第２のモードに対応する要件を満たす必要がある。
４．２．２．４    周波数間Ｅ−ＵＴＲＡＮセルの測定
ＵＥは、サービングセルによってキャリア周波数情報が提供された場合、物理層セル識別情報を含んでいる明示的な隣接リストが提供されない場合でも、新しい周波数間セルを識別し、識別された周波数間セルのＲＳＲＰまたはＲＳＲＱの測定を実行できるものとする。
Ｓｒｘｌｅｖ＞ＳｎｏｎＩｎｔｒａＳｅａｒｃｈＰかつＳｑｕａｌ＞ＳｎｏｎＩｎｔｒａＳｅａｒｃｈＱである場合、ＵＥは、少なくともＴｈｉｇｈｅｒ＿ｐｒｉｏｒｉｔｙ＿ｓｅａｒｃｈおきに、より優先度の高い周波数間層を検索するものとし、Ｔｈｉｇｈｅｒ＿ｐｒｉｏｒｉｔｙ＿ｓｅａｒｃｈは４．２．２節において説明されている。
Ｓｒｘｌｅｖ≦ＳｎｏｎＩｎｔｒａＳｅａｒｃｈＰまたはＳｑｕａｌ≦ＳｎｏｎＩｎｔｒａＳｅａｒｃｈＱである場合、ＵＥは、可能性のある再選択に備えて、優先度がより高いか、同じであるか、またはより低い周波数間層を検索して、測定するものとする。このシナリオでは、ＵＥがより優先度の高い層を検索して測定するために必要な最小速度は、下で規定されている最小速度と同じであるものとする。
ＵＥがｅＤＲＸ＿ＩＤＬＥサイクルを使用して設定されていないか、または２０．４８ｓ以下のｅＤＲＸ＿ＩＤＬＥサイクルを使用して設定されている場合、ＵＥは、Ｔｒｅｓｅｌｅｃｔｉｏｎ＝０であるときに、少なくとも周波数間隣接セルに関するキャリア周波数情報がサービングセルによって提供された場合、Ｋｃａｒｒｉｅｒ，ｎｏｒｍａｌ＊Ｔｄｅｔｅｃｔ，ＥＵＴＲＡＮ＿Ｉｎｔｅｒ以内に通常性能グループ内の新たに検出可能な周波数間セルがＴＳ３６．３０４において規定された再選択基準を満たすかどうかを評価することができ、６＊Ｋｃａｒｒｉｅｒ，ｒｅｄｕｃｅｄ＊Ｔｄｅｔｅｃｔ，ＥＵＴＲＡＮ＿Ｉｎｔｅｒ以内に低下性能グループ内の新たに検出可能な周波数間セルがＴＳ３６．３０４において規定された再選択基準を満たすかどうかを評価することができるものとするが、少なくとも、ランク付けに基づく再選択の場合は５ｄＢ、または絶対優先に基づくＲＳＲＰ再選択の場合は６ｄＢ、または絶対優先に基づくＲＳＲＱ再選択の場合は４ｄＢのマージンによって、再選択基準が満たされることが条件になる。ＵＥが２０．４８ｓよりも長いｅＤＲＸ＿ＩＤＬＥサイクルを使用して設定されている場合、ＵＥは、Ｔｒｅｓｅｌｅｃｔｉｏｎ＝０であるときに、少なくとも周波数間隣接セルに関するキャリア周波数情報がサービングセルによって提供された場合、Ｋｃａｒｒｉｅｒ，ｎｏｒｍａｌ＊Ｔｄｅｔｅｃｔ，ＥＵＴＲＡＮ＿Ｉｎｔｅｒ以内かつＳｒｘｌｅｖ＜３ｄＢまたはＳｑｕａｌ＜３ｄＢであるときに、通常性能グループ内の新たに検出可能な周波数間セルがＴＳ３６．３０４において規定された再選択基準を満たすかどうかを評価することができ、６＊Ｋｃａｒｒｉｅｒ，ｒｅｄｕｃｅｄ＊Ｔｄｅｔｅｃｔ，ＥＵＴＲＡＮ＿Ｉｎｔｅｒ以内に低下性能グループ内の新たに検出可能な周波数間セルがＴＳ３６．３０４において規定された再選択基準を満たすかどうかを評価することができるものとするが、少なくとも、ランク付けに基づく再選択の場合は５ｄＢ、または絶対優先に基づくＲＳＲＰ再選択の場合は６ｄＢ、または絶対優先に基づくＲＳＲＱ再選択の場合は４ｄＢのマージンによって、再選択基準が満たされることが条件になる。周波数間内セルは、対応する帯域に関して付録Ｂ．１．２において規定されているＲＳＲＰ、ＲＳＲＰ  Ｅｓ／Ｉｏｔ、ＳＣＨ＿ＲＰ、およびＳＣＨ  Ｅｓ／Ｉｏｔに従って、検出可能であると見なされる。
高優先度検索によってより優先度の高いセルが検出される場合、これらのセルは、少なくともＴｍｅａｓｕｒｅ，Ｅ−ＵＴＲＡＮ＿Ｉｎｔｅｒおきに測定されるものとする。高優先度検索においてセルを検出した後に、再選択が発生していないことが決定された場合、ＵＥは、進行中の再選択の可能性を評価するために、検出されたセルを継続的に測定する必要がない。ただし、ＵＥがセルの測定を停止してよいことを決定する前に、本節において後で規定される最小測定フィルタリング要件が、ＵＥによって引き続き満たされるものとする。ＵＥが、Ｅ−ＵＴＲＡキャリア上で物理識別情報を有するセルを検出し、この物理識別情報がこのキャリアに対して許可されていないとして、サービングセルの測定制御システム情報において示されている場合、ＵＥは、このセルに対して測定を実行する必要がない。
ＵＥが、２０．４８ｓ以下のｅＤＲＸ＿ＩＤＬＥサイクルを使用して設定されている場合、ＵＥは、通常性能グループ内の識別された優先度がより低いまたは等しい周波数間セルの場合は少なくともＫｃａｒｒｉｅｒ，ｎｏｒｍａｌ＊Ｔｍｅａｓｕｒｅ，ＥＵＴＲＡＮ＿Ｉｎｔｅｒおきに、低下性能グループ内の識別された優先度がより低いまたは等しい周波数間セルの場合は少なくとも６＊Ｋｃａｒｒｉｅｒ，ｒｅｄｕｃｅｄ＊Ｔｍｅａｓｕｒｅ，ＥＵＴＲＡＮ＿Ｉｎｔｅｒおきに、ＲＳＲＰまたはＲＳＲＱを測定するものとする。ＵＥが、２０．４８ｓよりも長いｅＤＲＸ＿ＩＤＬＥサイクルを使用して設定されている場合、ＵＥは、通常性能グループ内の識別された優先度がより低いまたは等しい周波数間セルの場合は少なくともＫｃａｒｒｉｅｒ，ｎｏｒｍａｌ＊Ｔｍｅａｓｕｒｅ，ＥＵＴＲＡＮ＿Ｉｎｔｅｒおきに、Ｓｒｘｌｅｖ＜３ｄＢまたはＳｑｕａｌ＜３ｄＢであるときに低下性能グループ内の識別された優先度がより低いまたは等しい周波数間セルの場合は少なくとも６＊Ｋｃａｒｒｉｅｒ，ｒｅｄｕｃｅｄ＊Ｔｍｅａｓｕｒｅ，ＥＵＴＲＡＮ＿Ｉｎｔｅｒおきに、ＲＳＲＰまたはＲＳＲＱを測定するものとする。ＵＥが、Ｅ−ＵＴＲＡキャリア上で物理識別情報を有するセルを検出し、この物理識別情報がこのキャリアに対して許可されていないとして、サービングセルの測定制御システム情報において示されている場合、ＵＥは、このセルに対して測定を実行する必要がない。
ＵＥは、少なくとも２つの測定を使用して、測定された優先度がより高い、より低い、または等しい各周波数間セルのＲＳＲＰおよびＲＳＲＱの測定をフィルタリングするものとする。フィルタリングに使用される測定のセット内の少なくとも２つの測定の間隔が、少なくともＴｍｅａｓｕｒｅ，ＥＵＴＲＡＮ＿Ｉｎｔｅｒ／２だけ空けられるものとする。
サービングセルの測定制御システム情報において、Ｅ−ＵＴＲＡ隣接セルが許可されないとして示されている場合、ＵＥはセル再選択においてこのＥ−ＵＴＲＡ隣接セルを考慮しないものとする。
ＵＥが、２０．４８ｓ以下のｅＤＲＸ＿ＩＤＬＥサイクルを使用して設定されている場合、すでに検出されているが再選択されていない周波数間セルに関して、フィルタリングは、ＵＥが、Ｔｒｅｓｅｌｅｃｔｉｏｎ＝０であるとき、Ｋｃａｒｒｉｅｒ，ｎｏｒｍａｌ＊Ｔｅｖａｌｕａｔｅ，Ｅ−ＵＴＲＡＮ＿Ｉｎｔｅｒ以内に通常性能グループ内の周波数間セルがＴＳ．３６．３０４において規定された再選択基準を満たしていることを評価することができ、かつ６＊Ｋｃａｒｒｉｅｒ，ｒｅｄｕｃｅｄ＊Ｔｅｖａｌｕａｔｅ，Ｅ−ＵＴＲＡＮ＿Ｉｎｔｅｒ以内に低下性能グループ内の周波数間セルがＴＳ．３６．３０４において規定された再選択基準を満たしていることを評価することができるようなものであることとするが、少なくとも、ランク付けに基づく再選択の場合は５ｄＢ、または絶対優先に基づくＲＳＲＰ再選択の場合は６ｄＢ、または絶対優先に基づくＲＳＲＱ再選択の場合は４ｄＢのマージンによって、再選択基準が満たされることが条件になる。ＵＥが、２０．４８ｓよりも長いｅＤＲＸ＿ＩＤＬＥサイクルを使用して設定されている場合、すでに検出されているが再選択されていない周波数間セルに関して、フィルタリングは、ＵＥが、Ｔｒｅｓｅｌｅｃｔｉｏｎ＝０であるとき、Ｋｃａｒｒｉｅｒ，ｎｏｒｍａｌ＊Ｔｅｖａｌｕａｔｅ，Ｅ−ＵＴＲＡＮ＿Ｉｎｔｅｒ以内に通常性能グループ内の周波数間セルがＴＳ．３６．３０４において規定された再選択基準を満たしていることを評価することができ、かつＳｒｘｌｅｖ＜３ｄＢまたはＳｑｕａｌ＜３ｄＢであるときに、６＊Ｋｃａｒｒｉｅｒ，ｒｅｄｕｃｅｄ＊Ｔｅｖａｌｕａｔｅ，Ｅ−ＵＴＲＡＮ＿Ｉｎｔｅｒ以内に低下性能グループ内の周波数間セルがＴＳ．３６．３０４において規定された再選択基準を満たしていることを評価することができるようなものであることとするが、少なくとも、ランク付けに基づく再選択の場合は５ｄＢ、または絶対優先に基づくＲＳＲＰ再選択の場合は６ｄＢ、または絶対優先に基づくＲＳＲＱ再選択の場合は４ｄＢのマージンによって、再選択基準が満たされることが条件になる。再選択のためにセルを評価するときに、ＲＳＲＰおよびＳＣＨに関する付帯条件が、サービングセルと周波数間セルの両方に適用される。
Ｔｒｅｓｅｌｅｃｔｉｏｎタイマがゼロ以外の値を持っており、周波数間セルがサービングセルよりも良くランク付けされている場合、ＵＥは、Ｔｒｅｓｅｌｅｃｔｉｏｎ時間の間に、この周波数間セルを評価するものとする。このセルがこの期間内でより良くランク付けされたままである場合、ＵＥはこのセルを再選択するものとする。
ｅＤＲＸ＿ＩＤＬＥサイクルを使用して設定されていないＵＥの場合、表４．２．２．４−１においてＴｄｅｔｅｃｔ，ＥＵＴＲＡＮ＿Ｉｎｔｅｒ、Ｔｍｅａｓｕｒｅ，ＥＵＴＲＡＮ＿Ｉｎｔｅｒ、およびＴｅｖａｌｕａｔｅ，Ｅ−ＵＴＲＡＮ＿ｉｎｔｅｒが規定されている。ｅＤＲＸ＿ＩＤＬＥサイクルを使用して設定されているＵＥの場合、表４．２．２．４−２においてＴｄｅｔｅｃｔ，ＥＵＴＲＡＮ＿Ｉｎｔｅｒ、Ｔｍｅａｓｕｒｅ，ＥＵＴＲＡＮ＿Ｉｎｔｅｒ、およびＴｅｖａｌｕａｔｅ，Ｅ−ＵＴＲＡＮ＿ｉｎｔｅｒが規定されており、複数のＰＴＷが使用される場合にＴｄｅｔｅｃｔ，ＥＵＴＲＡＮ＿Ｉｎｔｅｒ、Ｔｍｅａｓｕｒｅ，ＥＵＴＲＡＮ＿Ｉｎｔｅｒ、およびＴｅｖａｌｕａｔｅ，Ｅ−ＵＴＲＡＮ＿ｉｎｔｅｒのいずれかの間にサービングセルがすべてのＰＴＷにおいて同じであるという条件で、これらの要件が適用される。
2019507550.tif 000007
2019507550.tif 000008
より優先度の高いセルの場合、ＵＥは、必要に応じてより短い値をＴｍｅａｓｕｒｅＥ−ＵＴＲＡ＿Ｉｎｔｅｒに使用してよいが、この値はＭａｘ（０．６４ｓ，１つのＤＲＸサイクル）以上であるものとする。
このセクションにおけるどの要件の場合も、ｅＤＲＸ＿ＩＤＬＥを使用して設定されていない状態、ｅＤＲＸ＿ＩＤＬＥサイクルを使用して設定されている状態、ｅＤＲＸ＿ＩＤＬＥサイクル長を変更している状態、およびＰＴＷ設定を変更している状態のうちのいずれか２つの間でＵＥが移行するときに、ＵＥは、移行要件に対応する時間である移行時間間隔の間に、第１のモードおよび第２のモードに対応する２つの要件のうちのより厳しくない方の要件である移行要件を満たすものとする。移行時間間隔の後に、ＵＥは第２のモードに対応する要件を満たす必要がある。
４．２．２．５    ＲＡＴ間セルの測定
Ｓｒｘｌｅｖ＞ＳｎｏｎＩｎｔｒａＳｅａｒｃｈＰかつＳｑｕａｌ＞ＳｎｏｎＩｎｔｒａＳｅａｒｃｈＱである場合、ＵＥは、少なくともＴｈｉｇｈｅｒ＿ｐｒｉｏｒｉｔｙ＿ｓｅａｒｃｈおきに、より優先度の高いＲＡＴ間層を検索するものとし、Ｔｈｉｇｈｅｒ＿ｐｒｉｏｒｉｔｙ＿ｓｅａｒｃｈは４．２．２節において説明されている。
Ｓｒｘｌｅｖ≦ＳｎｏｎＩｎｔｒａＳｅａｒｃｈＰまたはＳｑｕａｌ≦ＳｎｏｎＩｎｔｒａＳｅａｒｃｈＱである場合、ＵＥは、可能性のある再選択に備えて、優先度がより高いまたはより低いＲＡＴ間層を検索して、測定するものとする。このシナリオでは、ＵＥがより優先度の高いＲＡＴ間層を検索して測定するために必要な最小速度は、より優先度の低いＲＡＴに関して下で規定されている最小速度と同じであるものとする。
セクション４．２．２．５におけるどの要件の場合も、ｅＤＲＸ＿ＩＤＬＥを使用して設定されていない状態、ｅＤＲＸ＿ＩＤＬＥサイクルを使用して設定されている状態、ｅＤＲＸ＿ＩＤＬＥサイクル長を変更している状態、およびＰＴＷ設定を変更している状態のうちのいずれか２つの間でＵＥが移行するときに、ＵＥは、移行要件に対応する時間である移行時間間隔の間に、第１のモードおよび第２のモードに対応する２つの要件のうちのより厳しくない方の要件である移行要件を満たすものとする。移行時間間隔の後に、ＵＥは第２のモードに対応する要件を満たす必要がある。
４．２．２．５．１    ＵＴＲＡＮ  ＦＤＤセルの測定
測定ルールが、ＵＴＲＡ  ＦＤＤセルが測定対象であることを示している場合、ＵＥは、このセクションにおいて規定された最小測定速度で、隣接周波数リスト内の検出されたＵＴＲＡ  ＦＤＤセルのＣＰＩＣＨ  Ｅｃ／ＩｏおよびＣＰＩＣＨ  ＲＳＣＰを測定するものとする。ＵＥは、少なくとも２つの測定を使用して、測定された各ＵＴＲＡ  ＦＤＤセルのＣＰＩＣＨ  Ｅｃ／ＩｏおよびＣＰＩＣＨ  ＲＳＣＰの測定をフィルタリングするものとする。フィルタリングに使用される測定のセット内の少なくとも２つの測定の間隔が、少なくとも規定された最小測定期間の半分だけ空けられるものとする。
ＵＥがｅＤＲＸ＿ＩＤＬＥサイクルを使用して設定されていないか、または２０．４８ｓ以下のｅＤＲＸ＿ＩＤＬＥサイクルを使用して設定されている場合、ＵＥは、ＴｒｅｓｅｌｅｃｔｉｏｎＲＡＴ＝０のときに、Ｓｒｘｌｅｖ≦ＳｎｏｎＩｎｔｒａＳｅａｒｃｈＰまたはＳｑｕａｌ≦ＳｎｏｎＩｎｔｒａＳｅａｒｃｈＱである場合に、時間（ＮＵＴＲＡ＿ｃａｒｒｉｅｒ，ｎｏｒｍａｌ）＊ＴｄｅｔｅｃｔＵＴＲＡ＿ＦＤＤ以内に通常性能グループ内の新たに検出可能なＵＴＲＡ  ＦＤＤセルがＴＳ  ３６．３０４における再選択基準を満たしているかどうかを評価し、時間６＊ＮＵＴＲＡ＿ｃａｒｒｉｅｒ，ｒｅｄｕｃｅｄ＊ＴｄｅｔｅｃｔＵＴＲＡ＿ＦＤＤ以内に低下性能グループ内の新たに検出可能なＵＴＲＡ  ＦＤＤセルがＴＳ  ３６．３０４における再選択基準を満たしているかどうかを評価するものとするが、ＲＳＣＰに基づく再選択の場合は少なくとも６ｄＢのマージン、またはＥｃ／Ｉｏに基づく再選択の場合は少なくとも３ｄＢのマージンによって、再選択基準が満たされることが条件になる。ＵＥが２０．４８ｓよりも長いｅＤＲＸ＿ＩＤＬＥサイクルを使用して設定されている場合、ＵＥは、ＴｒｅｓｅｌｅｃｔｉｏｎＲＡＴ＝０のときに、Ｓｒｘｌｅｖ≦ＳｎｏｎＩｎｔｒａＳｅａｒｃｈＰまたはＳｑｕａｌ≦ＳｎｏｎＩｎｔｒａＳｅａｒｃｈＱである場合に、時間（ＮＵＴＲＡ＿ｃａｒｒｉｅｒ，ｎｏｒｍａｌ）＊ＴｄｅｔｅｃｔＵＴＲＡ＿ＦＤＤ以内に通常性能グループ内の新たに検出可能なＵＴＲＡ  ＦＤＤセルがＴＳ  ３６．３０４における再選択基準を満たしているかどうかを評価し、Ｓｒｘｌｅｖ＜３ｄＢまたはＳｑｕａｌ＜３ｄＢであるときに時間６＊ＮＵＴＲＡ＿ｃａｒｒｉｅｒ，ｒｅｄｕｃｅｄ＊ＴｄｅｔｅｃｔＵＴＲＡ＿ＦＤＤ以内に低下性能グループ内の新たに検出可能なＵＴＲＡ  ＦＤＤセルがＴＳ  ３６．３０４における再選択基準を満たしているかどうかを評価するものとするが、ＲＳＣＰに基づく再選択の場合は少なくとも６ｄＢのマージン、またはＥｃ／Ｉｏに基づく再選択の場合は少なくとも３ｄＢのマージンによって、再選択基準が満たされることが条件になる。
ＵＥがｅＤＲＸ＿ＩＤＬＥサイクルを使用して設定されていないか、または２０．４８ｓ以下のｅＤＲＸ＿ＩＤＬＥサイクルを使用して設定されている場合、検出されたセルが、Ｓｒｘｌｅｖ≦ＳｎｏｎＩｎｔｒａＳｅａｒｃｈＰまたはＳｑｕａｌ≦ＳｎｏｎＩｎｔｒａＳｅａｒｃｈＱである場合に、通常性能グループ内のセルの場合は少なくとも（ＮＵＴＲＡ＿ｃａｒｒｉｅｒ，ｎｏｒｍａｌ）＊ＴｍｅａｓｕｒｅＵＴＲＡ＿ＦＤＤおきに、低下性能グループ内のセルの場合は少なくとも６＊ＮＵＴＲＡ＿ｃａｒｒｉｅｒ，ｒｅｄｕｃｅｄ＊ＴｍｅａｓｕｒｅＵＴＲＡ＿ＦＤＤおきに、測定されるものとする。ＵＥが２０．４８ｓよりも長いｅＤＲＸ＿ＩＤＬＥサイクルを使用して設定されている場合、検出されたセルが、Ｓｒｘｌｅｖ≦ＳｎｏｎＩｎｔｒａＳｅａｒｃｈＰまたはＳｑｕａｌ≦ＳｎｏｎＩｎｔｒａＳｅａｒｃｈＱである場合に、通常性能グループ内のセルの場合は少なくとも（ＮＵＴＲＡ＿ｃａｒｒｉｅｒ，ｎｏｒｍａｌ）＊ＴｍｅａｓｕｒｅＵＴＲＡ＿ＦＤＤおきに、Ｓｒｘｌｅｖ＜３ｄＢまたはＳｑｕａｌ＜３ｄＢであるときに低下性能グループ内のセルの場合は少なくとも６＊ＮＵＴＲＡ＿ｃａｒｒｉｅｒ，ｒｅｄｕｃｅｄ＊ＴｍｅａｓｕｒｅＵＴＲＡ＿ＦＤＤおきに、測定されるものとする。
高優先度検索によってより優先度の高いＵＴＲＡ  ＦＤＤセルが検出された場合、これらのセルは、少なくともＴｍｅａｓｕｒｅ，ＵＴＲＡ＿ＦＤＤおきに測定されるものとする。高優先度検索においてセルを検出した後に、再選択が発生していないことが決定された場合、ＵＥは、進行中の再選択の可能性を評価するために、検出されたセルを継続的に測定する必要がない。ただし、ＵＥがセルの測定を停止してよいことを決定する前に、本節において後で規定される最小測定フィルタリング要件が、ＵＥによって引き続き満たされるものとする。
ＵＥがｅＤＲＸ＿ＩＤＬＥサイクルを使用して設定されていないか、または２０．４８ｓ以下のｅＤＲＸ＿ＩＤＬＥサイクルを使用して設定されている場合、すでに検出されているが再選択されていないセルに関して、フィルタリングは、ＵＥが、Ｔｒｅｓｅｌｅｃｔｉｏｎ＝０であるとき、セルが通常性能グループに含まれる場合は（ＮＵＴＲＡ＿ｃａｒｒｉｅｒ，ｎｏｒｍａｌ）＊ＴｅｖａｌｕａｔｅＵＴＲＡ＿ＦＤＤ以内に、セルが低下性能グループに含まれる場合は６＊ＮＵＴＲＡ＿ｃａｒｒｉｅｒ，ｒｅｄｕｃｅｄ＊ＴｅｖａｌｕａｔｅＵＴＲＡ＿ＦＤＤ以内に、すでに識別されたＵＴＲＡ  ＦＤＤセルがＴＳ  ３６．３０４［１］において規定された再選択基準を満たしていることを評価することができるようなものであることとするが、ＲＳＣＰに基づく再選択の場合は少なくとも６ｄＢのマージン、またはＥｃ／Ｉｏに基づく再選択の場合は少なくとも３ｄＢのマージンによって、再選択基準が満たされることが条件になる。ＵＥが２０．４８ｓよりも長いｅＤＲＸ＿ＩＤＬＥサイクルを使用して設定されている場合、すでに検出されているが再選択されていないセルに関して、フィルタリングは、ＵＥが、Ｔｒｅｓｅｌｅｃｔｉｏｎ＝０であるとき、セルが通常性能グループに含まれる場合は（ＮＵＴＲＡ＿ｃａｒｒｉｅｒ，ｎｏｒｍａｌ）＊ＴｅｖａｌｕａｔｅＵＴＲＡ＿ＦＤＤ以内に、Ｓｒｘｌｅｖ＜３ｄＢまたはＳｑｕａｌ＜３ｄＢであるときにセルが低下性能グループに含まれる場合は６＊ＮＵＴＲＡ＿ｃａｒｒｉｅｒ，ｒｅｄｕｃｅｄ＊ＴｅｖａｌｕａｔｅＵＴＲＡ＿ＦＤＤ以内に、すでに識別されたＵＴＲＡ  ＦＤＤセルがＴＳ  ３６．３０４において規定された再選択基準を満たしていることを評価することができるようなものであることとするが、ＲＳＣＰに基づく再選択の場合は少なくとも６ｄＢのマージン、またはＥｃ／Ｉｏに基づく再選択の場合は少なくとも３ｄＢのマージンによって、再選択基準が満たされることが条件になる。
Ｔｒｅｓｅｌｅｃｔｉｏｎタイマがゼロ以外の値を持っており、ＵＴＲＡ  ＦＤＤセルが［１］において規定された再選択基準を満たしている場合、ＵＥは、Ｔｒｅｓｅｌｅｃｔｉｏｎ時間の間に、このＵＴＲＡ  ＦＤＤセルを評価するものとする。このセルがこの期間内で再選択基準を満たしたままである場合、ＵＥはこのセルを再選択するものとする。
ｅＤＲＸ＿ＩＤＬＥサイクルを使用して設定されていないＵＥの場合、表４．２．２．５．１−１においてＴｄｅｔｅｃｔＵＴＲＡ＿ＦＤＤ、ＴｍｅａｓｕｒｅＵＴＲＡ＿ＦＤＤ、およびＴｅｖａｌｕａｔｅＵＴＲＡ＿ＦＤＤが規定されている。ｅＤＲＸ＿ＩＤＬＥサイクルを使用して設定されているＵＥの場合、表４．２．２．５．１−２においてＴｄｅｔｅｃｔＵＴＲＡ＿ＦＤＤ、ＴｍｅａｓｕｒｅＵＴＲＡ＿ＦＤＤ、およびＴｅｖａｌｕａｔｅＵＴＲＡ＿ＦＤＤが規定されており、複数のＰＴＷが使用される場合にＴｄｅｔｅｃｔＵＴＲＡ＿ＦＤＤ、ＴｍｅａｓｕｒｅＵＴＲＡ＿ＦＤＤ、およびＴｅｖａｌｕａｔｅＵＴＲＡ＿ＦＤＤのいずれかの間にサービングセルがすべてのＰＴＷにおいて同じであるという条件で、これらの要件が適用される。
2019507550.tif 000009
2019507550.tif 000010
より優先度の高いセルの場合、ＵＥは、必要に応じてより短い値をＴｍｅａｓｕｒｅＵＴＲＡ＿ＦＤＤに使用してよいが、この値はＭａｘ（０．６４ｓ，１つのＤＲＸサイクル）以上であるものとする。
４．２．２．５．２    ＵＴＲＡＮ  ＴＤＤセルの測定
測定ルールが、ＵＴＲＡ  ＴＤＤセルが測定対象であることを示している場合、ＵＥは、このセクションにおいて規定された最小測定速度で、隣接周波数リスト内の検出されたＵＴＲＡ  ＴＤＤセルのＰ−ＣＣＰＣＨ  ＲＳＣＰを測定するものとする。ＵＥは、少なくとも２つの測定を使用して、測定された各ＵＴＲＡ  ＴＤＤセルのＰ−ＣＣＰＣＨ  ＲＳＣＰの測定をフィルタリングするものとする。フィルタリングに使用される測定のセット内の少なくとも２つの測定の間隔が、少なくとも規定された最小測定期間の半分だけ空けられるものとする。ＵＥがｅＤＲＸ＿ＩＤＬＥサイクルを使用して設定されていない場合、ＵＴＲＡＮ  ＴＤＤセルのＰ−ＣＣＰＣＨ  ＲＳＣＰは、表４．２．２．５．２−１において規定された期間よりも長い期間にわたってフィルタリングされないものとする。ＵＥがｅＤＲＸ＿ＩＤＬＥサイクルを使用して設定されている場合、ＵＴＲＡＮ  ＴＤＤセルのＰ−ＣＣＰＣＨ  ＲＳＣＰは、表４．２．２．５．２−２において規定された期間よりも長い期間にわたってフィルタリングされないものとする。
ＵＥがｅＤＲＸ＿ＩＤＬＥサイクルを使用して設定されていないか、または２０．４８ｓ以下のｅＤＲＸ＿ＩＤＬＥサイクルを使用して設定されている場合、ＵＥは、Ｔｒｅｓｅｌｅｃｔｉｏｎ＝０のときに、Ｓｒｘｌｅｖ≦ＳｎｏｎＩｎｔｒａＳｅａｒｃｈＰまたはＳｑｕａｌ≦ＳｎｏｎＩｎｔｒａＳｅａｒｃｈＱである場合に、時間（ＮＵＴＲＡ＿ｃａｒｒｉｅｒ＿ＴＤＤ，ｎｏｒｍａｌ）＊ＴｄｅｔｅｃｔＵＴＲＡ＿ＴＤＤ以内に通常性能グループ内の新たに検出可能なＵＴＲＡ  ＴＤＤセルがＴＳ  ３６．３０４における再選択基準を満たしているかどうかを評価し、時間６＊ＮＵＴＲＡ＿ｃａｒｒｉｅｒ＿ＴＤＤ，ｒｅｄｕｃｅｄ＊ＴｄｅｔｅｃｔＵＴＲＡ＿ＴＤＤ以内に低下性能グループ内の新たに検出可能なＵＴＲＡ  ＴＤＤセルがＴＳ  ３６．３０４における再選択基準を満たしているかどうかを評価するものとするが、少なくとも６ｄＢのマージンによって再選択基準が満たされることが条件になる。ＵＥが２０．４８ｓよりも長いｅＤＲＸ＿ＩＤＬＥサイクルを使用して設定されている場合、ＵＥは、Ｔｒｅｓｅｌｅｃｔｉｏｎ＝０のときに、Ｓｒｘｌｅｖ≦ＳｎｏｎＩｎｔｒａＳｅａｒｃｈＰまたはＳｑｕａｌ≦ＳｎｏｎＩｎｔｒａＳｅａｒｃｈＱである場合に、時間（ＮＵＴＲＡ＿ｃａｒｒｉｅｒ＿ＴＤＤ，ｎｏｒｍａｌ）＊ＴｄｅｔｅｃｔＵＴＲＡ＿ＴＤＤ以内に通常性能グループ内の新たに検出可能なＵＴＲＡ  ＴＤＤセルがＴＳ  ３６．３０４における再選択基準を満たしているかどうかを評価し、Ｓｒｘｌｅｖ＜３ｄＢまたはＳｑｕａｌ＜３ｄＢであるときに時間６＊ＮＵＴＲＡ＿ｃａｒｒｉｅｒ＿ＴＤＤ，ｒｅｄｕｃｅｄ＊ＴｄｅｔｅｃｔＵＴＲＡ＿ＴＤＤ以内に低下性能グループ内の新たに検出可能なＵＴＲＡ  ＴＤＤセルがＴＳ  ３６．３０４における再選択基準を満たしているかどうかを評価するものとするが、少なくとも６ｄＢのマージンによって再選択基準が満たされることが条件になる。
ＵＥがｅＤＲＸ＿ＩＤＬＥサイクルを使用して設定されていないか、または２０．４８ｓ以下のｅＤＲＸ＿ＩＤＬＥサイクルを使用して設定されている場合、検出されたセルが、Ｓｒｘｌｅｖ≦ＳｎｏｎＩｎｔｒａＳｅａｒｃｈＰまたはＳｑｕａｌ≦ＳｎｏｎＩｎｔｒａＳｅａｒｃｈＱである場合に、通常性能グループ内のセルの場合は少なくとも（ＮＵＴＲＡ＿ｃａｒｒｉｅｒ＿ＴＤＤ，ｎｏｒｍａｌ）＊ＴｍｅａｓｕｒｅＵＴＲＡ＿ＴＤＤおきに、低下性能グループ内のセルの場合は少なくとも６＊ＮＵＴＲＡ＿ｃａｒｒｉｅｒ＿ＴＤＤ，ｒｅｄｕｃｅｄ＊ＴｍｅａｓｕｒｅＵＴＲＡ＿ＴＤＤおきに、測定されるものとする。ＵＥが２０．４８ｓよりも長いｅＤＲＸ＿ＩＤＬＥサイクルを使用して設定されている場合、検出されたセルが、Ｓｒｘｌｅｖ≦ＳｎｏｎＩｎｔｒａＳｅａｒｃｈＰまたはＳｑｕａｌ≦ＳｎｏｎＩｎｔｒａＳｅａｒｃｈＱである場合に、通常性能グループ内のセルの場合は少なくとも（ＮＵＴＲＡ＿ｃａｒｒｉｅｒ＿ＴＤＤ，ｎｏｒｍａｌ）＊ＴｍｅａｓｕｒｅＵＴＲＡ＿ＴＤＤおきに、Ｓｒｘｌｅｖ＜３ｄＢまたはＳｑｕａｌ＜３ｄＢであるときに低下性能グループ内のセルの場合は少なくとも６＊ＮＵＴＲＡ＿ｃａｒｒｉｅｒ＿ＴＤＤ，ｒｅｄｕｃｅｄ＊ＴｍｅａｓｕｒｅＵＴＲＡ＿ＴＤＤおきに、測定されるものとする。
高優先度検索によってより優先度の高いＵＴＲＡ  ＴＤＤセルが検出された場合、これらのセルは、少なくともＴｍｅａｓｕｒｅ，ＵＴＲＡ＿ＴＤＤおきに測定されるものとする。高優先度検索においてセルを検出した後に、再選択が発生していないことが決定された場合、ＵＥは、進行中の再選択の可能性を評価するために、検出されたセルを継続的に測定する必要がない。ただし、ＵＥがセルの測定を停止してよいことを決定する前に、本節において後で規定される最小測定フィルタリング要件が、ＵＥによって引き続き満たされるものとする。
ＵＥがｅＤＲＸ＿ＩＤＬＥサイクルを使用して設定されていないか、または２０．４８ｓ以下のｅＤＲＸ＿ＩＤＬＥサイクルを使用して設定されている場合、すでに検出されているが再選択されていないセルに関して、フィルタリングは、ＵＥが、Ｔｒｅｓｅｌｅｃｔｉｏｎ＝０であるとき、セルが通常性能グループに含まれる場合はＮＵＴＲＡ＿ｃａｒｒｉｅｒ＿ＴＤＤ，ｎｏｒｍａｌ＊ＴｅｖａｌｕａｔｅＵＴＲＡ＿ＴＤＤ以内に、セルが低下性能グループに含まれる場合は６＊ＮＵＴＲＡ＿ｃａｒｒｉｅｒ＿ＴＤＤ，ｒｅｄｕｃｅｄ＊ＴｅｖａｌｕａｔｅＵＴＲＡ＿ＴＤＤ以内に、すでに識別されたＵＴＲＡ  ＴＤＤセルが［１］において規定された再選択基準を満たしていることを評価することができるようなものであることとするが、少なくとも６ｄＢのマージンによって再選択基準が満たされることが条件になる。ＵＥが２０．４８ｓよりも長いｅＤＲＸ＿ＩＤＬＥサイクルを使用して設定されている場合、すでに検出されているが再選択されていないセルに関して、フィルタリングは、ＵＥが、Ｔｒｅｓｅｌｅｃｔｉｏｎ＝０であるとき、セルが通常性能グループに含まれる場合はＮＵＴＲＡ＿ｃａｒｒｉｅｒ＿ＴＤＤ，ｎｏｒｍａｌ＊ＴｅｖａｌｕａｔｅＵＴＲＡ＿ＴＤＤ以内に、Ｓｒｘｌｅｖ＜３ｄＢまたはＳｑｕａｌ＜３ｄＢであるときにセルが低下性能グループに含まれる場合は６＊ＮＵＴＲＡ＿ｃａｒｒｉｅｒ＿ＴＤＤ，ｒｅｄｕｃｅｄ＊ＴｅｖａｌｕａｔｅＵＴＲＡ＿ＴＤＤ以内に、すでに識別されたＵＴＲＡ  ＴＤＤセルが［１］において規定された再選択基準を満たしていることを評価することができるようなものであることとするが、少なくとも６ｄＢのマージンによって再選択基準が満たされることが条件になる。
Ｔｒｅｓｅｌｅｃｔｉｏｎタイマがゼロ以外の値を持っており、ＵＴＲＡ  ＴＤＤセルが［１］において規定された再選択基準を満たしている場合、ＵＥは、Ｔｒｅｓｅｌｅｃｔｉｏｎ時間の間に、このＵＴＲＡ  ＴＤＤセルを評価するものとする。このセルがこの期間内で再選択基準を満たしたままである場合、ＵＥはこのセルを再選択するものとする。
ｅＤＲＸ＿ＩＤＬＥサイクルを使用して設定されていないＵＥの場合、表４．２．２．５．２−１においてＴｄｅｔｅｃｔＵＴＲＡ＿ＴＤＤ、ＴｍｅａｓｕｒｅＵＴＲＡ＿ＴＤＤ、およびＴｅｖａｌｕａｔｅＵＴＲＡ＿ＴＤＤが規定されている。ｅＤＲＸ＿ＩＤＬＥサイクルを使用して設定されているＵＥの場合、表４．２．２．５．２−２においてＴｄｅｔｅｃｔＵＴＲＡ＿ＴＤＤ、ＴｍｅａｓｕｒｅＵＴＲＡ＿ＴＤＤ、およびＴｅｖａｌｕａｔｅＵＴＲＡ＿ＴＤＤが規定されており、複数のＰＴＷが使用される場合にＴｄｅｔｅｃｔＵＴＲＡ＿ＴＤＤ、ＴｍｅａｓｕｒｅＵＴＲＡ＿ＴＤＤ、およびＴｅｖａｌｕａｔｅＵＴＲＡ＿ＴＤＤのいずれかの間にサービングセルがすべてのＰＴＷにおいて同じであるという条件で、これらの要件が適用される。
2019507550.tif 000011
2019507550.tif 000012
より優先度の高いセルの場合、ＵＥは、必要に応じてより短い値をＴｍｅａｓｕｒｅＵＴＲＡ＿ＴＤＤに使用してよいが、この値はＭａｘ（０．６４ｓ，１つのＤＲＸサイクル）以上であるものとする。
４．２．２．５．３    ＧＳＭセルの測定
［１］において規定された測定ルールが、Ｅ−ＵＴＲＡＮ周波数間セルまたはＲＡＴ間周波数セルが測定対象であることを示している場合、ＵＥは、サービングセルの測定制御システム情報においてＧＳＭ  ＢＣＣＨキャリアが示されていれば、ＧＳＭ  ＢＣＣＨキャリアの信号レベルを測定するものとする。サービングセルよりも優先度の低いＧＳＭ  ＢＣＣＨキャリアが、少なくともＴｍｅａｓｕｒｅ，ＧＳＭおきに測定されるものとする。
より優先度の高いＧＳＭ  ＢＣＣＨキャリアが高優先度検索によって検出された場合、これらのキャリアが少なくともＴｍｅａｓｕｒｅ，ＧＳＭおきに測定されるものとし、ＵＥがＧＳＭ  ＢＣＣＨキャリアのＢＳＩＣをデコードするものとする。高優先度検索においてセルを検出した後に、再選択が発生していないことが決定された場合、ＵＥは、進行中の再選択の可能性を評価するため、またはＧＳＭ  ＢＣＣＨキャリアのＢＳＩＣを３０ｓおきに継続的に検証するために、検出されたセルを継続的に測定する必要がない。ただし、ＵＥがセルの測定を停止してよいことを決定する前に、本節において後で規定される最小測定フィルタリング要件が、ＵＥによって引き続き満たされるものとする。
ＵＥは、ＧＳＭ  ＢＣＣＨキャリアごとに４つの測定の移動平均を維持するものとする。セルごとの測定サンプルは、平均化期間にわたってできる限り均等に分布しているものとする。
継続的なＧＳＭ測定が［１］における測定ルールによって必要とされる場合、ＵＥは、４つの最強のＧＳＭ  ＢＣＣＨキャリアごとに、少なくとも３０秒おきにＢＳＩＣの検証を試みるものとする。１つのＧＳＭセルに関してＢＳＩＣの変更が検出された場合、このＧＳＭ  ＢＣＣＨキャリアが新しいＧＳＭ隣接セルとして扱われるものとする。ＵＥが、ＢＣＣＨキャリア上でＢＳＩＣを検出し、このＢＳＩＣがこのキャリアに対して許可されていないとして、サービングセルの測定制御システム情報において示されている場合、ＵＥは、このセルに対してＢＳＩＣの再確認を実行する必要がない。
ＵＥがＧＳＭ  ＢＣＣＨキャリアのＢＳＩＣを復調できない場合、ＵＥは、セル再選択においてこのＧＳＭ  ＢＣＣＨキャリアを考慮しないものとする。さらに、サービングセルの測定制御システム情報において、ＧＳＭ隣接セルが許可されないとして示されている場合、ＵＥはセル再選択においてこのＧＳＭ隣接セルを考慮しないものとする。
Ｔｒｅｓｅｌｅｃｔｉｏｎタイマがゼロ以外の値を持っており、ＧＳＭセルが［１］において規定された再選択基準を満たしている場合、ＵＥは、Ｔｒｅｓｅｌｅｃｔｉｏｎ時間の間に、このＧＳＭセルを評価するものとする。このセルがこの期間内で再選択基準を満たしたままである場合、ＵＥはこのセルを再選択するものとする。
ｅＤＲＸ＿ＩＤＬＥサイクルを使用して設定されていないＵＥの場合、表４．２．２．５．３−１においてＴｍｅａｓｕｒｅ，ＧＳＭが規定されている。ｅＤＲＸ＿ＩＤＬＥサイクルを使用して設定されているＵＥの場合、表４．２．２．５．３−２においてＴｍｅａｓｕｒｅ，ＧＳＭが規定されており、複数のＰＴＷが使用される場合にＴｍｅａｓｕｒｅ，ＧＳＭの間にサービングセルがすべてのＰＴＷにおいて同じであるという条件で、これらの要件が適用される。
2019507550.tif 000013
2019507550.tif 000014
４．２．２．５．４    ＨＲＰＤセルの測定
ＨＲＰＤセルに対して測定およびセル再選択を実行するために、ＵＥはＨＲＰＤセルのタイミングを取得するものとする。
測定ルールが、ＨＲＰＤセルが測定対象であることを示している場合、ＵＥは、このセクションにおいて規定された最小測定速度で、隣接セルリスト内のＨＲＰＤセルのＣＤＭＡ２０００  ＨＲＰＤパイロット強度を測定するものとする。
Ｅ−ＵＴＲＡＮ  ＢＣＣＨ上で送信されるパラメータ「ＨＲＰＤ隣接周波数の数」は、隣接セルリスト内のすべてのＨＲＰＤセルで使用されるキャリアの数である。
Ｅ−ＵＴＲＡサービングセルがＳｒｘｌｅｖ＞ＳｎｏｎＩｎｔｒａＳｅａｒｃｈＰかつＳｑｕａｌ＞ＳｎｏｎＩｎｔｒａＳｅａｒｃｈＱを満たしている場合、ＵＥは、少なくともＴｈｉｇｈｅｒ＿ｐｒｉｏｒｉｔｙ＿ｓｅａｒｃｈおきに、より優先度の高いＣＤＭＡ２０００  ＨＲＰＤ層を検索するものとし、Ｔｈｉｇｈｅｒ＿ｐｒｉｏｒｉｔｙ＿ｓｅａｒｃｈは４．２．２節において規定されている。
検出されたＣＤＭＡ２０００  ＨＲＰＤセルに関して、ＵＥは、Ｅ−ＵＴＲＡサービングセルでＳｒｘｌｅｖ≦ＳｎｏｎＩｎｔｒａＳｅａｒｃｈＰまたはＳｑｕａｌ≦ＳｎｏｎＩｎｔｒａＳｅａｒｃｈＱである場合、少なくとも（ＨＲＰＤ隣接周波数の数）＊ＴｍｅａｓｕｒｅＨＲＰＤおきにＣＤＭＡ２０００  ＨＲＰＤパイロット強度を測定するものとする。
ＵＥは、ＴｅｖａｌｕａｔｅＨＲＰＤ以内に、ＣＤＭＡ２０００  ＨＲＰＤセルが［１］において規定されているセル再選択基準を満たしていることを評価できるものとする。
ｅＤＲＸ＿ＩＤＬＥサイクルを使用して設定されていないＵＥの場合、表４．２．２．５．４−１がＴｍｅａｓｕｒｅＨＲＰＤおよびＴｅｖａｌｕａｔｅＨＲＰＤの値を提供する。ｅＤＲＸ＿ＩＤＬＥサイクルを使用して設定されているＵＥの場合、表４．２．２．５．４−２においてＴｍｅａｓｕｒｅＨＲＰＤおよびＴｅｖａｌｕａｔｅＨＲＰＤが規定されており、複数のＰＴＷが使用される場合にＴｍｅａｓｕｒｅＨＲＰＤおよびＴｅｖａｌｕａｔｅＨＲＰＤのいずれかの間にサービングセルがすべてのＰＴＷにおいて同じであるという条件で、これらの要件が適用される。
2019507550.tif 000015
2019507550.tif 000016
Ｔｒｅｓｅｌｅｃｔｉｏｎタイマがゼロ以外の値を持っており、ＣＤＭＡ２０００  ＨＲＰＤセルが［１］において規定された再選択基準を満たしている場合、ＵＥは、Ｔｒｅｓｅｌｅｃｔｉｏｎ時間の間に、このＣＤＭＡ２０００  ＨＲＰＤセルを評価するものとする。このセルがこの期間内で再選択基準を満たしたままである場合、ＵＥはこのセルを再選択するものとする。
４．２．２．５．５    ｃｄｍａ２０００  １Ｘの測定
ｃｄｍａ２０００  １Ｘセルに対して測定およびセル再選択を実行するために、ＵＥはｃｄｍａ２０００  １Ｘセルのタイミングを取得するものとする。
測定ルールが、ｃｄｍａ２０００  １Ｘセルが測定対象であることを示している場合、ＵＥは、このセクションにおいて規定された最小測定速度で、隣接セルリスト内のｃｄｍａ２０００  １Ｘセルのｃｄｍａ２０００  １ｘ  ＲＴＴパイロット強度を測定するものとする。
Ｅ−ＵＴＲＡＮ  ＢＣＣＨ上で送信されるパラメータ「ＣＤＭＡ２０００  １Ｘ隣接周波数の数」は、隣接セルリスト内のすべてのｃｄｍａ２０００  １Ｘセルで使用されるキャリアの数である。
Ｅ−ＵＴＲＡサービングセルがＳｒｘｌｅｖ＞ＳｎｏｎＩｎｔｒａＳｅａｒｃｈＰかつＳｑｕａｌ＞ＳｎｏｎＩｎｔｒａＳｅａｒｃｈＱを満たしている場合、ＵＥは、少なくともＴｈｉｇｈｅｒ＿ｐｒｉｏｒｉｔｙ＿ｓｅａｒｃｈおきに、より優先度の高いｃｄｍａ２０００  １Ｘ層を検索するものとし、Ｔｈｉｇｈｅｒ＿ｐｒｉｏｒｉｔｙ＿ｓｅａｒｃｈは４．２．２節において規定されている。
検出されたＣＤＭＡ２０００  １Ｘセルに関して、ＵＥは、Ｅ−ＵＴＲＡサービングセルでＳｒｘｌｅｖ≦ＳｎｏｎＩｎｔｒａＳｅａｒｃｈＰまたはＳｑｕａｌ≦ＳｎｏｎＩｎｔｒａＳｅａｒｃｈＱである場合、少なくとも（ＣＤＭＡ２０００  １Ｘ隣接周波数の数）＊ＴｍｅａｓｕｒｅＣＤＭＡ２０００＿１ＸおきにＣＤＭＡ２０００  １ｘＲＴＴパイロット強度を測定するものとする。ＵＥは、ＴｅｖａｌｕａｔｅＣＤＭＡ２０００＿１Ｘ以内に、ｃｄｍａ２０００  １Ｘセルが［１］において規定されているセル再選択基準を満たしていることを評価できるものとする。
ｅＤＲＸ＿ＩＤＬＥサイクルを使用して設定されていないＵＥの場合、表４．２．２．５．５−１がＴｍｅａｓｕｒｅＣＤＭＡ２０００＿１ＸおよびＴｅｖａｌｕａｔｅＣＤＭＡ２０００＿１Ｘの値を提供する。ｅＤＲＸ＿ＩＤＬＥサイクルを使用して設定されているＵＥの場合、表４．２．２．５．５−２においてＴｍｅａｓｕｒｅＣＤＭＡ２０００＿１ＸおよびＴｅｖａｌｕａｔｅＣＤＭＡ２０００＿１Ｘが規定されており、複数のＰＴＷが使用される場合にＴｍｅａｓｕｒｅＣＤＭＡ２０００＿１ＸおよびＴｅｖａｌｕａｔｅＣＤＭＡ２０００＿１Ｘのいずれかの間にサービングセルがすべてのＰＴＷにおいて同じであるという条件で、これらの要件が適用される。
2019507550.tif 000017
2019507550.tif 000018
Ｔｒｅｓｅｌｅｃｔｉｏｎタイマがゼロ以外の値を持っており、ＣＤＭＡ２０００  １Ｘセルが［１］において規定された再選択基準を満たしている場合、ＵＥは、Ｔｒｅｓｅｌｅｃｔｉｏｎ時間の間に、このＣＤＭＡ２０００  １Ｘセルを評価するものとする。このセルがこの期間内で再選択基準を満たしたままである場合、ＵＥはこのセルを再選択するものとする。
４．２．２．６    セル再選択基準の評価
ＵＥは、少なくともＤＲＸサイクルごとに、［１］において規定された周波数内セル再選択基準、周波数間セル再選択基準、およびＲＡＴ間セル再選択基準を評価するものとする。Ｔｒｅｓｅｌｅｃｔｉｏｎのゼロ以外の値が使用される場合、ＵＥは、Ｔｒｅｓｅｌｅｃｔｉｏｎタイマの終了と同時またはＴｒｅｓｅｌｅｃｔｉｏｎタイマの終了の後に発生する評価時にのみ、再選択を実行するものとする。
ｅＤＲＸ＿ＩＤＬＥサイクルを使用して設定されたＵＥの場合、セル再選択基準が、ＰＴＷ内の少なくともすべてのＤＲＸサイクル内で評価されるべきである。
４．２．２．７    ページング受信における最大中断
ＵＥは、ページング受信のためのダウンリンクチャネルの監視において、中断を最小限に抑えてセル再選択を実行するものとする。ＵＥがｅＤＲＸ＿ＩＤＬＥサイクルを使用して設定されている場合、ＵＥは、ＰＴＷ内のどのページングも失わないものとするが、ページングがこのＰＴＷの終了前に少なくとも［２］ＤＲＸサイクル内で送信されることを条件にする。
周波数内セル再選択および周波数間セル再選択では、ＵＥは、ＵＥがページングの受信のために対象の周波数内セルおよび周波数間セルのダウンリンクチャネルの監視を開始できるようになるまで、ページングの受信のためにサービングセルのダウンリンクを監視するものとする。中断時間は、ＴＳＩ−ＥＵＴＲＡ＋５０ｍｓを超えないものとする。
ＲＡＴ間セル再選択では、ＵＥは、ＵＥがページングの受信のために対象のＲＡＴ間セルのダウンリンクチャネルの監視を開始できるようになるまで、ページングの受信のためにサービングセルのダウンリンクを監視するものとする。Ｅ−ＵＴＲＡＮ−ＵＴＲＡ間セル再選択の場合、中断時間がＴＳＩ−ＵＴＲＡ＋５０ｍｓを超えてはならない。Ｅ−ＵＴＲＡＮ−ＧＳＭ間セル再選択の場合、中断時間がＴＢＣＣＨ＋５０ｍｓを超えてはならない。
ＴＳＩ−ＥＵＴＲＡは、Ｅ−ＵＴＲＡＮセルに関してＴＳ  ３６．３３１［２］において規定されているシステム情報ブロックの受信手順およびＲＲＣ手順の遅延に従って、関連するすべてのシステム情報データを受信するために必要な時間である。
ＴＳＩ−ＵＴＲＡは、ＵＴＲＡＮセルに関して［７］において規定されているシステム情報ブロックの受信手順およびＲＲＣ手順の遅延に従って、関連するすべてのシステム情報データを受信するために必要な時間である。
ＴＢＣＣＨは、［８］において規定されている、ＢＣＣＨデータをＧＳＭセルから読み取るために許容される最大時間である。
これらの要件では、システム情報のデコーディングをエラーなしで行うことができ、セル再選択の失敗を考慮しないように、十分な無線状態を仮定する。
ＨＲＰＤへのセル再選択では、ＵＥは、ＵＥがページングの受信のために対象のＨＲＰＤセルのダウンリンクチャネルの監視を開始できるようになるまで、ページングの受信のためにサービングセルのダウンリンクを監視するものとする。ＨＲＰＤセル再選択の場合、中断時間がＴＳＩ−ＨＲＰＤ＋５０ｍｓを超えてはならない。
ＴＳＩ−ＨＲＰＤは、ＨＲＰＤセルに関して［１１］において規定されているシステム情報ブロックの受信手順および上層（レイヤ３）の手順の遅延に従って、関連するすべてのシステム情報データを受信するために必要な時間である。
ｃｄｍａ２０００  １Ｘへのセル再選択では、ＵＥは、ＵＥがページングの受信のために対象のｃｄｍａ２０００  １Ｘセルのダウンリンクチャネルの監視を開始できるようになるまで、ページングの受信のためにサービングセルのダウンリンクを監視するものとする。ｃｄｍａ２０００  １Ｘセル再選択の場合、中断時間がＴＳＩ−ｃｄｍａ２０００＿１Ｘ＋５０ｍｓを超えてはならない。
ＴＳＩ−ｃｄｍａ２０００＿１Ｘは、ｃｄｍａ２０００  １Ｘセルに関して［１５］において規定されているシステム情報ブロックの受信手順および上層（レイヤ３）の手順の遅延に従って、関連するすべてのシステム情報データを受信するために必要な時間である。
このセクションにおけるどの要件の場合も、ｅＤＲＸ＿ＩＤＬＥを使用して設定されていない状態、ｅＤＲＸ＿ＩＤＬＥサイクルを使用して設定されている状態、ｅＤＲＸ＿ＩＤＬＥサイクル長を変更している状態、およびＰＴＷ設定を変更している状態のうちのいずれか２つの間でＵＥが移行するときに、ＵＥは、移行要件に対応する時間である移行時間間隔の間に、第１のモードおよび第２のモードに対応する２つの要件のうちのより厳しくない方の要件である移行要件を満たすものとする。移行時間間隔の後に、ＵＥは第２のモードに対応する要件を満たす必要がある。
４．２．２．８    空
４．２．２．９    ＵＥの測定能力
アイドルモードのセル再選択の目的で、ＵＥは少なくとも次を監視できるものとする。
［１０］−  周波数内キャリア
［１１］−  ＵＥの能力に応じて、３つのＦＤＤ  Ｅ−ＵＴＲＡ周波数間キャリア
［１２］−  ＵＥの能力に応じて、３つのＴＤＤ  Ｅ−ＵＴＲＡ周波数間キャリア
［１３］−  ＵＥの能力に応じて、３つのＦＤＤ  ＵＴＲＡキャリア
［１４］−  ＵＥの能力に応じて、３つのＴＤＤ  ＵＴＲＡキャリア
［１５］−  ＵＥの能力に応じて、３２のＧＳＭキャリア
［１６］−  ＵＥの能力に応じて、３つのｃｄｍａ２０００  １ｘキャリア
［１７］−  ＵＥの能力に応じて、３つのＨＲＰＤキャリア
上で規定された要件に加えて、ＲＲＣ＿ＩＤＬＥ状態でのＥ−ＵＴＲＡ測定をサポートするＵＥは、Ｅ−ＵＴＲＡ  ＦＤＤ、Ｅ−ＵＴＲＡ  ＴＤＤ、ＵＴＲＡ  ＦＤＤ、ＵＴＲＡ  ＴＤＤ、ＧＳＭ（１つのＧＳＭ層は３２のセルに対応する）、ｃｄｍａ２０００  １ｘ、およびＨＲＰＤ層の、上で規定された任意の組み合わせから成るサービング層を含む、少なくとも合計で８つのキャリア周波数層を監視できるものとする。
［５］４．２．２．９ａ    ＵＥの測定能力（増加ＵＥキャリア監視）
［２、３１］における能力に従って増加ＵＥキャリア監視Ｅ−ＵＴＲＡをサポートするＵＥは、少なくとも次を監視できるものとする。
［１８］−  ＵＥの能力に応じて、８つのＦＤＤ  Ｅ−ＵＴＲＡ周波数間キャリア
［１９］−  ＵＥの能力に応じて、８つのＴＤＤ  Ｅ−ＵＴＲＡ周波数間キャリア
［２、３１］における能力に従って増加ＵＥキャリア監視ＵＴＲＡをサポートするＵＥは、少なくとも次をさらに監視できるものとする。
［２０］−  ＵＥの能力に応じて、６つのＦＤＤ  ＵＴＲＡキャリア
［２１］−  ＵＥの能力に応じて、７つのＴＤＤ  ＵＴＲＡキャリア
上で規定された要件に加えて、［２、３１］における能力に従ってＲＲＣ＿ＩＤＬＥ状態でのＥ−ＵＴＲＡ測定をサポートするＵＥ、および増加ＵＥキャリア監視Ｅ−ＵＴＲＡまたは増加ＵＥキャリア監視ＵＴＲＡをサポートするＵＥは、Ｅ−ＵＴＲＡ  ＦＤＤ、Ｅ−ＵＴＲＡ  ＴＤＤ、ＵＴＲＡ  ＦＤＤ、ＵＴＲＡ  ＴＤＤ、ＧＳＭ（１つのＧＳＭ層は３２のセルに対応する）、ｃｄｍａ２０００  １ｘ、およびＨＲＰＤ層の、上で規定された任意の組み合わせから成るサービング層を含む、少なくとも合計で１３のキャリア周波数層を監視できるものとする。
このセクションにおける要件は、ｅＤＲＸ＿ＩＤＬＥをサポートするためのＵＥの能力に関わらず、ＵＥに適用される。
４．２．２．１０    ＣＳＧセルへの再選択
注記：この節における要件は、自律的ＣＳＧ検索のテスト可能性を保証するために規定された最小限の要件である。実際のデプロイメントにおける自律的検索時間に関する詳細は、［２５］で提供されている。
非ＣＳＧセルからＣＳＧセルへの再選択は、少なくとも１つのＣＳＧ  ＩＤがＵＥのＣＳＧホワイトリストに含まれている場合、［１］において規定されているＵＥの自律的検索を使用して実行されてよい。この節における要件は、ＣＳＧセル、非ＣＳＧセル、およびその他の隣接セルのキャリア周波数および物理セル識別情報を含む無線設定パラメータが最新の以前の訪問から変更されていない場合に、ＵＥによって以前に訪問されたＣＳＧセルへの再選択に対して有効である。
注記：［１］によれば、ＵＥの実装によるＵＥの自律的検索機能は、許可されるＣＳＧセルをいつおよび／またはどこで検索するべきかを決定する。
４．２．２．１０．１    非ＣＳＧセルから周波数間ＣＳＧセルへの再選択
ＵＥは、［１］において規定されたＣＳＧ再選択基準を満たしており、ホワイトリストに含まれている、許可される周波数間ＣＳＧセルへの検索および再選択を、表４．２．２．１０．１−１に示されている条件で６分以内に実行するものとする。この要件の統計試験の必要はない。
2019507550.tif 000019
４．２．２．１０．２    非ＣＳＧセルからＲＡＴ間ＵＴＲＡＮ  ＦＤＤ  ＣＳＧセルへの再選択
ＵＥは、［１］において規定されたＣＳＧ再選択基準を満たしており、ホワイトリストに含まれている、許可されるＲＡＴ間ＵＴＲＡＮ  ＦＤＤ  ＣＳＧセルへの検索および再選択を、表４．２．２．１０．２−１に示されている条件で６分以内に実行するものとする。この要件の統計試験の必要はない。
2019507550.tif 000020
４．３    ドライブテストの最小化（ＭＤＴ）
ＲＲＣ＿ＩＤＬＥでドライブテストの最小化をサポートするＵＥは、次のことが可能であるものとする。
［２２］−  ＲＲＣ＿ＩＤＬＥでの測定を記録すること、記録された測定を報告すること、およびこの節における要件を満たすこと。
−  ＲＲＣ接続確立の失敗を記録すること、記録された失敗を報告すること、およびこの節における要件を満たすこと。
［２３］−  無線リンクの失敗およびハンドオーバの失敗を記録すること、記録された失敗を報告すること、およびこの節における要件を満たすこと。
４．３．１    概要
記録されるＭＤＴ要件は、４．３．２節において規定された測定要件および４．３．３節において規定された相対的タイムスタンプ精度要件から成る。これらの一連の要件は、いずれも、ＲＲＣ＿ＩＤＬＥ状態での周波数内、周波数間、およびＲＡＴ間のケースに適用可能である。ＭＤＴ手順は、［２７］に記載されている。
ＲＲＣ接続確立失敗の記録および報告の場合、ＭＤＴ要件は、４．３．２節において規定されたＲＲＣ＿ＩＤＬＥ状態で実行および記録される測定に関する要件、ならびに４．３．４節において規定されたＲＲＣ接続確立失敗の記録の報告に関する相対的タイムスタンプ精度要件から成る。
４．３．２    測定
本節において規定された要件は、ＲＲＣ＿ＩＤＬＥでのＭＤＴに関してＵＥによって実行および記録される測定（ＧＳＭキャリアのＲＳＳＩ、ＵＴＲＡ  ＣＰＩＣＨ  ＲＳＣＰ、ＵＴＲＡ  ＣＰＩＣＨ  Ｅｃ／Ｉｏ、ＵＴＲＡ  １．２８  ＴＤＤのＰ−ＣＣＰＣＨ  ＲＳＣＰ、Ｅ−ＵＴＲＡ  ＲＳＲＰ、Ｅ−ＵＴＲＡ  ＲＳＲＱ、ＭＢＳＦＮ  ＲＳＲＰ、ＭＢＳＦＮ  ＲＳＲＱ、およびＭＣＨ  ＢＬＥＲ）に適用される。これらの要件は、記録されたＭＤＴ報告およびＲＲＣ接続確立失敗報告に含まれる測定に適用される。
４．３．２．１    要件
［２４］−  セクション４．２．２．１、４．２．２．３、４．２．２．４、４．２．２．５において規定されたサービングセルおよび再選択の要件。
［２５］−  セクション４．４において規定されたＭＢＳＦＮ測定要件。
上記の要件を満たすために使用される測定値は、ＲＲＣ＿ＩＤＬＥ状態でのＭＤＴ測定に関して記録される値にも適用されるものとする。
４．３．３    相対的タイムスタンプ精度
記録された測定の相対的タイムスタンプは、ＭＤＴ設定がＵＥで受信された時点から、測定が記録されたまでの時間として規定される（ＴＳ  ３６．３３１［２］を参照）。
４．３．３．１    要件
相対的タイムスタンプの精度は、タイムスタンプのずれが１時間当たり±２秒を超えないようなものであることとする。
４．３．４    ＲＲＣ接続確立失敗の記録の報告の相対的タイムスタンプ精度
ＲＲＣ接続確立失敗の記録の報告の相対的タイムスタンプは、最後のＲＲＣ接続確立失敗から、その記録が報告に含められる時点までの経過時間として規定される（ＴＳ  ３６．３３１［２］）。ＵＥは、４．３．４．１節において規定された精度要件を満たしながら、ＲＲＣ接続確立失敗の記録を報告するものとする。
４．３．４．１    要件
ＲＲＣ接続確立失敗の記録の報告の相対的タイムスタンプの精度は、タイムスタンプのずれが１時間当たり±０．７２秒および４８時間にわたって±１０秒よりも大きくならないようなものであることとする。相対的タイムスタンプ精度要件は、次のことを条件として適用されるものとする。
［２６］−  ＲＲＣ接続確立失敗が検出されてから、その記録にタイムスタンプが付加されるまで、電源オフまたは電源の取り外しが発生しない。
注記：この要件は、テストされる必要がない。
４．３．５    無線リンク失敗およびハンドオーバ失敗の記録の報告の相対的タイムスタンプ精度
ＵＥは、このセクションにおいて規定された精度要件を満たしながら、無線リンク失敗およびハンドオーバ失敗の記録を報告するものとする。
４．３．５．１    ｔｉｍｅＳｉｎｃｅＦａｉｌｕｒｅの要件
無線リンク失敗またはハンドオーバ失敗の記録においてＭＤＴに関して報告されるｔｉｍｅＳｉｎｃｅＦａｉｌｕｒｅの相対的タイムスタンプ精度要件が、この節において規定される。ｔｉｍｅＳｉｎｃｅＦａｉｌｕｒｅは、Ｅ−ＵＴＲＡにおける最後の無線リンク失敗またはハンドオーバ失敗から、その記録が報告に含められる時点までの経過時間を決定する（ＴＳ  ３６．３３１［２］）。
ｔｉｍｅＳｉｎｃｅＦａｉｌｕｒｅの相対的タイムスタンプの精度は、タイムスタンプのずれが１時間当たり±０．７２秒および４８時間にわたって±１０秒よりも大きくならないようなものであることとする。これらの相対的タイムスタンプ精度要件は、次のことを条件として適用されるものとする。
［２７］−  ＲＬＦまたはハンドオーバ失敗が検出されてから、その記録にタイムスタンプが付加されるまで、電源オフまたは電源の取り外しが発生しない。
４．４    ＭＢＳＦＮ測定
４．４．１    概要
セクション４．４において規定された要件がＭＢＳＦＮ測定（［４］において規定されているＭＢＳＦＮ  ＲＳＲＰ、ＭＢＳＦＮ  ＲＳＲＱ、およびＭＣＨ  ＢＬＥＲ）に適用され、これらの測定は、ＭＢＭＳ対応であり、ＭＢＳＦＮ測定記録能力［２］も示すＵＥによって、ＭＤＴに関してＲＲＣ＿ＩＤＬＥ状態で実行されて、記録される。
ＵＥは、ＵＥがＰＭＣＨをデコードしているキャリア上のサブフレーム内でのみ、ＭＢＳＦＮ  ＲＳＲＰ、ＭＢＳＦＮ  ＲＳＲＱ、およびＭＣＨ  ＢＬＥＲを測定するものとする。これらの要件は、ＰＭＣＨがＵＥによって受信されるすべてのキャリアに対して規定される。このセクションにおいて規定された要件は、いずれかのサービングユニキャストキャリアと同じであるか、または異なってよいＰＭＣＨを使用して設定されたＭＢＳＦＮサブフレームを含むすべてのキャリア周波数に適用される。
いずれかの非サービングキャリア上でＰＭＣＨを受信し、ＭＢＳＦＮ測定を実行するＵＥは、どのサービングキャリア上でも、ページングを含むサブフレームおよびシステム情報などの非ＭＢＳＦＮマルチキャスト送信において、中断を引き起こさないものとする。
４．４．２    ＭＢＳＦＮ  ＲＳＲＰ測定
ＲＲＣ＿ＩＤＬＥでのＵＥの場合、物理層が、セクション９．８．２において規定されたＭＢＳＦＮ  ＲＳＲＰ測定精度要件を満たしながら、ＭＢＳＦＮ  ＲＳＲＰ測定期間内でＭＢＳＦＮ  ＲＳＲＰ測定［４］を実行し、その測定を記録できるものとする。ＭＢＳＦＮ  ＲＳＲＰ測定の記録は、セクション９．８．２．２において規定されたＭＢＳＦＮ  ＲＳＲＰ測定報告マッピングに従うものとする。
ＵＥがｅＤＲＸ＿ＩＤＬＥサイクルを使用して設定されていない場合、ＭＢＳＦＮ  ＲＳＲＰ測定期間は、ＭＡＸ（６４０ｍｓ、ＵＥがＰＭＣＨ送信を含んでいる５サブフレームをデコードする［５、セクション１０］期間）として規定される。
ＵＥがｅＤＲＸ＿ＩＤＬＥサイクルを使用している場合、ＭＢＳＦＮ  ＲＳＲＰ測定期間は、ＭＡＸ（１つのｅＤＲＸ＿ＩＤＬＥサイクル、ＵＥがＰＭＣＨ送信を含んでいる５サブフレームをデコードする［５、セクション１０］期間）として規定される。
４．４．３    ＭＢＳＦＮ  ＲＳＲＱ測定
ＲＲＣ＿ＩＤＬＥでのＵＥの場合、物理層が、セクション９．８．３において規定されたＭＢＳＦＮ  ＲＳＲＱ測定精度要件を満たしながら、ＭＢＳＦＮ  ＲＳＲＰ測定期間内でＭＢＳＦＮ  ＲＳＲＱ測定［４］を実行し、その測定を報告できるものとする。ＭＢＳＦＮ  ＲＳＲＱ測定の記録は、セクション９．８．３．２において規定されたＭＢＳＦＮ  ＲＳＲＱ測定報告マッピングに従うものとする。
ＵＥがｅＤＲＸ＿ＩＤＬＥサイクルを使用して設定されていない場合、ＭＢＳＦＮ  ＲＳＲＱ測定期間は、ＭＡＸ（６４０ｍｓ、ＵＥがＰＭＣＨ送信を含んでいる５サブフレームをデコードする［５、セクション１０］期間）として規定される。
ＵＥがｅＤＲＸ＿ＩＤＬＥサイクルを使用している場合、ＭＢＳＦＮ  ＲＳＲＱ測定期間は、ＭＡＸ（１つのｅＤＲＸ＿ＩＤＬＥサイクル、ＵＥがＰＭＣＨ送信を含んでいる５サブフレームをデコードする［５、セクション１０］期間）として規定される。
４．４．４    ＭＣＨ  ＢＬＥＲ測定
ＵＥの物理層は、ＭＣＨ  ＢＬＥＲ測定期間内でＭＣＨ  ＢＬＥＲ測定［４］を実行し、記録できるものとする。
ＭＣＨ  ＢＬＥＲ測定期間は、ＭＡＸ（１つのｅＤＲＸ＿ＩＤＬＥサイクル、上位層によって設定されたＭＢＳＦＮ記録間隔［２］）に等しい。
ＭＣＨ  ＢＬＥＲの記録は、セクション９．８．４において規定されたＭＣＨ  ＢＬＥＲ測定報告マッピングに従うものとする。
【０１２７】
以下の頭文字が、本開示全体を通じて使用されている。
・２Ｇ    第２世代（Ｓｅｃｏｎｄ  Ｇｅｎｅｒａｔｉｏｎ）
・３Ｇ    第３世代（Ｔｈｉｒｄ  Ｇｅｎｅｒａｔｉｏｎ）
・３ＧＰＰ    Ｔｈｉｒｄ  Ｇｅｎｅｒａｔｉｏｎ  Ｐａｒｔｎｅｒｓｈｉｐ  Ｐｒｏｊｅｃｔ
・５Ｇ    第５世代（Ｆｉｆｔｈ  Ｇｅｎｅｒａｔｉｏｎ）
・ＡＣＫ    確認応答（Ａｃｋｎｏｗｌｅｄｇｅｍｅｎｔ）
・Ａ／Ｄ    アナログ／デジタル（Ａｎａｌｏｇ−ｔｏ−Ｄｉｇｉｔａｌ）
・ＡＳＩＣ    特定用途向け集積回路（Ａｐｐｌｉｃａｔｉｏｎ  Ｓｐｅｃｉｆｉｃａｔｉｏｎ  Ｉｎｔｅｇｒａｔｅｄ  Ｃｉｒｃｕｉｔ）
・ＢＬＥＲ    ブロック誤り率（Ｂｌｏｃｋ  Ｅｒｒｏｒ  Ｒａｔｅ）
・ＣＡ    キャリアアグリゲーション（Ｃａｒｒｉｅｒ  Ａｇｇｒｅｇａｔｉｏｎ）
・ＣＣ    コンポーネントキャリア（Ｃｏｍｐｏｎｅｎｔ  Ｃａｒｒｉｅｒ）
・ＣＧＩ    セルグローバル識別子（Ｃｅｌｌ  Ｇｌｏｂａｌ  Ｉｄｅｎｔｉｆｉｅｒ）
・ＣｏＭＰ    協調マルチポイント（Ｃｏｏｒｄｉｎａｔｅｄ  Ｍｕｌｔｉ−Ｐｏｉｎｔ）
・ＣＰＵ    中央処理装置（Ｃｅｎｔｒａｌ  Ｐｒｏｃｅｓｓｉｎｇ  Ｕｎｉｔ）
・ＣＱＩ    チャネル品質指標（Ｃｈａｎｎｅｌ  Ｑｕａｌｉｔｙ  Ｉｎｄｉｃａｔｏｒ）
・ＣＲＳ    セル固有の参照信号（Ｃｅｌｌ  Ｓｐｅｃｉｆｉｃ  Ｒｅｆｅｒｅｎｃｅ  Ｓｉｇｎａｌ）
・ＣＳＩ    チャネル状態情報（Ｃｈａｎｎｅｌ  Ｓｔａｔｅ  Ｉｎｆｏｒｍａｔｉｏｎ）
・ＣＳＩ−ＲＳＲＰ    チャネル状態情報参照シンボルを使用する参照シンボル受信電力
・ＤＡＳ    分散アンテナシステム（Ｄｉｓｔｒｉｂｕｔｅｄ  Ａｎｔｅｎｎａ  Ｓｙｓｔｅｍ）
・ｄＢｍ    デシベルミリワット（Ｄｅｃｉｂｅｌ−Ｍｉｌｌｉｗａｔｔ）
・ＤＬ−ＳＣＨ    ダウンリンク共有チャネル（Ｄｏｗｎｌｉｎｋ  Ｓｈａｒｅｄ  Ｃｈａｎｎｅｌ）
・ＤＲＸ    間欠受信（Ｄｉｓｃｏｎｔｉｎｕｏｕｓ  Ｒｅｃｅｐｔｉｏｎ）
・ＤＳＰ    デジタル信号プロセッサ（Ｄｉｇｉｔａｌ  Ｓｉｇｎａｌ  Ｐｒｏｃｅｓｓｏｒ）
・ＥＣＧＩ    エボルブド汎用地上波無線アクセスセルグローバル識別子（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｃｅｌｌ  Ｇｌｏｂａｌ  Ｉｄｅｎｔｉｆｉｅｒ）
・ｅＤＲＸ    拡張間欠受信（Ｅｘｔｅｎｄｅｄ  Ｄｉｓｃｏｎｔｉｎｕｏｕｓ  Ｒｅｃｅｐｔｉｏｎ）
・ｅＮＢ    エボルブドノードＢ（Ｅｖｏｌｖｅｄ  Ｎｏｄｅ  Ｂ）
・Ｅ−ＵＴＲＡ    エボルブド汎用地上波無線アクセス（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ）
・Ｅ−ＵＴＲＡＮ    エボルブド汎用地上波無線アクセスネットワーク（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）
・ＦＤＤ    周波数分割複信（Ｆｒｅｑｕｅｎｃｙ  Ｄｉｖｉｓｉｏｎ  Ｄｕｐｌｅｘｉｎｇ）
・ＦＰＧＡ    フィールドプログラマブルゲートアレイ（Ｆｉｅｌｄ  Ｐｒｏｇｒａｍｍａｂｌｅ  Ｇａｔｅ  Ａｒｒａｙ）
・ＧＣＩ    セルグローバル識別子（Ｇｌｏｂａｌ  Ｃｅｌｌ  Ｉｄｅｎｔｉｆｉｅｒ）
・ＧＰＳ    全地球測位システム（Ｇｌｏｂａｌ  Ｐｏｓｉｔｉｏｎｉｎｇ  Ｓｙｓｔｅｍ）
・ＧＳＭ    グローバルシステムフォーモバイルコミュニケーションズ（Ｇｌｏｂａｌ  Ｓｙｓｔｅｍ  ｆｏｒ  Ｍｏｂｉｌｅ  Ｃｏｍｍｕｎｉｃａｔｉｏｎｓ）
・ＨＡＲＱ    ハイブリッド自動再送要求（Ｈｙｂｒｉｄ  Ａｕｔｏｍａｔｉｃ  Ｒｅｐｅａｔ  Ｒｅｑｕｅｓｔ）
・ＨＢＳ    ホーム基地局（Ｈｏｍｅ  Ｂａｓｅ  Ｓｔａｔｉｏｎ）
・ＨＰＮ    高電力ノード（Ｈｉｇｈ  Ｐｏｗｅｒ  Ｎｏｄｅ）
・Ｈ−ＳＦＮ    ハイパーシステムフレーム番号（Ｈｙｐｅｒ  Ｓｙｓｔｅｍ  Ｆｒａｍｅ  Ｎｕｍｂｅｒ）
・ＨＳＰＡ    高速パケットアクセス（Ｈｉｇｈ  Ｓｐｅｅｄ  Ｐａｃｋｅｔ  Ａｃｃｅｓｓ）
・ＩＤ    識別子（Ｉｄｅｎｔｉｆｉｅｒ）
・ＩＤＣ    デバイス内共存（Ｉｎ−Ｄｅｖｉｃｅ  Ｃｏ−Ｅｘｉｓｔｅｎｃｅ）
・ＩＭＳＩ    国際移動体加入者識別番号（Ｉｎｔｅｒｎａｔｉｏｎａｌ  Ｍｏｂｉｌｅ  Ｓｕｂｓｃｒｉｂｅｒ  Ｉｄｅｎｔｉｔｙ）
・ｋｍ    キロメートル（Ｋｉｌｏｍｅｔｅｒ）
・ＬＰＮ    低電力ノード（Ｌｏｗ  Ｐｏｗｅｒ  Ｎｏｄｅ）
・ＬＴＥ    ロングタームエボリューション（Ｌｏｎｇ−Ｔｅｒｍ  Ｅｖｏｌｕｔｉｏｎ）
・ｍ    メートル（Ｍｅｔｅｒ）
・Ｍ２Ｍ    マシンツーマシン（Ｍａｃｈｉｎｅ−ｔｏ−Ｍａｃｈｉｎｅ）
・ＭＡＣ    媒体アクセス制御（Ｍｅｄｉｕｍ  Ａｃｃｅｓｓ  Ｃｏｎｔｒｏｌ）
・ＭＤＴ    ドライブテストの最小化（Ｍｉｎｉｍｉｚａｔｉｏｎ  ｏｆ  Ｄｒｉｖｅ  Ｔｅｓｔｓ）
・ＭＩＢ    マスタ情報ブロック（Ｍａｓｔｅｒ  Ｉｎｆｏｒｍａｔｉｏｎ  Ｂｌｏｃｋ）
・ＭＭＥ    モビリティ管理エンティティ（Ｍｏｂｉｌｉｔｙ  Ｍａｎａｇｅｍｅｎｔ  Ｅｎｔｉｔｙ）
・ｍｓ    ミリ秒（Ｍｉｌｌｉｓｅｃｏｎｄ）
・ＭＴＣ    マシンタイプ通信（Ｍａｃｈｉｎｅ  Ｔｙｐｅ  Ｃｏｍｍｕｎｉｃａｔｉｏｎ）
・ＮＡＣＫ    否定応答（Ｎｅｇａｔｉｖｅ  Ａｃｋｎｏｗｌｅｄｇｅｍｅｎｔ）
・ＮＡＳ    非アクセス層（Ｎｏｎ−Ａｃｃｅｓｓ  Ｓｔｒａｔｕｍ）
・ＮＢ−ＩｏＴ    狭帯域モノのインターネット（Ｎａｒｒｏｗｂａｎｄ  Ｉｎｔｅｒｎｅｔ  ｏｆ  Ｔｈｉｎｇｓ）
・ｎｓ    ナノ秒（Ｎａｎｏｓｅｃｏｎｄ）
・ＰＢＣＨ    物理ブロードキャストチャネル（Ｐｈｙｓｉｃａｌ  Ｂｒｏａｄｃａｓｔ  Ｃｈａｎｎｅｌ）
・ＰＣＣ    プライマリコンポーネントキャリア（Ｐｒｉｍａｒｙ  Ｃｏｍｐｏｎｅｎｔ  Ｃａｒｒｉｅｒ）
・ＰＣｅｌｌ    プライマリセル（Ｐｒｉｍａｒｙ  Ｃｅｌｌ）
・ＰＣＦＩＣＨ    物理制御フォーマットインジケータチャネル（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）
・ＰＣＩ    物理セル識別子（Ｐｈｙｓｉｃａｌ  Ｃｅｌｌ  Ｉｄｅｎｔｉｆｉｅｒ）
・ＰＤＣＣＨ    物理ダウンリンク制御チャネル（Ｐｈｙｓｉｃａｌ  Ｄｏｗｎｌｉｎｋ  Ｃｏｎｔｒｏｌ  Ｃｈａｎｎｅｌ）
・ＰＤＳＣＨ    物理ダウンリンク共有チャネル（Ｐｈｙｓｉｃａｌ  Ｄｏｗｎｌｉｎｋ  Ｓｈａｒｅｄ  Ｃｈａｎｎｅｌ）
・ＰＦ    ページングフレーム（Ｐａｇｉｎｇ  Ｆｒａｍｅ）
・Ｐ−ＧＷ    パケットデータネットワークゲートウェイ（Ｐａｃｋｅｔ  Ｄａｔａ  Ｎｅｔｗｏｒｋ  Ｇａｔｅｗａｙ）
・ＰＨ    ページングハイパーシステムフレーム番号（Ｐａｇｉｎｇ  Ｈｙｐｅｒ  Ｓｙｓｔｅｍ  Ｆｒａｍｅ  Ｎｕｍｂｅｒ）
・ＰＨＩＣＨ    物理ハイブリッド自動再送要求指示チャネル（Ｐｈｙｓｉｃａｌ  Ｈｙｂｒｉｄ  Ａｕｔｏｍａｔｉｃ  Ｒｅｐｅａｔ  Ｒｅｑｕｅｓｔ  Ｉｎｄｉｃａｔｏｒ  Ｃｈａｎｎｅｌ）
・ＰＭＩ    プリコーディングマトリックスインジケータ（Ｐｒｅｃｏｄｉｎｇ  Ｍａｔｒｉｘ  Ｉｎｄｉｃａｔｏｒ）
・ＰＲＳ    位置決め参照信号（Ｐｏｓｉｔｉｏｎｉｎｇ  Ｒｅｆｅｒｅｎｃｅ  Ｓｉｇｎａｌ）
・ＰＯ    ページング機会（Ｐａｇｉｎｇ  Ｏｃｃａｓｉｏｎ）
・ＰＳ    パケット交換（Ｐａｃｋｅｔ  Ｓｗｉｔｃｈｅｄ）
・ＰＳＣ    プライマリサービングセル（Ｐｒｉｍａｒｙ  Ｓｅｒｖｉｎｇ  Ｃｅｌｌ）
・ＰＳＳ    プライマリ同期信号（Ｐｒｉｍａｒｙ  Ｓｙｎｃｈｒｏｎｉｚａｔｉｏｎ  Ｓｉｇｎａｌ）
・ＰＴＷ    ページング時間ウィンドウ（Ｐａｇｉｎｇ  Ｔｉｍｅ  Ｗｉｎｄｏｗ）
・ＱｏＳ    サービス品質（Ｑｕａｌｉｔｙ  ｏｆ  Ｓｅｒｖｉｃｅ）
・ＲＡＭ    ランダムアクセスメモリ（Ｒａｎｄｏｍ  Ａｃｃｅｓｓ  Ｍｅｍｏｒｙ）
・ＲＡＮ    無線アクセスネットワーク（Ｒａｄｉｏ  Ａｃｃｅｓｓ  Ｎｅｔｗｏｒｋ）
・ＲＡＴ    無線アクセス技術（Ｒａｄｉｏ  Ａｃｃｅｓｓ  Ｔｅｃｈｎｏｌｏｇｙ）
・ＲＬＦ  無線リンク失敗（Ｒａｄｉｏ  Ｌｉｎｋ  Ｆａｉｌｕｒｅ）
・ＲＬＭ  無線リンク監視（Ｒａｄｉｏ  Ｌｉｎｋ  Ｍｏｎｉｔｏｒｉｎｇ）
・ＲＲＣ    無線リソース制御（Ｒａｄｉｏ  Ｒｅｓｏｕｒｃｅ  Ｃｏｎｔｒｏｌ）
・ＲＲＨ    リモート無線ヘッド（Ｒｅｍｏｔｅ  Ｒａｄｉｏ  Ｈｅａｄ）
・ＲＲＭ    無線リソース管理（Ｒａｄｉｏ  Ｒｅｓｏｕｒｃｅ  Ｍａｎａｇｅｍｅｎｔ）
・ＲＲＵ    リモートラジオユニット（Ｒｅｍｏｔｅ  Ｒａｄｉｏ  Ｕｎｉｔ）
・ＲＳ−ＳＩＮＲ    参照信号信号対干渉雑音比（Ｒｅｆｅｒｅｎｃｅ  Ｓｉｇｎａｌ  Ｓｉｇｎａｌ  ｔｏ  Ｉｎｔｅｒｆｅｒｅｎｃｅ  ｐｌｕｓ  Ｎｏｉｓｅ  Ｒａｔｉｏ）
・ＲＳＲＰ    参照シンボル受信電力（Ｒｅｆｅｒｅｎｃｅ  Ｓｙｍｂｏｌ  Ｒｅｃｅｉｖｅｄ  Ｐｏｗｅｒ）
・ＲＳＲＱ    参照シンボル受信品質（Ｒｅｆｅｒｅｎｃｅ  Ｓｙｍｂｏｌ  Ｒｅｃｅｉｖｅｄ  Ｑｕａｌｉｔｙ）
・ＲＳＴＤ    参照信号時間差（Ｒｅｆｅｒｅｎｃｅ  Ｓｉｇｎａｌ  Ｔｉｍｅ  Ｄｉｆｆｅｒｅｎｃｅ）
・ＲＴＴ    ラウンドトリップタイム（Ｒｏｕｎｄ  Ｔｒｉｐ  Ｔｉｍｅ）
・Ｒｘ    受信（Ｒｅｃｅｐｔｉｏｎ）
・ＳＣＣ    セカンダリコンポーネントキャリア（Ｓｅｃｏｎｄａｒｙ  Ｃｏｍｐｏｎｅｎｔ  Ｃａｒｒｉｅｒ）
・ＳＣｅｌｌ    セカンダリセル（Ｓｅｃｏｎｄａｒｙ  Ｃｅｌｌ）
・ＳＦＮ    システムフレーム番号（Ｓｙｓｔｅｍ  Ｆｒａｍｅ  Ｎｕｍｂｅｒ）
・Ｓ−ＧＷ    サービングゲートウェイ（Ｓｅｒｖｉｎｇ  Ｇａｔｅｗａｙ）
・ＳＩ    システム情報（Ｓｙｓｔｅｍ  Ｉｎｆｏｒｍａｔｉｏｎ）
・ＳＩＢ１    システム情報ブロックタイプ１（Ｓｙｓｔｅｍ  Ｉｎｆｏｒｍａｔｉｏｎ  Ｂｌｏｃｋ  Ｔｙｐｅ  １）
・ＳＩＢ３    システム情報ブロックタイプ３（Ｓｙｓｔｅｍ  Ｉｎｆｏｒｍａｔｉｏｎ  Ｂｌｏｃｋ  Ｔｙｐｅ  ３）
・ＳＩＮＲ  信号対干渉雑音比（Ｓｉｇｎａｌ  ｔｏ  Ｉｎｔｅｒｆｅｒｅｎｃｅ  ｐｌｕｓ  Ｎｏｉｓｅ  Ｒａｔｉｏ）
・ＳＮＲ    信号対雑音比（Ｓｉｇｎａｌ  ｔｏ  Ｎｏｉｓｅ  Ｒａｔｉｏ）
・ＳＯＮ    自己組織化ネットワーク（Ｓｅｌｆ−Ｏｒｇａｎｉｚｉｎｇ  Ｎｅｔｗｏｒｋ）
・ＳＳＣ    セカンダリサービングセル（Ｓｅｃｏｎｄａｒｙ  Ｓｅｒｖｉｎｇ  Ｃｅｌｌ）
・ＳＳＳ    セカンダリ同期信号（Ｓｅｃｏｎｄａｒｙ  Ｓｙｎｃｈｒｏｎｉｚａｔｉｏｎ  Ｓｉｇｎａｌ）
・ＴＤＤ    時分割複信（Ｔｉｍｅ  Ｄｉｖｉｓｉｏｎ  Ｄｕｐｌｅｘｉｎｇ）
・ＴＯＡ    到着時間（Ｔｉｍｅ  ｏｆ  Ａｒｒｉｖａｌ）
・ＴＰ    送信ポイント（Ｔｒａｎｓｍｉｓｓｉｏｎ  Ｐｏｉｎｔ）
・ＴＳ    技術仕様書（Ｔｅｃｈｎｉｃａｌ  Ｓｐｅｃｉｆｉｃａｔｉｏｎ）
・Ｔｘ    送信（Ｔｒａｎｓｍｉｓｓｉｏｎ）
・Ｕ−ＣＧＩ    汎用地上波無線アクセスセルグローバル識別子（Ｕｎｉｖｅｒｓａｌ  Ｔｅｒｒｅｓｔｒｉａｌ  Ｒａｄｉｏ  Ａｃｃｅｓｓ  Ｃｅｌｌ  Ｇｌｏｂａｌ  Ｉｄｅｎｔｉｆｉｅｒ）
・ＵＥ    ユーザ機器（Ｕｓｅｒ  Ｅｑｕｉｐｍｅｎｔ）
・ＵＴＲＡ    汎用地上波無線アクセス（Ｕｎｉｖｅｒｓａｌ  Ｔｅｒｒｅｓｔｒｉａｌ  Ｒａｄｉｏ  Ａｃｃｅｓｓ）
・ＵＴＲＡＮ    汎用地上波無線アクセス技術（Ｕｎｉｖｅｒｓａｌ  Ｔｅｒｒｅｓｔｒｉａｌ  Ｒａｄｉｏ  Ａｃｃｅｓｓ  Ｔｅｃｈｎｏｌｏｇｙ）
・ＶｏＩＰ    ボイスオーバーインターネットプロトコル（Ｖｏｉｃｅ  ｏｖｅｒ  Ｉｎｔｅｒｎｅｔ  Ｐｒｏｔｏｃｏｌ）
・ＶＰＮ    仮想プライベートネットワーク（Ｖｉｒｔｕａｌ  Ｐｒｉｖａｔｅ  Ｎｅｔｗｏｒｋ）
・ＷＣＤＭＡ    広帯域符号分割多重アクセス（Ｗｉｄｅｂａｎｄ  Ｃｏｄｅ  Ｄｉｖｉｓｉｏｎ  Ｍｕｌｔｉｐｌｅ  Ａｃｃｅｓｓ）
【０１２８】
当業者は、本開示の実施形態に対する改良および変更を認識するであろう。そのようなすべての改良および変更は、本明細書で開示された概念の範囲および以下の特許請求の範囲に含まれると見なされる。
【図１】
2019507550.tif 000021
【図２】
2019507550.tif 000022
【図３】
2019507550.tif 000023
【図４】
2019507550.tif 000024
【図５】
2019507550.tif 000025
【図６】
2019507550.tif 000026
【図７】
2019507550.tif 000027
【図８】
2019507550.tif 000028
【図９】
2019507550.tif 000029
【図１０】
2019507550.tif 000030
【図１１】
2019507550.tif 000031
【手続補正書】
【提出日】平成30年3月23日(2018.3.23)
【手続補正１】
【補正対象書類名】特許請求の範囲
【補正対象項目名】全文
【補正方法】変更
【補正の内容】
【特許請求の範囲】
【請求項１】
拡張間欠受信（ｅＤＲＸ）サイクルで動作するように設定された無線通信デバイス（１２）の動作の方法であって、
前記無線通信デバイス（１２）の設定に使用された前記ｅＤＲＸサイクルの第１のページング時間ウィンドウに関連付けられた時間の間に、少なくとも１つの第１のセル（１６）の第１の識別子を取得すること（１００）と、
前記無線通信デバイス（１２）の設定に使用された前記ｅＤＲＸサイクルの第２のページング時間ウィンドウであって、前記第１のページング時間ウィンドウの後に発生する第２のページング時間ウィンドウに関連付けられた時間の間に、少なくとも１つの第２のセル（１６）であって、前記無線通信デバイス（１２）によって測定された少なくとも１つの最強のセルである少なくとも１つの第２のセル（１６）の第２の識別子を取得すること（１０２）と、
前記第１の識別子が前記第２の識別子と同じである場合に、無線通信デバイスの無線動作の第１の種類を実行すること（１０４）と、
前記第１の識別子が前記第２の識別子と異なる場合に、無線通信デバイスの無線動作の第２の種類を実行すること（１０４）とを含み、
前記少なくとも１つの第１のセル（１６）の前記第１の識別子が、前記少なくとも１つの第１のセル（１６）の第１のセルグローバル識別子（ＣＧＩ）であり、前記少なくとも１つの第２のセル（１６）の前記第２の識別子が、前記少なくとも１つの第２のセル（１６）の第２のＣＧＩである、方法。
【請求項２】
前記少なくとも１つの第１のセル（１６）が前記無線通信デバイス（１２）の少なくとも１つのサービングセルである、請求項１に記載の方法。
【請求項３】
前記第１のページング時間ウィンドウに関連付けられた前記時間が、前記第１のページング時間ウィンドウの間の時間、前記第１のページング時間ウィンドウの直前の時間、および前記第１のページング時間ウィンドウの直後の時間のうちの１つである、請求項１または２に記載の方法。
【請求項４】
前記第２のページング時間ウィンドウに関連付けられた前記時間が、前記第２のページング時間ウィンドウの間の時間および前記第２のページング時間ウィンドウの直前の時間のうちの１つである、請求項１から３のいずれか一項に記載の方法。
【請求項５】
前記少なくとも１つの第１のセル（１６）が前記無線通信デバイス（１２）の少なくとも１つのサービングセルであり、
前記無線通信デバイスの無線動作の第１の種類が前記少なくとも１つの第２のセル（１６）上で実行される無線通信デバイスの無線動作であり、前記無線動作が、前記第１のページング時間ウィンドウの間に前記無線通信デバイス（１２）が前記少なくとも１つのサービングセルによってサービングされたときに、前記少なくとも１つのサービングセル上で前記無線通信デバイス（１２）によって実行される前記無線動作と同じである、請求項１から４のいずれか一項に記載の方法。
【請求項６】
前記少なくとも１つの第１のセル（１６）が前記無線通信デバイス（１２）の少なくとも１つのサービングセルであり、前記第１の識別子が前記第２の識別子と同じ場合に前記無線通信デバイスの無線動作の第１の種類を実行すること（１０４）が、前記少なくとも１つの第２のセル（１６）の信号に対して１つまたは複数の無線測定を実行することを含む、請求項１から４のいずれか一項に記載の方法。
【請求項７】
前記少なくとも１つの第１のセル（１６）が前記無線通信デバイス（１２）の少なくとも１つのサービングセルであり、前記第１の識別子が前記第２の識別子と同じ場合に前記無線通信デバイスの無線動作の第１の種類を実行すること（１０４）が、１つまたは複数の隣接セル（１６）の信号に対して１つまたは複数の無線測定を実行することを含む、請求項１から４のいずれか一項に記載の方法。
【請求項８】
前記少なくとも１つの第１のセル（１６）が前記無線通信デバイス（１２）の少なくとも１つのサービングセルであり、前記第１の識別子が前記第２の識別子と同じ場合に前記無線通信デバイスの無線動作の第１の種類を実行すること（１０４）が、前記少なくとも１つの第２のセル（１６）に対して、前記無線通信デバイス（１２）のサービングセルに関連する１つまたは複数のタスクを実行することを含む、請求項１から４のいずれか一項に記載の方法。
【請求項９】
前記少なくとも１つの第１のセル（１６）が前記無線通信デバイス（１２）の少なくとも１つのサービングセルであり、前記第１の識別子が前記第２の識別子と同じ場合に前記無線通信デバイスの無線動作の第１の種類を実行すること（１０４）が、
前記少なくとも１つの第２のセル（１６）の信号に対して無線リンク監視（ＲＬＭ）を実行することと、
前記少なくとも１つの第２のセル（１６）の１つまたは複数の制御チャネルを受信することと、
ネットワークノード（１４）から受信されたスケジューリング情報に基づいて、前記少なくとも１つの第２のセル（１６）に信号を送信することおよび／または前記少なくとも１つの第２のセル（１６）から信号を受信することと、
前記少なくとも１つの第１のセル（１６）および前記少なくとも１つの第２のセル（１６）が同じであることをネットワークノード（１４）に知らせる指示を前記ネットワークノード（１４）に送信することとから成るグループのうちの少なくとも１つを実行すること（１０４）を含む、請求項１から４のいずれか一項に記載の方法。
【請求項１０】
前記少なくとも１つの第１のセル（１６）が前記無線通信デバイス（１２）の少なくとも１つのサービングセルであり、前記第１の識別子が前記第２の識別子と異なる場合に前記無線通信デバイスの無線動作の第２の種類を実行すること（１０４）が、
前記少なくとも１つの第２のセル（１６）の信号に対してＲＬＭを実行することを抑制することと、
前記少なくとも１つの第２のセル（１６）から受信されたスケジューリンググラントを無視することと、
前記少なくとも１つの第２のセル（１６）上のアップリンクにおいてデータを送信することを抑制することと、
前記無線通信デバイス（１２）が接続状態である場合に、アイドルモードに移行することと、
前記少なくとも１つの第２のセル（１６）が、前記少なくとも１つの第１のセル（１６）の追跡領域または登録領域と比較して異なる追跡領域または登録領域に属しているかどうかに基づいて、前記無線通信デバイス（１２）が前記無線通信デバイス（１２）の追跡領域または登録領域を変更する必要があるかどうかを判定することと、
前記少なくとも１つの第２のセル（１６）が前記無線通信デバイス（１２）の以前の追跡領域に属していない場合、追跡領域更新を実行することと、
接続再確立を開始して、前記少なくとも１つの第２のセル（１６）への接続を前記無線通信デバイス（１２）の少なくとも１つの新しいサービングセルとして再確立することと、
前記少なくとも１つの第１のセル（１６）および前記少なくとも１つの第２のセル（１６）が異なることをネットワークノード（１４）に知らせる指示を前記ネットワークノード（１４）に送信することと、
前記少なくとも１つの第２のセル（１６）に対して実行された測定の測定結果をネットワークノード（１４）に送信することとから成るグループのうちの少なくとも１つを実行すること（１０４）を含む、請求項１から９のいずれか一項に記載の方法。
【請求項１１】
前記無線通信デバイス（１２）の設定に使用された前記ｅＤＲＸサイクルの前記第１のページング時間ウィンドウに関連付けられた時間の間に、前記少なくとも１つの第１のセル（１６）に関連付けられた第１の送信器の第３の識別子を取得すること（１００Ａ）と、
前記無線通信デバイス（１２）の設定に使用された前記ｅＤＲＸサイクルの前記第２のページング時間ウィンドウに関連付けられた時間の間に、前記少なくとも１つの第２のセル（１６）に関連付けられた第２の送信器の第４の識別子を取得すること（１０２Ａ）と、
前記第３の識別子が前記第４の識別子と同じである場合に、無線通信デバイスの無線動作の第３の種類を実行すること（１０４Ａ）と、
前記第３の識別子が前記第４の識別子と異なる場合に、無線通信デバイスの無線動作の第４の種類を実行すること（１０４Ａ）とをさらに含む、請求項１から１０のいずれか一項に記載の方法。
【請求項１２】
前記少なくとも１つの第１のセル（１６）が、複数の第１の送信ポイントを含んでいる少なくとも１つの第１の共有セルであり、前記第１の送信器が、第１の事前に規定された基準を満たす前記複数の第１の送信ポイントのうちの送信ポイントであり、
前記少なくとも１つの第２のセル（１６）が、複数の第２の送信ポイントを含んでいる少なくとも１つの第２の共有セルであり、前記第２の送信器が、第２の事前に規定された基準を満たす前記複数の第２の送信ポイントのうちの送信ポイントである、請求項１１に記載の方法。
【請求項１３】
前記第１の事前に規定された基準が、前記無線通信デバイス（１２）によって測定された、前記複数の第１の送信ポイントのうち最強の送信ポイントであることであるか、または第１の事前に規定されたしきい値よりも弱くないことであり、
前記第２の事前に規定された基準が、前記無線通信デバイス（１２）によって測定された、前記複数の第２の送信ポイントのうち最強の送信ポイントであることであるか、または第２の事前に規定されたしきい値よりも弱くないことである、請求項１２に記載の方法。
【請求項１４】
前記第３の識別子が前記第４の識別子と同じである場合に前記無線通信デバイスの無線動作の第３の種類を実行すること（１０４Ａ）が、
前記第２の送信器の信号に対してＲＬＭを実行することと、
前記第２の送信器の信号に対して１つまたは複数の無線測定を実行することと、
１つまたは複数の隣接セル（１６）の信号に対して１つまたは複数の無線測定を実行することと、
前記第２の送信器の１つまたは複数の制御チャネルを受信することと、
ネットワークノード（１４）から受信されたスケジューリング情報に基づいて、前記第２の送信器に信号を送信することおよび／または前記第２の送信器から信号を受信することと、
前記第１の送信器および前記第２の送信器が同じであることをネットワークノード（１４）に知らせる指示を前記ネットワークノード（１４）に送信することと、
前記第２の送信器において、前記無線通信デバイス（１２）のサービングセルに関連する１つまたは複数のタスクを実行することとから成るグループのうちの少なくとも１つを実行すること（１０４Ａ）を含む、請求項１１から１３のいずれか一項に記載の方法。
【請求項１５】
前記第３の識別子が前記第４の識別子と異なる場合に前記無線通信デバイスの無線動作の第４の種類を実行すること（１０４Ａ）が、
前記第２の送信器の信号に対してＲＬＭを実行することを抑制することと、
前記第２の送信器から受信されたスケジューリンググラントを無視することと、
アップリンクにおいて前記第２の送信器へデータを送信することを抑制することと、
前記無線通信デバイス（１２）が接続状態である場合に、アイドルモードに移行することと、
前記第２の送信器が、前記第１の送信器の追跡領域または登録領域と比較して異なる追跡領域または登録領域に属しているかどうかに基づいて、前記無線通信デバイス（１２）が前記無線通信デバイス（１２）の追跡領域または登録領域を変更する必要があるかどうかを判定することと、
前記第２の送信器が前記無線通信デバイス（１２）の以前の追跡領域に属していない場合、追跡領域更新を実行することと、
接続再確立を開始して、前記第２の送信器への接続を前記無線通信デバイス（１２）のサービング送信ポイントとして再確立することと、
前記第１の送信器および前記第２の送信器が異なることをネットワークノード（１４）に知らせる指示を前記ネットワークノード（１４）に送信することと、
前記第２の送信器において実行された測定の測定結果をネットワークノード（１４）に送信することとから成るグループのうちの少なくとも１つを実行すること（１０４Ａ）を含む、請求項１１から１４のいずれか一項に記載の方法。
【請求項１６】
拡張間欠受信（ｅＤＲＸ）サイクルで動作するように設定された無線通信デバイス（１２）であって、
前記無線通信デバイス（１２）の設定に使用された前記ｅＤＲＸサイクルの第１のページング時間ウィンドウに関連付けられた時間の間に、少なくとも１つの第１のセル（１６）の第１の識別子を取得することと、
前記無線通信デバイス（１２）の設定に使用された前記ｅＤＲＸサイクルの第２のページング時間ウィンドウであって、前記第１のページング時間ウィンドウの後に発生する第２のページング時間ウィンドウに関連付けられた時間の間に、少なくとも１つの第２のセル（１６）であって、前記無線通信デバイス（１２）によって測定された少なくとも１つの最強のセルである少なくとも１つの第２のセル（１６）の第２の識別子を取得することと、
前記第１の識別子が前記第２の識別子と同じである場合に、無線通信デバイスの無線動作の第１の種類を実行することと、
前記第１の識別子が前記第２の識別子と異なる場合に、無線通信デバイスの無線動作の第２の種類を実行することとを実行するように適合されており、
前記少なくとも１つの第１のセル（１６）の前記第１の識別子が、前記少なくとも１つの第１のセル（１６）の第１のセルグローバル識別子（ＣＧＩ）であり、前記少なくとも１つの第２のセル（１６）の前記第２の識別子が、前記少なくとも１つの第２のセル（１６）の第２のＣＧＩである、無線通信デバイス（１２）。
【請求項１７】
前記無線通信デバイス（１２）が、請求項２から１５のいずれか一項に記載の方法に従って動作するようにさらに適合されている、請求項１６に記載の無線通信デバイス（１２）。
【請求項１８】
命令を含んでいるコンピュータプログラムであって、前記命令が、少なくとも１つのプロセッサ上で実行された場合、前記少なくとも１つのプロセッサに、請求項１から１５のいずれか一項に記載の方法を実行させる、コンピュータプログラム。
【請求項１９】
請求項１８に記載のコンピュータプログラムを含んでいるキャリアであって、電子信号、光信号、無線信号、またはコンピュータ可読記憶媒体のうちの１つである、キャリア。
【請求項２０】
拡張間欠受信（ｅＤＲＸ）サイクルで動作するように設定された無線通信デバイス（１２）であって、
トランシーバ（２２）と、
１つまたは複数のプロセッサ（２０）と、
前記１つまたは複数のプロセッサ（２０）によって実行可能な命令を含んでいるメモリ（２６）とを備えており、これによって、前記無線通信デバイス（１２）が、
前記無線通信デバイス（１２）の設定に使用された前記ｅＤＲＸサイクルの第１のページング時間ウィンドウに関連付けられた時間の間に、少なくとも１つの第１のセル（１６）の第１の識別子を取得することと、
前記無線通信デバイス（１２）の設定に使用された前記ｅＤＲＸサイクルの第２のページング時間ウィンドウであって、前記第１のページング時間ウィンドウの後に発生する第２のページング時間ウィンドウに関連付けられた時間の間に、少なくとも１つの第２のセル（１６）であって、前記無線通信デバイス（１２）によって測定された少なくとも１つの最強のセルである少なくとも１つの第２のセル（１６）の第２の識別子を取得することと、
前記第１の識別子が前記第２の識別子と同じである場合に、無線通信デバイスの無線動作の第１の種類を実行することと、
前記第１の識別子が前記第２の識別子と異なる場合に、無線通信デバイスの無線動作の第２の種類を実行することとを実行するよう動作可能であり、
前記少なくとも１つの第１のセル（１６）の前記第１の識別子が、前記少なくとも１つの第１のセル（１６）の第１のセルグローバル識別子（ＣＧＩ）であり、前記少なくとも１つの第２のセル（１６）の前記第２の識別子が、前記少なくとも１つの第２のセル（１６）の第２のＣＧＩである、無線通信デバイス（１２）。
【請求項２１】
セルラー通信ネットワーク（１０）用のネットワークノード（１４）の動作の方法であって、
無線通信デバイス（１２）の設定に使用された拡張間欠受信（ｅＤＲＸ）サイクルの第１のページング時間ウィンドウに関連付けられた時間の間に、前記無線通信デバイス（１２）の少なくとも１つの第１のセル（１６）の第１の識別子を取得すること（２００）と、
前記無線通信デバイス（１２）の設定に使用された前記ｅＤＲＸサイクルの第２のページング時間ウィンドウであって、前記第１のページング時間ウィンドウの後に発生する第２のページング時間ウィンドウに関連付けられた時間の間に、前記無線通信デバイス（１２）の少なくとも１つの第２のセル（１６）の第２の識別子を取得すること（２０２）と、
前記第１の識別子が前記第２の識別子と同じである場合に、ネットワークノードの無線動作の第１の種類を実行すること（２０４）と、
前記第１の識別子が前記第２の識別子と異なる場合に、ネットワークノードの無線動作の第２の種類を実行すること（２０４）とを含み、
前記少なくとも１つの第１のセル（１６）の前記第１の識別子が、前記少なくとも１つの第１のセル（１６）の第１のセルグローバル識別子（ＣＧＩ）であり、前記少なくとも１つの第２のセル（１６）の前記第２の識別子が、前記少なくとも１つの第２のセル（１６）の第２のＣＧＩである、方法。
【請求項２２】
前記少なくとも１つの第１のセル（１６）が前記無線通信デバイス（１２）の少なくとも１つのサービングセルである、請求項２１に記載の方法。
【請求項２３】
前記少なくとも１つの第２のセル（１６）が前記無線通信デバイス（１２）によって測定された少なくとも１つの最強のセルである、請求項２１または２２に記載の方法。
【請求項２４】
前記第１のページング時間ウィンドウに関連付けられた前記時間が、前記第１のページング時間ウィンドウの間の時間、前記第１のページング時間ウィンドウの直前の時間、および前記第１のページング時間ウィンドウの直後の時間のうちの１つである、請求項２１から２３のいずれか一項に記載の方法。
【請求項２５】
前記第２のページング時間ウィンドウに関連付けられた前記時間が、前記第２のページング時間ウィンドウの間の時間および前記第２のページング時間ウィンドウの直前の時間のうちの１つである、請求項２１から２４のいずれか一項に記載の方法。
【請求項２６】
前記少なくとも１つの第１のセル（１６）の前記第１の識別子が、前記少なくとも１つの第１のセル（１６）の第１のセルグローバル識別子（ＣＧＩ）であり、前記少なくとも１つの第２のセル（１６）の前記第２の識別子が、前記少なくとも１つの第２のセル（１６）の第２のＣＧＩである、請求項２１から２５のいずれか一項に記載の方法。
【請求項２７】
前記少なくとも１つの第１のセル（１６）が前記無線通信デバイス（１２）の少なくとも１つのサービングセルであり、
前記少なくとも１つの第２のセル（１６）が、前記無線通信デバイス（１２）によって測定された少なくとも１つの最強のセルであり、
前記ネットワークノードの無線動作の第１の種類が、ネットワークノード（１４）によって前記少なくとも１つの最強のセルに対して実行される前記ネットワークノードの無線動作であり、前記無線動作が、前記第１のページング時間ウィンドウの間に前記無線通信デバイス（１２）が前記少なくとも１つのサービングセルによってサービングされたときに、前記ネットワークノード（１４）によって前記少なくとも１つのサービングセルに対して実行される前記無線動作と同じである、請求項２１から２６のいずれか一項に記載の方法。
【請求項２８】
前記少なくとも１つの第１のセル（１６）が前記無線通信デバイス（１２）の少なくとも１つのサービングセルであり、前記少なくとも１つの第２のセル（１６）が前記無線通信デバイス（１２）によって測定された少なくとも１つの最強のセルであり、前記第１の識別子が前記第２の識別子と同じ場合に前記ネットワークノードの無線動作の第１の種類を実行すること（２０４）が、
前記無線通信デバイス（１２）が前記少なくとも１つの第２のセル（１６）の信号に対して無線リンク監視（ＲＬＭ）を実行できるようにするために、１つまたは複数のパラメータを使用して前記無線通信デバイス（１２）を設定することと、
前記少なくとも１つの第２のセル（１６）を前記無線通信デバイス（１２）の新しいサービングセルにするための遅延なしで、前記少なくとも１つの第２のセル（１６）上のアップリンクおよび／またはダウンリンクにおいて前記無線通信デバイス（１２）をスケジュールすることと、
前記無線通信デバイス（１２）が前記少なくとも１つの第１のセル（１６）および前記少なくとも１つの第２のセル（１６）を同じであるとして識別したことを前記ネットワークノード（１４）に知らせる指示を前記無線通信デバイス（１２）から受信することと、
１つまたは複数の測定結果を前記無線通信デバイス（１２）から受信し、前記１つまたは複数の測定を、前記少なくとも１つの第２のセル（１６）内でスケジュールするために１つまたは複数の動作に使用することとから成るグループのうちの少なくとも１つを実行すること（２０４）を含む、請求項２１から２６のいずれか一項に記載の方法。
【請求項２９】
前記少なくとも１つの第１のセル（１６）が前記無線通信デバイス（１２）の少なくとも１つのサービングセルであり、前記少なくとも１つの第２のセル（１６）が前記無線通信デバイス（１２）によって測定された少なくとも１つの最強のセルであり、前記第１の識別子が前記第２の識別子と異なる場合に前記ネットワークノードの無線動作の第２の種類を実行すること（２０４）が、
前記少なくとも１つの第２のセル（１６）内でのアップリンクおよび／またはダウンリンクデータ送信に関して前記無線通信デバイス（１２）をスケジュールすることを抑制することと、
前記少なくとも１つの第２のセル（１６）を前記無線通信デバイス（１２）の新しいサービングセルにするための遅延の後にのみ、前記少なくとも１つの第２のセル（１６）内でのアップリンクおよび／またはダウンリンクデータ送信に関して前記無線通信デバイス（１２）をスケジュールすることと、
前記少なくとも１つの第２のセル（１６）への接続を確立するために、前記無線通信デバイス（１２）からのランダムアクセスメッセージまたはメッセージの受信を準備することと、
前記無線通信デバイス（１２）が前記少なくとも１つの第２のセル（１６）との接続を確立していない限り、前記無線通信デバイス（１２）によって送信されたデータを無視することと、
前記少なくとも１つの第１のセル（１６）および前記少なくとも１つの第２のセル（１６）が同じでないことを前記ネットワークノード（１４）に知らせるメッセージを前記無線通信デバイス（１２）から受信することを準備することとから成るグループのうちの少なくとも１つを実行すること（２０４）を含む、請求項２１から２８のいずれか一項に記載の方法。
【請求項３０】
前記無線通信デバイス（１２）の設定に使用された前記ｅＤＲＸサイクルの前記第１のページング時間ウィンドウに関連付けられた時間の間に、前記少なくとも１つの第１のセル（１６）に関連付けられた第１の送信器の第３の識別子を決定すること（２００Ａ）と、
前記無線通信デバイス（１２）の設定に使用された前記ｅＤＲＸサイクルの前記第２のページング時間ウィンドウに関連付けられた時間の間に、前記少なくとも１つの第２のセル（１６）に関連付けられた第２の送信器の第４の識別子を決定すること（２０２Ａ）と、
前記第３の識別子が前記第４の識別子と同じである場合に、ネットワークノードの無線動作の第３の種類を実行すること（２０４Ａ）と、
前記第３の識別子が前記第４の識別子と異なる場合に、ネットワークノードの無線動作の第４の種類を実行すること（２０４Ａ）とをさらに含む、請求項２１から２９のいずれか一項に記載の方法。
【請求項３１】
前記少なくとも１つの第１のセル（１６）が、複数の第１の送信ポイントを含んでいる少なくとも１つの第１の共有セルであり、前記第１の送信器が、第１の事前に規定された基準を満たす前記複数の第１の送信ポイントのうちの送信ポイントであり、
前記少なくとも１つの第２のセル（１６）が、複数の第２の送信ポイントを含んでいる少なくとも１つの第２の共有セルであり、前記第２の送信器が、第２の事前に規定された基準を満たす前記複数の第２の送信ポイントのうちの送信ポイントである、請求項３０に記載の方法。
【請求項３２】
前記第１の事前に規定された基準が、前記無線通信デバイス（１２）によって測定された、前記複数の第１の送信ポイントのうち最強の送信ポイントであることであるか、または第１の事前に規定されたしきい値よりも弱くないことであり、
前記第２の事前に規定された基準が、前記無線通信デバイス（１２）によって測定された、前記複数の第２の送信ポイントのうち最強の送信ポイントであることであるか、または第２の事前に規定されたしきい値よりも弱くないことである、請求項３１に記載の方法。
【請求項３３】
前記第３の識別子が前記第４の識別子と同じである場合に前記ネットワークノードの無線動作の第３の種類を実行すること（２０４Ａ）が、
前記無線通信デバイス（１２）が前記第２の送信器の信号に対してＲＬＭを実行できるようにするために、１つまたは複数のパラメータを使用して前記無線通信デバイス（１２）を設定することと、
前記少なくとも１つの第２のセル（１６）を前記無線通信デバイス（１２）の新しいサービングセルにするための遅延なしで、前記少なくとも１つの第２のセル（１６）上のアップリンクおよび／またはダウンリンクにおいて前記無線通信デバイス（１２）をスケジュールすることと、
前記無線通信デバイス（１２）が前記少なくとも１つの第１のセル（１６）および前記少なくとも１つの第２のセル（１６）を同じであるとして識別したことを前記ネットワークノード（１４）に知らせる指示を前記無線通信デバイス（１２）から受信することと、
１つまたは複数の測定結果を前記無線通信デバイス（１２）から受信し、前記１つまたは複数の測定を、前記少なくとも１つの第２のセル（１６）内でスケジュールするために１つまたは複数の動作に使用することとから成るグループのうちの少なくとも１つを実行すること（２０４Ａ）を含む、請求項３０から３２のいずれか一項に記載の方法。
【請求項３４】
前記第３の識別子が前記第４の識別子と異なる場合に前記ネットワークノードの無線動作の第４の種類を実行すること（２０４Ａ）が、
前記少なくとも１つの第２のセル（１６）内でのアップリンクおよび／またはダウンリンクデータ送信に関して前記無線通信デバイス（１２）をスケジュールすることを抑制することと、
前記少なくとも１つの第２のセル（１６）を前記無線通信デバイス（１２）の新しいサービングセルにするための遅延の後にのみ、前記少なくとも１つの第２のセル（１６）内でのアップリンクおよび／またはダウンリンクデータ送信に関して前記無線通信デバイス（１２）をスケジュールすることと、
前記少なくとも１つの第２のセル（１６）への接続を確立するために、前記無線通信デバイス（１２）からのランダムアクセスメッセージまたはメッセージの受信を準備することと、
前記無線通信デバイス（１２）が前記少なくとも１つの第２のセル（１６）との接続を確立していない限り、前記無線通信デバイス（１２）によって送信されたデータを無視することと、
前記少なくとも１つの第１のセル（１６）および前記少なくとも１つの第２のセル（１６）が同じでないことを前記ネットワークノード（１４）に知らせるメッセージを前記無線通信デバイス（１２）から受信することを準備することとから成るグループのうちの少なくとも１つを実行すること（２０４Ａ）を含む、請求項３０から３３のいずれか一項に記載の方法。
【請求項３５】
セルラー通信ネットワーク（１０）用のネットワークノード（１４）であって、
無線通信デバイス（１２）の設定に使用された拡張間欠受信（ｅＤＲＸ）サイクルの第１のページング時間ウィンドウに関連付けられた時間の間に、前記無線通信デバイス（１２）の少なくとも１つの第１のセル（１６）の第１の識別子を取得することと、
前記無線通信デバイス（１２）の設定に使用された前記ｅＤＲＸサイクルの第２のページング時間ウィンドウであって、前記第１のページング時間ウィンドウの後に発生する第２のページング時間ウィンドウに関連付けられた時間の間に、前記無線通信デバイス（１２）の少なくとも１つの第２のセル（１６）の第２の識別子を取得することと、
前記第１の識別子が前記第２の識別子と同じである場合に、ネットワークノードの無線動作の第１の種類を実行することと、
前記第１の識別子が前記第２の識別子と異なる場合に、ネットワークノードの無線動作の第２の種類を実行することとを実行するように適合されており、
前記少なくとも１つの第１のセル（１６）の前記第１の識別子が、前記少なくとも１つの第１のセル（１６）の第１のセルグローバル識別子（ＣＧＩ）であり、前記少なくとも１つの第２のセル（１６）の前記第２の識別子が、前記少なくとも１つの第２のセル（１６）の第２のＣＧＩである、ネットワークノード（１４）。
【請求項３６】
前記ネットワークノード（１４）が、請求項２２から３４のいずれか一項に記載の方法に従って動作するようにさらに適合されている、請求項３５に記載のネットワークノード（１４）。
【請求項３７】
命令を含んでいるコンピュータプログラムであって、前記命令が、少なくとも１つのプロセッサ上で実行された場合、前記少なくとも１つのプロセッサに、請求項２１から３４のいずれか一項に記載の方法を実行させる、コンピュータプログラム。
【請求項３８】
請求項３７に記載のコンピュータプログラムを含んでいるキャリアであって、電子信号、光信号、無線信号、またはコンピュータ可読記憶媒体のうちの１つである、キャリア。
【請求項３９】
セルラー通信ネットワーク（１０）用のネットワークノード（１４）であって、
１つまたは複数のプロセッサ（２８）と、
前記１つまたは複数のプロセッサ（２８）によって実行可能な命令を含んでいるメモリ（３４）とを備えており、これによって、前記ネットワークノード（１４）が、
無線通信デバイス（１２）の設定に使用された拡張間欠受信（ｅＤＲＸ）サイクルの第１のページング時間ウィンドウに関連付けられた時間の間に、前記無線通信デバイス（１２）の少なくとも１つの第１のセル（１６）の第１の識別子を取得することと、
前記無線通信デバイス（１２）の設定に使用された前記ｅＤＲＸサイクルの第２のページング時間ウィンドウであって、前記第１のページング時間ウィンドウの後に発生する第２のページング時間ウィンドウに関連付けられた時間の間に、前記無線通信デバイス（１２）の少なくとも１つの第２のセル（１６）の第２の識別子を取得することと、
前記第１の識別子が前記第２の識別子と同じである場合に、ネットワークノードの無線動作の第１の種類を実行することと、
前記第１の識別子が前記第２の識別子と異なる場合に、ネットワークノードの無線動作の第２の種類を実行することとを実行するよう動作可能であり、
前記少なくとも１つの第１のセル（１６）の前記第１の識別子が、前記少なくとも１つの第１のセル（１６）の第１のセルグローバル識別子（ＣＧＩ）であり、前記少なくとも１つの第２のセル（１６）の前記第２の識別子が、前記少なくとも１つの第２のセル（１６）の第２のＣＧＩである、ネットワークノード（１４）。
【国際調査報告】
2019507550.tif 000032
2019507550.tif 000033